(57)【特許請求の範囲】
【請求項１】
遊技領域に設けられた入賞領域への遊技球の入賞に基づき、所定数の遊技球を払い出す遊技機において、
前記入賞領域には、
遊技球の入賞に基づき、表示装置で複数の識別情報を変動表示する変動表示ゲームの開始条件が成立する始動入賞口と、
遊技球の入賞に基づき所定数の遊技球の払い出しのみが行われる一般入賞口と、が含まれ、
前記一般入賞口への遊技球の入賞に関する情報を報知可能な入賞情報報知手段と、
前記変動表示ゲームの結果が予め定められた特別結果となった場合に発生する特別遊技状態の終了後、予め定められた所定期間にわたり、遊技球が入賞しやすい開状態と遊技球が入賞しにくい若しくは入賞しない閉状態とに変化可能な普通変動入賞装置を前記開状態とする期間を延長する特定遊技状態を発生可能な特定遊技状態発生制御手段と、を備え、
前記入賞情報報知手段は、
前記特定遊技状態における前記一般入賞口への遊技球の入賞に基づき払い出された賞球数を報知可能であって、当該特定遊技状態中に前記特別遊技状態が発生した場合には、当該特定遊技状態における前記一般入賞口の賞球数に、前記特別遊技状態における前記一般入賞口への遊技球の入賞に基づき払い出された賞球数を継続して計数した前記一般入賞口の賞球数を報知可能であり、当該特定遊技状態が終了した場合に該賞球数の報知を終了することを特徴とする遊技機。
【発明の詳細な説明】
【技術分野】
【０００１】
本発明は、遊技領域に設けられた入賞領域への遊技球の入賞に基づき、所定数の遊技球を払い出す遊技機に関する。
【背景技術】
【０００２】
始動入賞口への遊技球の入賞に基づき、複数の識別情報を変動表示する変動表示ゲームを表示する表示装置を備え、変動表示ゲームの結果が予め定められた特別結果となった場合に遊技者に遊技価値を付与する特別遊技状態を発生する遊技機が知られている。このような遊技機において、特定の箇所を遊技球が通過することでポイントが溜まり、ポイントを遊技者に報知するとともにポイントに応じてリーチなどの演出が異なるようにした遊技機が開示されている（例えば、特許文献１参照）。
【先行技術文献】
【特許文献】
【０００３】
【特許文献１】特開２００６−２９７１１３号公報
【発明の概要】
【発明が解決しようとする課題】
【０００４】
しかしながら、上記特許文献１に記載の発明では、遊技球の獲得を目指して遊技している遊技者に対して十分な満足感を与えることができなかった。
【０００５】
本発明の目的は、遊技領域に設けられた入賞領域への遊技球の入賞に基づき、所定数の遊技球を払い出す遊技機において、遊技球の獲得を目指して遊技している遊技者に対して満足感を与えることである。
【課題を解決するための手段】
【０００６】
以上の課題を解決するため、請求項１に記載の発明は、遊技領域に設けられた入賞領域への遊技球の入賞に基づき、所定数の遊技球を払い出す遊技機において、
前記入賞領域には、
遊技球の入賞に基づき、表示装置で複数の識別情報を変動表示する変動表示ゲームの開始条件が成立する始動入賞口と、
遊技球の入賞に基づき所定数の遊技球の払い出しのみが行われる一般入賞口と、が含まれ、
前記一般入賞口への遊技球の入賞に関する情報を報知可能な入賞情報報知手段と、
前記変動表示ゲームの結果が予め定められた特別結果となった場合に発生する特別遊技状態の終了後、予め定められた所定期間にわたり、遊技球が入賞しやすい開状態と遊技球が入賞しにくい若しくは入賞しない閉状態とに変化可能な普通変動入賞装置を前記開状態とする期間を延長する特定遊技状態を発生可能な特定遊技状態発生制御手段と、を備え、
前記入賞情報報知手段は、
前記特定遊技状態における前記一般入賞口への遊技球の入賞に基づき払い出された賞球数を報知可能であって、当該特定遊技状態中に前記特別遊技状態が発生した場合には、当該特定遊技状態における前記一般入賞口の賞球数に、前記特別遊技状態における前記一般入賞口への遊技球の入賞に基づき払い出された賞球数を継続して計数した前記一般入賞口の賞球数を報知可能であり、当該特定遊技状態が終了した場合に該賞球数の報知を終了することを特徴とする。
【０００７】
ここで、入賞に関する情報を報知するとは、入賞した遊技球数や、入賞した遊技球に基づき払い出された遊技球数を直接的に報知することや、入賞数や賞球数を直接的に報知せずに、その量を段階的に報知（例えば１００個以下、１００〜１９９個、２００〜２９９個、３００以上の何れであるかを報知又はキャラクタや表示態様の変化により報知）することなどである。
【発明の効果】
【０００９】
本発明によれば、遊技球の獲得を目指して遊技している遊技者に対して満足感を与えることができる。
【図面の簡単な説明】
【００１０】
【図１】本発明の一実施形態の遊技機を前面側から見た斜視図である。
【図２】遊技盤の正面図である。
【図３】普通変動入賞装置を示す図である。
【図４】遊技盤の前面側から見た斜視図である。
【図５】遊技盤前面右下部の拡大図である。
【図６】特別遊技状態における入賞に関する情報の報知態様を示す図である。
【図７】時短状態における入賞に関する情報の報知態様を示す図である。
【図８】遊技機の制御系の構成例を示すブロック図である。
【図９】遊技機の制御系の構成例を示すブロック図である。
【図１０】メイン処理を説明するフローチャートである。
【図１１】メイン処理を説明するフローチャートである。
【図１２】タイマ割込み処理を説明するフローチャートである。
【図１３】入力処理を説明するフローチャートである。
【図１４】スイッチ読み込み処理を説明するフローチャートである。
【図１５】コマンド送信処理を説明するフローチャートである。
【図１６】演出制御コマンド送信処理を説明するフローチャートである。
【図１７】演出制御コマンド出力処理を説明するフローチャートである。
【図１８】コマンドデータ出力処理を説明するフローチャートである。
【図１９】払出コマンド送信処理を説明するフローチャートである。
【図２０】入賞口スイッチ/エラー監視処理を説明するフローチャートである。
【図２１】不正＆入賞監視処理を説明するフローチャートである。
【図２２】コマンド設定処理を説明するフローチャートである。
【図２３】入賞数カウンタ更新処理１を説明するフローチャートである。
【図２４】表示カウントアップ処理を説明するフローチャートである。
【図２５】エラーチェック処理を説明するフローチャートである。
【図２６】特図ゲーム処理を説明するフローチャートである。
【図２７】始動口スイッチ監視処理を説明するフローチャートである。
【図２８】特図始動口スイッチ共通処理を説明するフローチャートである。
【図２９】特図保留情報判定処理を説明するフローチャートである。
【図３０】カウントスイッチ監視処理を説明するフローチャートである。
【図３１】図柄変動制御処理を説明するフローチャートである。
【図３２】特図普段処理を説明するフローチャートである。
【図３３】特図普段処理移行設定処理１を説明するフローチャートである。
【図３４】特図１変動開始処理を説明するフローチャートである。
【図３５】大当りフラグ１設定処理を説明するフローチャートである。
【図３６】大当り判定処理を説明するフローチャートである。
【図３７】特図１停止図柄設定処理を説明するフローチャートである。
【図３８】停止図柄情報設定処理を説明するフローチャートである。
【図３９】特図情報設定処理を説明するフローチャートである。
【図４０】後半変動パターン設定処理を説明するフローチャートである。
【図４１】２バイト振り分け処理を説明するフローチャートである。
【図４２】振り分け処理を説明するフローチャートである。
【図４３】変動パターン設定処理を説明するフローチャートである。
【図４４】変動開始情報設定処理を説明するフローチャートである。
【図４５】特図変動中処理移行設定処理（特図１）を説明するフローチャートである。
【図４６】特図変動中処理移行設定処理（特図２）を説明するフローチャートである。
【図４７】特図変動中処理を説明するフローチャートである。
【図４８】特図表示中処理移行設定処理を説明するフローチャートである。
【図４９】特図表示中処理を説明するフローチャートである。
【図５０】特図表示中処理を説明するフローチャートである。
【図５１】特図普段処理移行設定処理２（時短終了時）を説明するフローチャートである。
【図５２】ファンファーレ/インターバル中処理を説明するフローチャートである。
【図５３】大入賞口開放中処理移行設定処理を説明するフローチャートである。
【図５４】大入賞口開放中処理を説明するフローチャートである。
【図５５】大入賞口残存球処理移行設定処理を説明するフローチャートである。
【図５６】大入賞口残存球処理を説明するフローチャートである。
【図５７】大当り終了処理移行設定処理を説明するフローチャートである。
【図５８】ファンファーレ／インターバル中処理移行設定処理２を説明するフローチャートである。
【図５９】大当り終了処理を説明するフローチャートである。
【図６０】大当り終了設定処理１を説明するフローチャートである。
【図６１】大当り終了設定処理２を説明するフローチャートである。
【図６２】特図普段処理移行設定処理３を説明するフローチャートである。
【図６３】普図ゲーム処理を説明するフローチャートである。
【図６４】ゲートスイッチ監視処理を説明するフローチャートである。
【図６５】普電入賞スイッチ監視処理を説明するフローチャートである。
【図６６】普図普段処理を説明するフローチャートである。
【図６７】普図普段処理移行設定処理１を説明するフローチャートである。
【図６８】普図変動中処理移行設定処理を説明するフローチャートである。
【図６９】普図変動中処理を説明するフローチャートである。
【図７０】普図表示中処理を説明するフローチャートである。
【図７１】普図当り中処理移行設定処理を説明するフローチャートである。
【図７２】普図当り中処理を説明するフローチャートである。
【図７３】普電作動移行設定処理を説明するフローチャートである。
【図７４】普電残存球処理を説明するフローチャートである。
【図７５】普図当り終了処理を説明するフローチャートである。
【図７６】１ｓｔメイン処理を説明するフローチャートである。
【図７７】装飾装置制御処理を説明するフローチャートである。
【図７８】入賞情報報知処理を説明するフローチャートである。
【発明を実施するための形態】
【００１１】
以下、本発明の好適な実施の形態を図面に基づいて説明する。図１は、本発明の一実施形態の遊技機の説明図である。
【００１２】
本実施形態の遊技機１０は前面枠１２を備え、該前面枠１２は本体枠（外枠）１１にヒンジ１３を介して開閉回動可能に組み付けられている。遊技盤３０（図２参照）は前面枠１２の表側に形成された収納部（図示省略）に収納されている。また、前面枠（内枠）１２には、遊技盤３０の前面を覆うカバーガラス（透明部材）１４を備えたガラス枠１５が取り付けられている。
【００１３】
また、ガラス枠１５の上部には、内部にランプ及びモータを内蔵した照明装置（ムービングライト）１６や払出異常報知用のランプ（ＬＥＤ）１７が設けられている。また、ガラス枠１５の左右には内部にランプ等を内蔵し装飾や演出のための発光をする枠装飾装置１８や、音響（例えば、効果音）を発するスピーカ（上スピーカ）１９ａが設けられている。さらに、前面枠１２の下部にもスピーカ（下スピーカ）１９ｂが設けられている。
【００１４】
また、前面枠１２の下部には、図示しない打球発射装置に遊技球を供給する上皿２１、遊技機１０の裏面側に設けられている球払出装置から払い出された遊技球が流出する上皿球出口２２、上皿２１が一杯になった状態で払い出された遊技球を貯留する下皿２３及び打球発射装置の操作部２４等が設けられている。さらに、上皿２１の上縁部には、遊技者からの操作入力を受け付けるための操作スイッチを内蔵した操作手段をなす演出ボタン２５が設けられている。さらに、前面枠１２下部右側には、前面枠１２を開放したり施錠したりするための鍵２６が設けられている。
【００１５】
この実施形態の遊技機１０においては、遊技者が上記操作部２４を回動操作することによって、打球発射装置が、上皿２１から供給される遊技球を遊技盤３０前面の遊技領域３２に向かって発射する。また、遊技者が演出ボタン２５を操作することによって、表示装置４１（図２参照）における変動表示ゲーム（飾り特図変動表示ゲーム）において、遊技者の操作を介入させた演出等を行わせることができる。さらに、上皿２１上方のガラス枠１５の前面には、遊技者が隣接する球貸機から球貸しを受ける場合に操作する球貸ボタン２７、球貸機のカードユニットからプリペイドカードを排出させるために操作する排出ボタン２８、プリペイドカードの残高を表示する残高表示部（図示省略）等が設けられている。
【００１６】
次に、図２を用いて遊技盤３０の一例について説明する。図２は、本実施形態の遊技盤３０の正面図である。
【００１７】
遊技盤３０の表面には、ガイドレール３１で囲われた略円形状の遊技領域３２が形成されている。遊技領域３２は、遊技盤３０の四隅に各々設けられた樹脂製のサイドケース３３及びガイドレール３１に囲繞されて構成される。遊技領域３２には、ほぼ中央に表示装置４１を備えたセンターケース４０が配置されている。表示装置４１は、センターケース４０に設けられた凹部に、センターケース４０の前面より奥まった位置に取り付けられている。即ち、センターケース４０は表示装置４１の表示領域の周囲を囲い、表示装置４１の表示面よりも前方へ突出するように形成されている。
【００１８】
表示装置４１は、例えば、ＬＣＤ（液晶表示器）、ＣＲＴ（ブラウン管）等の表示画面を有する装置で構成されている。表示画面の画像を表示可能な領域（表示領域）には、複数の識別情報（特別図柄）や特図変動表示ゲームを演出するキャラクタや演出効果を高める背景画像等の遊技に関する情報が表示される。表示装置４１の表示画面においては、識別情報として割り当てられた複数の特別図柄が変動表示（可変表示）されて、特図変動表示ゲームに対応した飾り特図変動表示ゲームが行われる。また、表示画面には遊技の進行に基づく演出のための画像（例えば、大当り表示画像、ファンファーレ表示画像、エンディング表示画像等）が表示される。
【００１９】
センターケース４０の下方には、第１特図変動表示ゲームの開始条件を与える入賞領域をなす始動入賞口３６（第１始動入賞口）が設けられ、その下方には特図変動表示ゲームの結果によって遊技球を受け入れない状態と受け入れ易い状態とに変換可能な入賞領域をなす特別変動入賞装置（大入賞口）３８が配設されている。さらに特別変動入賞装置３８の下方には、入賞口などに入賞しなかった遊技球を回収するアウト口３０ａが設けられている。
【００２０】
特別変動入賞装置３８は、上端側が手前側に倒れる方向に回動して開放可能になっているアタッカ形式の開閉扉３８ｃを有しており、補助遊技としての特図変動表示ゲームの結果如何によって大入賞口を閉じた状態（遊技者にとって不利な閉塞状態）から開放状態（遊技者にとって有利な状態）に変換する。即ち、特別変動入賞装置３８は、例えば、駆動装置としての大入賞口ソレノイド３８ｂ（図８参照）により駆動される開閉扉３８ｃによって開閉される大入賞口を備え、特別遊技状態中は、大入賞口を閉じた状態から開いた状態に変換することにより大入賞口内への遊技球の流入を容易にさせ、遊技者に所定の遊技価値（賞球）を付与するようになっている。なお、大入賞口の内部（入賞領域）には、当該大入賞口に入った遊技球を検出する検出手段としてのカウントスイッチ３８ａ（図８参照）が配設されている。
【００２１】
遊技領域３２に臨むセンターケース４０の右側には、普図変動表示ゲームの開始条件を与える普通図柄始動ゲート（普図始動ゲート）３４と、第２特図変動表示ゲームの開始条件を与える入賞領域をなす普通変動入賞装置３７（第２始動入賞口）が設けられている。また、普通変動入賞装置３７の左下方には遊技球の入賞に基づき所定数の遊技球の払い出しのみが行われる入賞領域をなす一般入賞口３５が配置されている。
【００２２】
遊技球が流下する遊技領域３２のうち、センターケース４０の左側の領域は第１流下経路（左側遊技領域）３２ａとされ、センターケース４０の右側の領域は第２流下経路（右側遊技領域）３２ｂとされている。そして、遊技者が発射勢を調節して第１流下経路３２ａへ遊技球を発射（いわゆる左打ち）することで始動入賞口３６への入賞を狙うことができ、第２流下経路３２ｂへ遊技球を発射（いわゆる右打ち）することで普通変動入賞装置３７や特別変動入賞装置３８への入賞を狙うことができるようになっている。
【００２３】
図３に示すように、普通変動入賞装置３７は、ベース部３７１と、該ベース部３７１に対して動作可能に取り付けられた一対の可動部材３７ｂ、３７ｂとを備えている。ベース部３７１は、遊技盤３０の前面に密着するように配される略扇形板状の平板部３７２を有している。この平板部３７２の裏面側には、一対の可動部材３７ｂ、３７ｂを動作させるための機構や流入した遊技球を誘導する流路などを備え、遊技盤３０に形成された開口部に挿入される後方部３７３が形成されている。また、平板部３７２の前面側には、一対の可動部材３７ｂ、３７ｂの下部を覆い、遊技領域３２内に突出するように配される前方部３７４が形成されている。
【００２４】
一対の可動部材３７ｂ、３７ｂの間を遊技球が通過することで第２始動入賞口に入賞し、入賞した遊技球は、平板部３７２に形成された前後に貫通する流入口３７１ａを通って、後方部３７３を経て遊技機の外部へ排出される。後方部３７３には入賞した遊技球を検出する始動口２スイッチ３７ａ（図８参照）が設けられており、これにより第２始動入賞口への遊技球の入賞が検出される。
【００２５】
また、一対の可動部材３７ｂ、３７ｂは前後方向に沿った回動軸により下部が軸支され、この回動軸を中心として回動するように駆動装置としての普電ソレノイド３７ｃ（図８参照）によって駆動される。この可動部材３７ｂ，３７ｂは、常時は図３（ａ）から（ｃ）に示すように遊技球の直径程度の間隔をおいた閉じた閉状態（遊技者にとって不利な状態、第１状態）を保持している。そして、普図変動表示ゲームの結果が所定の停止表示態様となった場合には、図３（ｄ）から（ｆ）に示すように逆「ハ」の字状に開いて普通変動入賞装置３７に遊技球が流入し易い開状態（遊技者にとって有利な状態、第２状態）に変化させられるようになっている。なお、普通変動入賞装置３７の上方に釘や障害部材を配設し、閉状態では遊技球が入賞せず開状態でのみ遊技球が入賞可能であるようにしても良い。
【００２６】
また、可動部材３７ｂの側面には、側方に向かって延出する板状の保持片３７ｄが形成されている。図３（ａ）から（ｃ）に示すようにこの保持片３７ｄは、可動部材３７ｂが閉状態である場合に斜め上方へ延出するように形成されている。この閉状態においては、保持片３７ｄの上面と可動部材３７ｂの側面との間で遊技球を保持できるようになっており、この部分が保持部３７ｅをなす。そして、可動部材３７ｂが閉状態から開状態に変換されることで、図３（ｄ）から（ｆ）に示すように保持片３７ｄが斜め下方を向くようになり、保持部３７ｅで保持されていた遊技球が流出するようになっている。すなわち、閉状態から開状態への変換により保持部３７ｅでの遊技球の保持が解除されるようになっている。
【００２７】
図２、図４に示すように、普通変動入賞装置３７の左下方に配された一般入賞口３５の配設位置は、左側の保持部３７ｅで保持されていた遊技球が可動部材３７ｂの開状態への変換によって流下する位置とされており、高い確率でこの一般入賞口３５に入賞するようになっている。これにより、普通変動入賞装置３７に入賞しなかった遊技球を積極的に一般入賞口３５に入賞させることができ、普通変動入賞装置３７に入賞しなかった遊技球のその後の流下にも期待感を持たせ、興趣を高めることができる。なお、一般入賞口３５に入賞した遊技球は入賞口スイッチ３５ａ（図８参照）により検出されるようになっている。
【００２８】
また、一般入賞口３５の周囲及び一般入賞口３５とセンターケース４０との間には、当該一般入賞口３５への遊技球の入賞を報知する装飾装置８０が設けられている。この装飾装置８０は、複数の発光装置８１を一列に並べたものであって、列の右端が一般入賞口３５における遊技球が入賞する部分の右側に位置し、ここから一般入賞口３５の下側を囲み、一般入賞口３５の左側から表示装置４１へ向けて列の左端がセンターケース４０の周縁部に隣接するように配されている。
【００２９】
一般入賞口３５に入賞した遊技球を排出する排出経路８３は、遊技球が一列で流下可能な内径を有する流路であって、一般入賞口３５から特別変動入賞装置３８にかけて延設され、さらに遊技盤３０の裏面側へ延設されている。この排出経路８３のうち、一般入賞口３５から特別変動入賞装置３８にかけて延設された部分は、少なくとも前面側が透明な材質からなり、内部を流下する遊技球Ｂが遊技者から視認可能となるように配されている。
【００３０】
特別変動入賞装置（大入賞口）３８への遊技球の入賞が容易な状態となる特別遊技状態や、単位時間当りの普通変動入賞装置３７を開状態とする時間が通常よりも延長される時短状態においては、この一般入賞口３５への遊技球の入賞に基づき払い出された遊技球（賞球）の数を表示装置４１で報知することで、賞球の獲得に対して満足感を与え、遊技の興趣を高めるようにしている。この報知の効果を高めるために、普通変動入賞装置３７に保持部３７ｅを設け、該保持部３７ｅで保持した遊技球を一般入賞口３５へ向けて流下させることで、積極的に一般入賞口３５に遊技球を入賞させるようにしている。
【００３１】
さらに、装飾装置８０は、一般入賞口３５への遊技球の入賞に基づき一列に配された発光装置８１を一般入賞口３５から表示装置４１へ向けて順に点灯させることで、一般入賞口３５への入賞と表示装置４１での賞球数の表示に関連があることを明確に認識させ、賞球数の報知の効果を高めるようにしている。また、排出経路８３を特別変動入賞装置３８へ向けて延設し、流下する遊技球を視認可能とすることで、一般入賞口３５に入賞した遊技球が、あたかも特別変動入賞装置３８に入賞するかのように見せ、入賞に関する情報の報知とあわせて賞球の獲得に対する満足感を与えるようにしている。
【００３２】
以上のことから、所定の入賞領域は、一般入賞口３５であることとなる。また、普通変動入賞装置３７は、閉状態で遊技球を保持可能であるとともに開状態への変換に伴い遊技球の保持が解除される保持部３７ｅを備え、普通変動入賞装置３７の下流側であって、開状態への変換に伴い保持部３７ｅでの保持が解除された遊技球が流下する位置に所定の入賞領域をなす一般入賞口３５を設けていることとなる。
【００３３】
また、所定の入賞領域の下流側に特別変動入賞装置３８を配し、当該所定の入賞領域に入賞した遊技球を排出するための排出経路８３を、当該所定の入賞領域から特別変動入賞装置３８へ向けて配設し、排出経路８３は、流下する遊技球が遊技者から視認可能であることとなる。
【００３４】
図６には、特別遊技状態における報知例を示した。特別遊技状態では表示装置４１において、大当り図柄（特別結果の種類）、実行中のラウンド数、当該ラウンドで特別変動入賞装置３８に入賞した遊技球の数であるカウント数が表示される。さらに、実行中の特別遊技状態で特別変動入賞装置３８への入賞に基づき払い出された遊技球（賞球）の数を大入賞口ボーナスとして表示し、実行中の特別遊技状態で一般入賞口３５への入賞に基づき払い出された遊技球（賞球）の数をおまけボーナスとして表示する。
【００３５】
このように、従来入賞したことも気づきにくい一般入賞口３５への入賞に関する情報を表示することで、当該入賞領域に入賞させようと遊技者は思うようになるので興趣を高めることができる。また一般入賞口３５に入賞したことを遊技者に認識させることができ、特別遊技状態における特別変動入賞装置３８以外の入賞領域への入賞による賞球の獲得に対して満足感を与え、より遊技の興趣を高めることができる。
【００３６】
図７には時短状態における報知例を示した。図７（ａ）に示すように、表示装置４１では、特図変動表示ゲームに対応して複数の識別情報を変動表示する飾り特図変動表示ゲームが表示される。また、時短状態では表示装置４１において、時短状態で実行可能な特図変動表示ゲームの実行回数であるチャンスタイム残り回数が表示される。さらに、当該時短状態において一般入賞口３５への入賞に基づき払い出された遊技球（賞球）の数をおまけボーナスとして表示する。これにより、時短状態での賞球の獲得に対して満足感を与えることができ、遊技の興趣を高めることができる。
【００３７】
また、図７（ｂ）、（ｃ）に示すようにリーチ状態が発生し、図７（ｄ）に示すようにＳＰリーチに発展して演出画像が表示された場合は、チャンスタイム残り回数の表示とおまけボーナスの表示を一旦終了する。そして、図７（ｅ）に示すように結果がはずれとなり、図７（ｆ）に示すように演出画像の表示が終了すると、チャンスタイム残り回数の表示とおまけボーナスの表示が再び行われる。このとき、おまけボーナスでの表示数は演出画像の表示前における表示数が表示され、演出画像の表示中に発生した一般入賞口３５への入賞に基づき払い出された遊技球（賞球）の数は未だ加算されていない。
【００３８】
その後、図７（ｇ）に示すように、演出画像の表示中に発生した一般入賞口３５への入賞に基づき払い出された遊技球（賞球）の数が報知され、図７（ｈ）に示すようにおまけボーナスの表示数に加算される。このように、リーチ状態中に発生した一般入賞口３５への入賞に基づき払い出された遊技球（賞球）の数をリーチ状態の終了後に報知するようにしたことで、結果がはずれであっても遊技者に賞球を獲得した達成感を与えることができ、遊技の興趣を向上することができる。また、リーチがはずれた落胆だけで終わらないのでその後の遊技にも意欲的に参加することが可能となる。
【００３９】
また、遊技領域３２の外側には、特図変動表示ゲームをなす第１特図変動表示ゲームや第２特図変動表示ゲーム及び普図始動ゲート３４への入賞をトリガとする普図変動表示ゲームを一箇所で実行する一括表示装置５０（図８参照）が設けられている。
【００４０】
一括表示装置５０は、７セグメント型の表示器（ＬＥＤランプ）等で構成された第１特図変動表示ゲーム用の第１特図変動表示部（特図１表示器）及び第２特図変動表示ゲーム用の第２特図変動表示部（特図２表示器）と、ＬＥＤランプで構成された普図変動表示ゲーム用の変動表示部（普図表示器）と、同じくＬＥＤランプで構成された各変動表示ゲームの始動記憶数報知用の記憶表示部を備える。また、一括表示装置５０には、大当りが発生すると点灯して大当り発生を報知する第１遊技状態表示部（第１遊技状態表示器）、時短状態が発生すると点灯して時短状態発生を報知する第２遊技状態表示部（第２遊技状態表示器）、遊技機１０の電源投入時に大当りの確率状態が高確率状態となっているエラーを表示するエラー表示部（第３遊技状態表示器）、大当り時のラウンド数（特別変動入賞装置３８の開閉回数）を表示するラウンド表示部が設けられている。
【００４１】
特図１表示器と特図２表示器における特図変動表示ゲームは、例えば変動表示ゲームの実行中、即ち、表示装置４１において飾り特図変動表示ゲームを行っている間は、中央のセグメントを点滅駆動させて変動中であることを表示する。そして、ゲームの結果が「はずれ」のときは、はずれの結果態様として例えば中央のセグメントを点灯状態にし、ゲームの結果が「当り」のときは、当りの結果態様（特別結果態様）としてはずれの結果態様以外の結果態様（例えば「３」や「７」の数字）を点灯状態にしてゲーム結果を表示する。
【００４２】
普図表示器は、変動中はランプを点滅させて変動中であることを表示する。そして、ゲームの結果が「はずれ」のときは、例えばランプを消灯状態にし、ゲームの結果が「当り」のときはランプを点灯状態にしてゲーム結果を表示する。
【００４３】
特図１保留表示器は、特図１表示器５１の変動開始条件となる始動入賞口３６への入賞球数のうち未消化の球数（始動記憶数＝保留数）を表示する。具体的には、保留数が「０」のときは４つのランプを全て消灯状態にし、保留数が「１」のときはランプ１のみを点灯状態にする。また、保留数が「２」のときはランプ１と２を点灯状態にし、保留数が「３」のときはランプ１と２と３を点灯状態にし、保留数が「４」のときは４つのランプ１〜４をすべて点灯状態にする。特図２保留表示器は、特図２表示器の変動開始条件となる第２始動入賞口（普通変動入賞装置３７）の始動記憶数（＝保留数）を、特図１保留表示器と同様にして表示する。
【００４４】
普図保留表示器は、普図表示器の変動開始条件となる普図始動ゲート３４の始動記憶数（＝保留数）を表示する。例えば保留数が「０」のときはランプ１と２を消灯状態にし、保留数が「１」のときはランプ１のみを点灯状態にする。また、保留数が「２」のときはランプ１と２を点灯状態にし、保留数が「３」のときはランプ１を点滅、ランプ２を点灯状態にし、保留数が「４」のときはランプ１と２を点滅状態にする。
【００４５】
第１遊技状態表示器は、例えば通常の遊技状態の場合にはランプを消灯状態にし、大当りが発生している場合にはランプを点灯状態にする。第２遊技状態表示器は、例えば通常の遊技状態の場合にはランプを消灯状態にし、時短状態が発生している場合にはランプを点灯状態にする。
【００４６】
エラー表示器は、例えば遊技機１０の電源投入時に大当りの確率状態が低確率状態の場合にはランプを消灯状態にし、遊技機１０の電源投入時に大当りの確率状態が高確率状態の場合にはランプを点灯状態にする。
【００４７】
ラウンド表示部は、例えば、通常の遊技状態の場合にはランプを消灯状態にし、大当りが発生した場合にはその大当りのラウンド数に対応するランプを点灯状態にする。なお、ラウンド表示部は７セグメント型の表示器で構成してもよい。
【００４８】
本実施形態の遊技機１０では、図示しない発射装置から遊技領域３２に向けて遊技球（パチンコ球）が打ち出されることによって遊技が行われる。打ち出された遊技球は、遊技領域３２内の各所に配置された障害釘や風車等の方向転換部材によって転動方向を変えながら遊技領域３２を流下し、普図始動ゲート３４、一般入賞口３５、始動入賞口３６、普通変動入賞装置３７又は特別変動入賞装置３８に入賞するか、遊技領域３２の最下部に設けられたアウト口３９へ流入し遊技領域から排出される。そして、一般入賞口３５、始動入賞口３６、普通変動入賞装置３７又は特別変動入賞装置３８に遊技球が入賞すると、入賞した入賞口の種類に応じた数の賞球が、払出制御装置２００によって制御される払出ユニットから、前面枠１２の上皿２１又は下皿２３に排出される。
【００４９】
一方、普図始動ゲート３４内には、該普図始動ゲート３４を通過した遊技球を検出するための非接触型のスイッチなどからなるゲートスイッチ３４ａ（図８参照）が設けられており、遊技領域３２内に打ち込まれた遊技球が普図始動ゲート３４内を通過すると、ゲートスイッチ３４ａにより検出されて普図変動表示ゲームが行われる。また、普図変動表示ゲームを開始できない状態、例えば、既に普図変動表示ゲームが行われ、その普図変動表示ゲームが終了していない状態や、普図変動表示ゲームが当って普通変動入賞装置３７が開状態に変換されている場合に、普図始動ゲート３４を遊技球が通過すると、普図始動記憶数の上限数未満でならば、普図始動記憶数が加算（＋１）されて普図始動記憶が１つ記憶されることとなる。この普図始動入賞の記憶数は、一括表示装置５０の普図保留表示器に表示される。また、普図始動記憶には、普図変動表示ゲームの当りはずれを決定するための当り判定用乱数値が記憶されるようになっていて、この当り判定用乱数値が判定値と一致した場合に、当該普図変動表示ゲームが当りとなって特定の結果態様（普図特定結果）が導出されることとなる。
【００５０】
普図変動表示ゲームは、一括表示装置５０に設けられた変動表示部（普図表示器）で実行されるようになっている。普図表示器は、普通識別情報（普図、普通図柄）として点灯状態の場合に当たりを示し、消灯状態の場合にはずれを示すＬＥＤから構成され、このＬＥＤを点滅表示することで普通識別情報の変動表示を行い、所定の変動表示時間の経過後、ＬＥＤを点灯又は消灯することで結果を表示するようになっている。なお、普通識別情報として例えば数字、記号、キャラクタ図柄などを用い、これを所定時間変動表示させた後、停止表示させることにより行うように構成しても良い。
【００５１】
普図始動ゲート３４への通過検出時に抽出した普図乱数値が当たり値であるときには、普図変動表示ゲームの停止表示が普図特定結果となり普図の当りとなって、内蔵されている普電ソレノイド３７ｃ（図８参照）が駆動されることにより、普通変動入賞装置３７の可動部材３７ｂが所定時間（例えば、０．３秒間）開放される開状態となる。これにより、普通変動入賞装置３７の内部の第２始動入賞口へ遊技球が入賞し易くなり、第２特図変動表示ゲームが実行される回数が多くなる。
【００５２】
始動入賞口３６への入賞球及び普通変動入賞装置３７への入賞球は、それぞれは内部に設けられた始動口１スイッチ３６ａと始動口２スイッチ３７ａによって検出される。始動入賞口３６へ入賞した遊技球は第１特図変動表示ゲームの始動入賞球として検出され、第１始動記憶として４個を限度に記憶されるとともに、普通変動入賞装置３７へ入賞した遊技球は第２特図変動表示ゲームの始動入賞球として検出され、第２始動記憶として４個を限度に記憶される。また、この始動入賞球の検出時にそれぞれ大当り乱数値や大当り図柄乱数値、並びに各変動パターン乱数値が抽出され、抽出された乱数値は、遊技制御装置１００（図８参照）内の特図記憶領域（ＲＡＭの一部）に特図始動記憶として各々所定回数（例えば、最大で４回分）を限度に記憶される。そして、この特図始動記憶の記憶数は、一括表示装置５０の始動入賞数報知用の記憶表示部（特図１保留表示器、特図２保留表示器）に表示されるとともに、センターケース４０の表示装置４１においても飾り特図始動記憶表示として表示される。
【００５３】
遊技制御装置１００は、始動入賞口３６若しくは普通変動入賞装置３７への入賞、又はそれらの始動記憶に基づいて、特図表示器（変動表示装置）で第１又は第２特図変動表示ゲームを行う。第１特図変動表示ゲーム及び第２特図変動表示ゲームは、複数の特別図柄（特図、識別情報）を変動表示したのち、所定の結果態様を停止表示することで行われる。また、表示装置４１（変動表示装置）にて各特図変動表示ゲームに対応して複数種類の識別情報（例えば、数字、記号、キャラクタ図柄など）を変動表示させる飾り特図変動表示ゲームが実行されるようになっている。そして、特図変動表示ゲームの結果として、特図１表示器若しくは特図２表示器の表示態様が特別結果態様（特別結果）となった場合には、大当りとなって特別遊技状態（いわゆる、大当り状態）となる。また、これに対応して表示装置４１の表示態様（停止結果態様）も特別結果態様となる。
【００５４】
表示装置４１における飾り特図変動表示ゲームは、例えば、まず前述した数字等で構成される飾り特別図柄（識別情報）を左変動表示領域（第一特別図柄）、右変動表示領域（第二特別図柄）、中変動表示領域（第三特別図柄）のそれぞれにおいて各図柄を識別困難な速さで変動表示（高速変動）する。そして、所定時間後に変動している図柄を左変動表示領域、右変動表示領域、中変動表示領域の順に順次停止させて、左変動表示領域、右変動表示領域、中変動表示領域の各々で停止表示された識別情報により構成される停止結果態様により特図変動表示ゲームの結果を表示することで行われる。すなわち、複数の識別情報を複数列で変動表示し、複数列の識別情報の停止結果態様により結果を表示する。また、表示装置４１では、特図始動記憶数に対応する飾り特別図柄による変動表示ゲームを行うとともに、興趣向上のためにキャラクタの出現など多様な演出表示が行われる。
【００５５】
なお、特図１表示器、特図２表示器は、別々の表示器でも良いし同一の表示器でも良いが、各々独立して、また、同時には実行しないように各特図変動表示ゲームが表示される。また、表示装置４１も、第１特図変動表示ゲームと第２特図変動表示ゲームで別々の表示装置や別々の表示領域を使用するとしても良いし、同一の表示装置や表示領域を使用するとしても良いが、各々独立して、また、同時には実行しないように飾り特図変動表示ゲームが表示される。また、遊技機１０に特図１表示器、特図２表示器を備えずに、表示装置４１のみで特図変動表示ゲームを実行するようにしても良い。また、第２特図変動表示ゲームは、第１特図変動表示ゲームよりも優先して実行されるようになっている。即ち、第１特図変動表示ゲームと第２特図変動表示ゲームの始動記憶がある場合であって、特図変動表示ゲームの実行が可能となった場合は、第２特図変動表示ゲームが実行されるようになっている。
【００５６】
また、第１特図変動表示ゲーム（第２特図変動表示ゲーム）が開始可能な状態で、且つ、始動記憶数が０の状態で、始動入賞口３６（若しくは、普通変動入賞装置３７）に遊技球が入賞すると、始動権利の発生に伴って始動記憶が記憶されて、始動記憶数が１加算されるととともに、直ちに始動記憶に基づいて、第１特図変動表示ゲーム（第２特図変動表示ゲーム）が開始され、この際に始動記憶数が１減算される。一方、第１特図変動表示ゲーム（第２特図変動表示ゲーム）が直ちに開始できない状態、例えば、既に第１若しくは第２特図変動表示ゲームが行われ、その特図変動表示ゲームが終了していない状態や、特別遊技状態となっている場合に、始動入賞口３６（若しくは、普通変動入賞装置３７）に遊技球が入賞すると、始動記憶数が上限数未満ならば、始動記憶数が１加算されて始動記憶が１つ記憶されることになる。そして、始動記憶数が１以上となった状態で、第１特図変動表示ゲーム（第２特図変動表示ゲーム）が開始可能な状態（前回の特図変動表示ゲームの終了若しくは特別遊技状態の終了）となると、始動記憶数が１減算されるとともに、記憶された始動記憶に基づいて第１特図変動表示ゲーム（第２特図変動表示ゲーム）が開始される。以下の説明においては、第１特図変動表示ゲームと第２特図変動表示ゲームを区別しない場合は、単に特図変動表示ゲームと称する。
【００５７】
なお、特に限定されるわけではないが、上記始動入賞口３６内の始動口１スイッチ３６ａ、普通変動入賞装置３７内の始動口２スイッチ３７ａ、ゲートスイッチ３４ａ、入賞口スイッチ３５ａ、カウントスイッチ３８ａには、磁気検出用のコイルを備え該コイルに金属が近接すると磁界が変化する現象を利用して遊技球を検出する非接触型の磁気近接センサ（以下、近接スイッチと称する）が使用されている。遊技機１０のガラス枠１５等に設けられた前枠開放検出スイッチ６３や前面枠（遊技枠）１２等に設けられた遊技枠開放検出スイッチ６４には、機械的な接点を有するマイクロスイッチを用いることができる。
【００５８】
図８は、本実施形態のパチンコ遊技機１０の制御システムのブロック図である。遊技機１０は遊技制御装置１００を備え、遊技制御装置１００は、遊技を統括的に制御する主制御装置（主基板）であって、遊技用マイクロコンピュータ（以下、遊技用マイコンと称する）１１１を有するＣＰＵ部１１０と、入力ポートを有する入力部１２０と、出力ポートやドライバなどを有する出力部１３０、ＣＰＵ部１１０と入力部１２０と出力部１３０との間を接続するデータバス１４０などからなる。
【００５９】
上記ＣＰＵ部１１０は、アミューズメントチップ（ＩＣ）と呼ばれる遊技用マイコン（ＣＰＵ）１１１と、入力部１２０内の近接スイッチ用のインタフェースチップ（近接Ｉ／Ｆ）１２１からの信号（始動入賞検出信号）を論理反転して遊技用マイコン１１１に入力させるインバータなどからなる反転回路１１２と、水晶振動子のような発振子を備え、ＣＰＵの動作クロックやタイマ割込み、乱数生成回路の基準となるクロックを生成する発振回路（水晶発振器）１１３などを有する。遊技制御装置１００及び該遊技制御装置１００によって駆動されるソレノイドやモータなどの電子部品には、電源装置４００で生成されたＤＣ３２Ｖ，ＤＣ１２Ｖ，ＤＣ５Ｖなど所定のレベルの直流電圧が供給されて動作可能にされる。
【００６０】
電源装置４００は、２４Ｖの交流電源から上記ＤＣ３２Ｖの直流電圧を生成するＡＣ−ＤＣコンバータやＤＣ３２Ｖの電圧からＤＣ１２Ｖ，ＤＣ５Ｖなどのより低いレベルの直流電圧を生成するＤＣ−ＤＣコンバータなどを有する通常電源部４１０と、遊技用マイコン１１１の内部のＲＡＭに対して停電時に電源電圧を供給するバックアップ電源部４２０と、停電監視回路や初期化スイッチを有し遊技制御装置１００に停電の発生、回復を知らせる停電監視信号や初期化スイッチ信号、リセット信号などの制御信号を生成して出力する制御信号生成部４３０などを備える。
【００６１】
この実施形態では、電源装置４００は、遊技制御装置１００と別個に構成されているが、バックアップ電源部４２０及び制御信号生成部４３０は、別個の基板上あるいは遊技制御装置１００と一体、即ち、主基板上に設けるように構成してもよい。遊技盤３０及び遊技制御装置１００は機種変更の際に交換の対象となるので、実施例のように、電源装置４００若しくは主基板とは別の基板にバックアップ電源部４２０及び制御信号生成部４３０を設けることにより、交換の対象から外しコストダウンを図ることができる。
【００６２】
上記バックアップ電源部４２０は、電解コンデンサのような大容量のコンデンサ１つで構成することができる。バックアップ電源は、遊技制御装置１００の遊技用マイコン１１１（特に内蔵ＲＡＭ）に供給され、停電中あるいは電源遮断後もＲＡＭに記憶されたデータが保持されるようになっている。制御信号生成部４３０は、例えば通常電源部４１０で生成された３２Ｖの電圧を監視してそれが例えば１７Ｖ以下に下がると停電発生を検出して停電監視信号を変化させるとともに、所定時間後にリセット信号を出力する。また、電源投入時や停電回復時にもその時点から所定時間経過後にリセット信号を出力する。
【００６３】
初期化スイッチ信号は初期化スイッチがオン状態にされたときに生成される信号で、遊技用マイコン１１１内のＲＡＭ１１１Ｃ及び払出制御装置２００内のＲＡＭに記憶されている情報を強制的に初期化する。特に限定されるわけではないが初期化スイッチ信号は電源投入時に読み込まれ、停電監視信号は遊技用マイコン１１１が実行するメインプログラムのメインループの中で繰り返し読み込まれる。リセット信号は強制割込み信号の一種であり、制御システム全体をリセットさせる。
【００６４】
遊技用マイコン１１１は、ＣＰＵ（中央処理ユニット：マイクロプロセッサ）１１１Ａ、読出し専用のＲＯＭ（リードオンリメモリ）１１１Ｂ及び随時読出し書込み可能なＲＡＭ（ランダムアクセスメモリ）１１１Ｃを備える。
【００６５】
ＲＯＭ１１１Ｂは、遊技制御のための不変の情報（プログラム、固定データ、各種乱数の判定値等）を不揮発的に記憶し、ＲＡＭ１１１Ｃは、遊技制御時にＣＰＵ１１１Ａの作業領域や各種信号や乱数値の記憶領域として利用される。ＲＯＭ１１１Ｂ又はＲＡＭ１１１Ｃとして、ＥＥＰＲＯＭのような電気的に書換え可能な不揮発性メモリを用いてもよい。
【００６６】
また、ＲＯＭ１１１Ｂは、例えば、特図変動表示ゲームの実行時間、演出内容、リーチ状態の発生の有無などを規定する変動パターン（変動態様）を決定するための変動パターンテーブルを記憶している。変動パターンテーブルとは、始動記憶として記憶されている変動パターン乱数１〜３をＣＰＵ１１１Ａが参照して変動パターンを決定するためのテーブルである。また、変動パターンテーブルには、結果がはずれとなる場合に選択されるはずれ変動パターンテーブル、結果が大当りとなる場合に選択される大当り変動パターンテーブル等が含まれる。さらに、これらのパターンテーブルには、後半変動パターンテーブル、前半変動パターンテーブルが含まれている。
【００６７】
また、リーチ（リーチ状態）とは、表示状態が変化可能な表示装置を有し、該表示装置が時期を異ならせて複数の表示結果を導出表示し、該複数の表示結果が予め定められた特別結果態様となった場合に、遊技状態が遊技者にとって有利な遊技状態（特別遊技状態）となる遊技機１０において、複数の表示結果の一部がまだ導出表示されていない段階で、既に導出表示されている表示結果が特別結果態様となる条件を満たしている表示状態をいう。また、別の表現をすれば、リーチ状態とは、表示装置の変動表示制御が進行して表示結果が導出表示される前段階にまで達した時点でも、特別結果態様となる表示条件からはずれていない表示態様をいう。そして、例えば、特別結果態様が揃った状態を維持しながら複数の変動表示領域による変動表示を行う状態（いわゆる全回転リーチ）もリーチ状態に含まれる。また、リーチ状態とは、表示装置の表示制御が進行して表示結果が導出表示される前段階にまで達した時点での表示状態であって、表示結果が導出表示される以前に決定されている複数の変動表示領域の表示結果の少なくとも一部が特別結果態様となる条件を満たしている場合の表示状態をいう。
【００６８】
よって、例えば、特図変動表示ゲームに対応して表示装置に表示される飾り特図変動表示ゲームが、表示装置における左、中、右の変動表示領域の各々で所定時間複数の識別情報を変動表示した後、左、右、中の順で変動表示を停止して結果態様を表示するものである場合、左、右の変動表示領域で、特別結果態様となる条件を満たした状態（例えば、同一の識別情報）で変動表示が停止した状態がリーチ状態となる。またこの他に、すべての変動表示領域の変動表示を一旦停止した時点で、左、中、右のうち何れか二つの変動表示領域で特別結果態様となる条件を満たした状態（例えば、同一の識別情報となった状態、ただし特別結果態様は除く）をリーチ状態とし、このリーチ状態から残りの一つの変動表示領域を変動表示するようにしても良い。そして、このリーチ状態には複数のリーチ演出が含まれ、特別結果態様が導出される可能性が異なる（信頼度が異なる）リーチ演出として、ノーマルリーチ（Ｎリーチ）、スペシャル１リーチ（ＳＰ１リーチ）、スペシャル２リーチ（ＳＰ２リーチ）、スペシャル３リーチ（ＳＰ３リーチ）、プレミアリーチが設定されている。なお、信頼度は、リーチなし＜ノーマルリーチ＜スペシャル１リーチ＜スペシャル２リーチ＜スペシャル３リーチ＜プレミアリーチの順に高くなるようになっている。また、このリーチ状態は、少なくとも特図変動表示ゲームで特別結果態様が導出される場合（大当りとなる場合）における変動表示態様に含まれるようになっている。即ち、特図変動表示ゲームで特別結果態様が導出されないと判定する場合（はずれとなる場合）における変動表示態様に含まれることもある。よって、リーチ状態が発生した状態は、リーチ状態が発生しない場合に比べて大当りとなる可能性の高い状態である。
【００６９】
ＣＰＵ１１１Ａは、ＲＯＭ１１１Ｂ内の遊技制御用プログラムを実行して、払出制御装置２００や演出制御装置３００に対する制御信号（コマンド）を生成したりソレノイドや表示装置の駆動信号を生成して出力して遊技機１０全体の制御を行う。また、図示しないが、遊技用マイコン１１１は、特図変動表示ゲームの大当り判定用乱数や大当りの図柄を決定するための大当り図柄用乱数、特図変動表示ゲームでの変動パターン（各種リーチやリーチ無しの変動表示における変動表示ゲームの実行時間等を含む）を決定するための変動パターン乱数、普図変動表示ゲームの当り判定用乱数等を生成するための乱数生成回路と、発振回路１１３からの発振信号（原クロック信号）に基づいてＣＰＵ１１１Ａに対する所定周期（例えば、４ミリ秒）のタイマ割込み信号や乱数生成回路の更新タイミングを与えるクロックを生成するクロックジェネレータを備えている。
【００７０】
また、ＣＰＵ１１１Ａは、後述する特図ゲーム処理における始動口スイッチ監視処理（ステップＡ１）や特図普段処理（ステップＡ９）にて、ＲＯＭ１１１Ｂに記憶されている複数の変動パターンテーブルの中から、何れか一の変動パターンテーブルを取得する。具体的には、ＣＰＵ１１１Ａは、特図変動表示ゲームの遊技結果（大当り或いははずれ）や、現在の遊技状態としての特図変動表示ゲームの確率状態（通常確率状態或いは高確率状態）、現在の遊技状態としての普通変動入賞装置３７の動作状態（通常動作状態或いは時短動作状態）、始動記憶数などに基づいて、複数の変動パターンテーブルの中から、何れか一の変動パターンテーブルを選択して取得する。ここで、ＣＰＵ１１１Ａは、特図変動表示ゲームを実行する場合に、ＲＯＭ１１１Ｂに記憶された複数の変動パターンテーブルのうち、何れか一の変動パターンテーブルを取得する変動振り分け情報取得手段をなす。
【００７１】
払出制御装置２００は、図示しないが、ＣＰＵ、ＲＯＭ、ＲＡＭ、入力インタフェース、出力インタフェース等を備え、遊技制御装置１００からの賞球払出し指令（コマンドやデータ）に従って、払出ユニットの払出モータを駆動させ、賞球を払い出させるための制御を行う。また、払出制御装置２００は、カードユニットからの貸球要求信号に基づいて払出ユニットの払出モータを駆動させ、貸球を払い出させるための制御を行う。
【００７２】
遊技用マイコン１１１の入力部１２０には、始動入賞口３６内の始動口１スイッチ３６ａ、普通変動入賞装置３７内の始動口２スイッチ３７ａ、普図始動ゲート３４内のゲートスイッチ３４ａ、入賞口スイッチ３５ａ、カウントスイッチ３８ａに接続され、これらのスイッチから供給されるハイレベルが１１Ｖでロウレベルが７Ｖのような負論理の信号が入力され、０Ｖ−５Ｖの正論理の信号に変換するインタフェースチップ（近接Ｉ／Ｆ）１２１が設けられている。近接Ｉ／Ｆ１２１は、入力の範囲が７Ｖ−１１Ｖとされることで、近接スイッチのリード線が不正にショートされたり、スイッチがコネクタから外されたり、リード線が切断されてフローティングになったような異常な状態を検出することができ、異常検知信号を出力するように構成されている。
【００７３】
近接Ｉ／Ｆ１２１の出力はすべて第２入力ポート１２２へ供給されデータバス１４０を介して遊技用マイコン１１１に読み込まれるとともに、主基板１００から中継基板７０を介して図示しない試射試験装置へ供給されるようになっている。また、近接Ｉ／Ｆ１２１の出力のうち始動口１スイッチ３６ａと始動口２スイッチ３７ａの検出信号は、第２入力ポート１２２の他、反転回路１１２を介して遊技用マイコン１１１へ入力されるように構成されている。反転回路１１２を設けているのは、遊技用マイコン１１１の信号入力端子が、マイクロスイッチなどからの信号が入力されることを想定し、かつ負論理、即ち、ロウレベル（０Ｖ）を有効レベルとして検知するように設計されているためである。
【００７４】
従って、始動口１スイッチ３６ａと始動口２スイッチ３７ａとしてマイクロスイッチを使用する場合には、反転回路１１２を設けずに直接遊技用マイコン１１１へ検出信号を入力させるように構成することができる。つまり、始動口１スイッチ３６ａと始動口２スイッチ３７ａからの負論理の信号を直接遊技用マイコン１１１へ入力させたい場合には、近接スイッチを使用することはできない。上記のように近接Ｉ／Ｆ１２１は、信号のレベル変換機能を有する。このようなレベル変換機能を可能にするため、近接Ｉ／Ｆ１２１には、電源装置４００から通常のＩＣの動作に必要な例えば５Ｖのような電圧の他に、１２Ｖの電圧が供給されるようになっている。
【００７５】
また、入力部１２０には、遊技機１０の前面枠１２等に設けられた不正検出用の磁気センサスイッチ６１及び振動センサスイッチ６２からの信号及び上記近接Ｉ／Ｆ１２１により変換された始動入賞口３６内の始動口１スイッチ３６ａ、普通変動入賞装置３７内の始動口２スイッチ３７ａ、ゲートスイッチ３４ａ、入賞口スイッチ３５ａ、カウントスイッチ３８ａからの信号を取り込んでデータバス１４０を介して遊技用マイコン１１１に供給する第２入力ポート１２２が設けられている。第２入力ポート１２２が保持しているデータは、遊技用マイコン１１１が第２入力ポート１２２に割り当てられているアドレスをデコードすることによってイネーブル信号ＣＥ１をアサート（有効レベルに変化）することよって、読み出すことができる。後述の他のポートも同様である。
【００７６】
さらに、入力部１２０には、遊技機１０のガラス枠１５等に設けられた前枠開放検出スイッチ６３及び前面枠（遊技枠）１２等に設けられた遊技枠開放検出スイッチ６４からの信号及び払出制御装置２００からの払出異常を示すステータス信号や払出し前の遊技球の不足を示すシュート球切れスイッチ信号、オーバーフローを示すオーバーフロースイッチ信号を取り込んでデータバス１４０を介して遊技用マイコン１１１に供給する第１入力ポート１２３が設けられている。オーバーフロースイッチ信号は、下皿２３に遊技球が所定量以上貯留されていること（満杯になったこと）を検出したときに出力される信号である。
【００７７】
また、入力部１２０には、電源装置４００からの停電監視信号や初期化スイッチ信号、リセット信号などの信号を遊技用マイコン１１１等に入力するためのシュミットトリガ回路１２４が設けられており、シュミットトリガ回路１２４はこれらの入力信号からノイズを除去する機能を有する。電源装置４００からの信号のうち停電監視信号と初期化スイッチ信号は、一旦第１入力ポート１２３に入力され、データバス１４０を介して遊技用マイコン１１１に取り込まれる。つまり、前述の各種スイッチからの信号と同等の信号として扱われる。遊技用マイコン１１１に設けられている外部からの信号を受ける端子の数には制約があるためである。
【００７８】
一方、シュミットトリガ回路１２４によりノイズ除去されたリセット信号ＲＳＴは、遊技用マイコン１１１に設けられているリセット端子に直接入力されるとともに、出力部１３０の各ポートに供給される。また、リセット信号ＲＳＴは出力部１３０を介さずに直接中継基板７０に出力することで、試射試験装置へ出力するために中継基板７０のポート（図示省略）に保持される試射試験信号をオフするように構成されている。また、リセット信号ＲＳＴを中継基板７０を介して試射試験装置へ出力可能に構成するようにしてもよい。なお、リセット信号ＲＳＴは入力部１２０の各ポート１２２，１２３には供給されない。リセット信号ＲＳＴが入る直前に遊技用マイコン１１１によって出力部１３０の各ポートに設定されたデータはシステムの誤動作を防止するためリセットする必要があるが、リセット信号ＲＳＴが入る直前に入力部１２０の各ポートから遊技用マイコン１１１が読み込んだデータは、遊技用マイコン１１１のリセットによって廃棄されるためである。
【００７９】
出力部１３０は、データバス１４０に接続され払出制御装置２００へ出力する４ビットのデータ信号とデータの有効／無効を示す制御信号（データストローブ信号）及び演出制御装置３００へ出力するデータストローブ信号ＳＳＴＢを生成する第１出力ポート１３１と、演出制御装置３００へ出力する８ビットのデータ信号を生成する第２出力ポート１３２とを備える。遊技制御装置１００から払出制御装置２００及び演出制御装置３００へは、パラレル通信でデータが送信される。また、出力部１３０には、演出制御装置３００の側から遊技制御装置１００へ信号を入力できないようにするため、即ち、片方向通信を担保するために第１出力ポート１３１からの上記データストローブ信号ＳＳＴＢ及び第２出力ポート１３２からの８ビットのデータ信号を出力する単方向のバッファ１３３が設けられている。なお、第１出力ポート１３１から払出制御装置２００へ出力する信号に対してもバッファを設けるようにしてもよい。
【００８０】
さらに、出力部１３０には、データバス１４０に接続され図示しない認定機関の試射試験装置へ変動表示ゲームの特図図柄情報を知らせるデータや大当りの確率状態を示す信号などを中継基板７０を介して出力するバッファ１３４が実装可能に構成されている。このバッファ１３４は遊技店に設置される実機（量産販売品）としてのパチンコ遊技機の遊技制御装置（主基板）には実装されない部品である。なお、前記近接Ｉ／Ｆ１２１から出力される始動口スイッチなど加工の必要のないスイッチの検出信号は、バッファ１３４を通さずに中継基板７０を介して試射試験装置へ供給される。
【００８１】
一方、磁気センサスイッチ６１や振動センサスイッチ６２のようにそのままでは試射試験装置へ供給できない検出信号は、一旦遊技用マイコン１１１に取り込まれて他の信号若しくは情報に加工されて、例えば遊技機が遊技制御できない状態であることを示すエラー信号としてデータバス１４０からバッファ１３４、中継基板７０を介して試射試験装置へ供給される。なお、中継基板７０には、上記バッファ１３４から出力された信号を取り込んで試射試験装置へ供給するポートや、バッファを介さないスイッチの検出信号の信号線を中継して伝達するコネクタなどが設けられている。中継基板７０上のポートには、遊技用マイコン１１１から出力されるチップイネーブル信号ＣＥも供給され、該信号ＣＥにより選択制御されたポートの信号が試射試験装置へ供給されるようになっている。
【００８２】
また、出力部１３０には、データバス１４０に接続され特別変動入賞装置３８を開成させるソレノイド（大入賞口ソレノイド）３８ｂや普通変動入賞装置３７の可動部材３７ｂを開成させるソレノイド（普電ソレノイド）３７ｃの開閉データと、一括表示装置５０のＬＥＤのカソード端子が接続されているデジット線のオン／オフデータを出力するための第３出力ポート１３５、一括表示装置５０に表示する内容に応じてＬＥＤのアノード端子が接続されているセグメント線のオン／オフデータを出力するための第４出力ポート１３６、大当り情報など遊技機１０に関する情報を外部情報端子７１へ出力するための第５出力ポート１３７が設けられている。外部情報端子７１から出力された遊技機１０に関する情報は、例えば遊技店に設置された情報収集端末や遊技場内部管理装置（図示省略）に供給される。
【００８３】
さらに、出力部１３０には、第３出力ポート１３５から出力される大入賞口ソレノイド３８ｂの開閉データ信号を受けてソレノイド駆動信号や普電ソレノイド３７ｃの開閉データ信号を受けてソレノイド駆動信号を生成し出力する第１ドライバ（駆動回路）１３８ａ、第３出力ポート１３５から出力される一括表示装置５０の電流引き込み側のデジット線のオン／オフ駆動信号を出力する第２ドライバ１３８ｂ、第４出力ポート１３６から出力される一括表示装置５０の電流供給側のセグメント線のオン／オフ駆動信号を出力する第３ドライバ１３８ｃ、第５出力ポート１３７から管理装置等の外部装置へ供給する外部情報信号を外部情報端子７１へ出力する第４ドライバ１３８ｄが設けられている。
【００８４】
上記第１ドライバ１３８ａには、３２Ｖで動作するソレノイドを駆動できるようにするため、電源電圧としてＤＣ３２Ｖが電源装置４００から供給される。また、一括表示装置５０のセグメント線を駆動する第３ドライバ１３８ｃには、ＤＣ１２Ｖが供給される。デジット線を駆動する第２ドライバ１３８ｂは、表示データに応じたデジット線を電流で引き抜くためのものであるため、電源電圧は１２Ｖ又は５Ｖのいずれであってもよい。１２Ｖを出力する第３ドライバ１３８ｃによりセグメント線を介してＬＥＤのアノード端子に電流を流し込み、接地電位を出力する第２ドライバ１３８ｂによりカソード端子よりセグメント線を介して電流を引き抜くことで、ダイナミック駆動方式で順次選択されたＬＥＤに電源電圧が流れて点灯される。外部情報信号を外部情報端子７１へ出力する第４ドライバ１３８ｄは、外部情報信号に１２Ｖのレベルを与えるため、ＤＣ１２Ｖが供給される。なお、バッファ１３４や第３出力ポート１３５、第１ドライバ１３８ａ等は、遊技制御装置１００の出力部１３０、即ち、主基板ではなく、中継基板７０側に設けるようにしてもよい。
【００８５】
さらに、出力部１３０には、外部の検査装置５００へ各遊技機の識別コードやプログラムなどの情報を送信するためのフォトカプラ１３９が設けられている。フォトカプラ１３９は、遊技用マイコン１１１が検査装置５００との間でシリアル通信によってデータの送受信を行えるように双方通信可能に構成されている。なお、かかるデータの送受信は、通常の汎用マイクロプロセッサと同様に遊技用マイコン１１１が有するシリアル通信端子を利用して行われるため、入力ポート１２２，１２３のようなポートは設けられていない。
【００８６】
次に、図９を用いて、演出制御装置３００の構成について説明する。演出制御装置３００は、遊技用マイコン１１１と同様にアミューズメントチップ（ＩＣ）からなる主制御用マイコン（１ｓｔＣＰＵ）３１１と、該１ｓｔＣＰＵ３１１の制御下でもっぱら映像制御を行う映像制御用マイコン（２ｎｄＣＰＵ）３１２と、該２ｎｄＣＰＵ３１２からのコマンドやデータに従って表示装置４１への映像表示のための画像処理を行うグラフィックプロセッサとしてのＶＤＰ（Video Display Processor）３１３と、各種のメロディや効果音などをスピーカ１９ａ，１９ｂから再生させるため音の出力を制御する音源ＬＳＩ３１４を備えている。
【００８７】
上記主制御用マイコン（１ｓｔＣＰＵ）３１１と映像制御用マイコン（２ｎｄＣＰＵ）３１２には、各ＣＰＵが実行するプログラムを格納したＰＲＯＭ（プログラマブルリードオンリメモリ）からなるプログラムＲＯＭ３２１、３２２がそれぞれ接続され、ＶＤＰ３１３にはキャラクタ画像や映像データが記憶された画像ＲＯＭ３２３が接続され、音源ＬＳＩ３１４には音声データが記憶された音ＲＯＭ３２４が接続されている。主制御用マイコン（１ｓｔＣＰＵ）３１１は、遊技用マイコン１１１からのコマンドを解析し、演出内容を決定して映像制御用マイコン３１２へ出力映像の内容を指示したり、音源ＬＳＩ３１４への再生音の指示、装飾ランプの点灯、モータの駆動制御、演出時間の管理などの処理を実行する。主制御用マイコン（１ｓｔＣＰＵ）３１１と映像制御用マイコン（２ｎｄＣＰＵ）３１２の作業領域を提供するＲＡＭは、それぞれのチップ内部に設けられている。なお、作業領域を提供するＲＡＭはチップの外部に設けるようにしてもよい。
【００８８】
特に限定されるわけではないが、主制御用マイコン（１ｓｔＣＰＵ）３１１と映像制御用マイコン（２ｎｄＣＰＵ）３１２との間、主制御用マイコン（１ｓｔＣＰＵ）３１１と音源ＬＳＩ３１４との間は、それぞれシリアル方式でデータの送受信が行われ、映像制御用マイコン（２ｎｄＣＰＵ）３１２との間、主制御用マイコン（１ｓｔＣＰＵ）３１１とＶＤＰ３１３との間は、パラレル方式でデータの送受信が行われるように構成されている。パラレル方式でデータを送受信することで、シリアルの場合よりも短時間にコマンドやデータを送信することができる。ＶＤＰ３１３には、画像ＲＯＭ３２３から読み出されたキャラクタなどの画像データを展開したり加工したりするのに使用される超高速なＶＲＡＭ（ビデオＲＡＭ）３１３ａや、画像を拡大、縮小処理するためのスケーラ３１３ｂ、ＬＶＤＳ（小振幅信号伝送）方式で表示装置４１へ送信する映像信号を生成する信号変換回路３１３ｃなどが設けられている。
【００８９】
ＶＤＰ３１３から主制御用マイコン３１１へは表示装置４１の映像と前面枠１２や遊技盤３０に設けられている装飾ランプの点灯を同期させるために垂直同期信号ＶＳＹＮＣが入力される。さらに、ＶＤＰ３１３から映像制御用マイコン３１２へは、ＶＲＡＭへの描画の終了等処理状況を知らせるため割込み信号ＩＮＴ０〜ｎ及び映像制御用マイコン３１２からのコマンドやデータの受信待ちの状態にあることを知らせるためのウェイト信号ＷＡＩＴが入力される。また、映像制御用マイコン３１２から主制御用マイコン３１１へは、映像制御用マイコン３１２が正常に動作していることを知らせるとともにコマンドの送信タイミングを与える同期信号ＳＹＮＣが入力される。主制御用マイコン３１１と音源ＬＳＩ３１４との間は、ハンドシェイク方式でコマンドやデータの送受信を行うために、呼び掛け（コール）信号ＣＴＳと応答（レスポンス）信号ＲＴＳが交換される。
【００９０】
なお、映像制御用マイコン（２ｎｄＣＰＵ）３１２には、主制御用マイコン（１ｓｔＣＰＵ）３１１よりも高速なつまり高価なＣＰＵが使用されている。主制御用マイコン（１ｓｔＣＰＵ）３１１とは別に映像制御用マイコン（２ｎｄＣＰＵ）３１２を設けて処理を分担させることによって、主制御用マイコン（１ｓｔＣＰＵ）３１１のみでは実現困難な大画面で動きの速い映像を表示装置４１に表示させることが可能となるとともに、映像制御用マイコン（２ｎｄＣＰＵ）３１２と同等な処理能力を有するＣＰＵを２個使用する場合に比べてコストの上昇を抑制することができる。また、ＣＰＵを２つ設けることによって、２つのＣＰＵの制御プログラムを別々に並行して開発することが可能となり、これによって新機種の開発期間を短縮することができる。
【００９１】
また、演出制御装置３００には、遊技制御装置１００から送信されてくるコマンドを受信するインタフェースチップ（コマンドＩ／Ｆ）３３１が設けられている。このコマンドＩ／Ｆ３３１を介して、遊技制御装置１００から演出制御装置３００へ送信された変動開始コマンド、客待ちデモコマンド、ファンファーレコマンド、確率情報コマンド、及びエラー指定コマンド等を、演出制御指令信号として受信する。遊技制御装置１００の遊技用マイコン１１１はＤＣ５Ｖで動作し、演出制御装置３００の主制御用マイコン（１ｓｔＣＰＵ）３１１はＤＣ３．３Ｖで動作するため、コマンドＩ／Ｆ３３１には信号のレベル変換の機能が設けられている。
【００９２】
また、演出制御装置３００には、遊技盤３０（センターケース４０を含む）に設けられているＬＥＤ（発光ダイオード）を有する盤装飾装置４２を駆動制御する盤装飾ＬＥＤ制御回路３３２、前面枠１２に設けられているＬＥＤ（発光ダイオード）を有する枠装飾装置（例えば枠装飾装置１８等）を駆動制御する枠装飾ＬＥＤ制御回路３３３、遊技盤３０（センターケース４０を含む）に設けられている盤演出装置４４（例えば表示装置４１における演出表示と協働して演出効果を高める可動役物等）を駆動制御する盤演出モータ／ＳＯＬ制御回路３３４、前面枠１２に設けられているモータ（例えば前記ムービングライト１６を動作させるモータ等）４５を駆動制御する枠演出モータ制御回路３３５が設けられている。なお、ランプやモータ及びソレノイドなどを駆動制御するこれらの制御回路３３２〜３３５は、アドレス／データバス３０４を介して主制御用マイコン（１ｓｔＣＰＵ）３１１と接続されている。
【００９３】
さらに、演出制御装置３００には、前面枠１２に設けられた演出ボタン２５に内蔵されているスイッチ２５ａや上記盤演出装置４４内のモータの初期位置を検出する演出モータスイッチのオン／オフ状態を検出して主制御用マイコン（１ｓｔＣＰＵ）３１１へ検出信号を入力するスイッチ入力回路３３６、前面枠１２に設けられた上スピーカ１９ａを駆動するオーディオパワーアンプなどからなるアンプ回路３３７ａ、前面枠１２に設けられた下スピーカ１９ｂを駆動するアンプ回路３３７ｂが設けられている。
【００９４】
電源装置４００の通常電源部４１０は、上記のような構成を有する演出制御装置３００やそれによって制御される電子部品に対して所望のレベルの直流電圧を供給するため、モータやソレノイドを駆動するためのＤＣ３２Ｖ、液晶パネルからなる表示装置４１を駆動するためのＤＣ１２Ｖ、コマンドＩ／Ｆ３３１の電源電圧となるＤＣ５Ｖの他に、ＬＥＤやスピーカを駆動するためのＤＣ１８Ｖやこれらの直流電圧の基準としたり電源モニタランプを点灯させるのに使用するＮＤＣ２４Ｖの電圧を生成するように構成されている。さらに、主制御用マイコン（１ｓｔＣＰＵ）３１１や映像制御用マイコン（２ｎｄＣＰＵ）３１２として、３．３Ｖあるいは１．２Ｖのような低電圧で動作するＬＳＩを使用する場合には、ＤＣ５Ｖに基づいてＤＣ３．３ＶやＤＣ１．２Ｖを生成するためのＤＣ−ＤＣコンバータが演出制御装置３００に設けられる。なお、ＤＣ−ＤＣコンバータは通常電源部４１０に設けるようにしてもよい。
【００９５】
電源装置４００の制御信号生成部４３０により生成されたリセット信号ＲＳＴは、主制御用マイコン３１１、映像制御用マイコン３１２、ＶＤＰ３１３、音源ＬＳＩ３１４、ランプやモータなどを駆動制御する制御回路３３２〜３３５、スピーカを駆動するアンプ回路３３７ａ、３３７ｂに供給され、これらをリセット状態にする。また、この実施例においては、映像制御用マイコン３１２の有する汎用のポートを利用して、ＶＤＰ３１３に対するリセット信号を生成して供給する機能を有するように構成されている。これにより、映像制御用マイコン３１２とＶＤＰ３１３の動作の連携性を向上させることができる。
【００９６】
次に、これらの制御回路において行われる遊技制御について説明する。遊技制御装置１００の遊技用マイコン１１１のＣＰＵ１１１Ａでは、普図始動ゲート３４に備えられたゲートスイッチ３４ａからの遊技球の検出信号の入力に基づき、普図の当り判定用乱数値を抽出してＲＯＭ１１１Ｂに記憶されている判定値と比較し、普図変動表示ゲームの当り外れを判定する処理を行う。そして、普図表示器に、識別図柄を所定時間変動表示した後、停止表示する普図変動表示ゲームを表示する処理を行う。この普図変動表示ゲームの結果が当りの場合は、普図表示器に特別の結果態様を表示するとともに、普電ソレノイド３７ｃを動作させ、普通変動入賞装置３７の可動部材３７ｂを所定時間（例えば、０．３秒間）上述のように開放する制御を行う。すなわち、遊技制御装置１００が、変換部材（可動部材３７ｂ）の変換制御を行う変換制御実行手段をなす。なお、普図変動表示ゲームの結果がはずれの場合は、普図表示器にはずれの結果態様を表示する制御を行う。
【００９７】
また、始動入賞口３６に備えられた始動口１スイッチ３６ａからの遊技球の検出信号の入力に基づき始動入賞（始動記憶）を記憶し、この始動記憶に基づき、第１特図変動表示ゲームの大当り判定用乱数値を抽出してＲＯＭ１１１Ｂに記憶されている判定値と比較し、第１特図変動表示ゲームの当り外れを判定する処理を行う。また、普通変動入賞装置３７に備えられた始動口２スイッチ３７ａからの遊技球の検出信号の入力に基づき始動記憶を記憶し、この始動記憶に基づき、第２特図変動表示ゲームの大当り判定用乱数値を抽出してＲＯＭ１１１Ｂに記憶されている判定値と比較し、第２特図変動表示ゲームの当り外れを判定する処理を行う。
【００９８】
そして、遊技制御装置１００のＣＰＵ１１１Ａは、上記の第１特図変動表示ゲームや第２特図変動表示ゲームの判定結果を含む制御信号（演出制御コマンド）を、演出制御装置３００に出力する。そして、特図１表示器や特図２表示器に、識別図柄を所定時間変動表示した後、停止表示する特図変動表示ゲームを表示する処理を行う。すなわち、遊技制御装置１００が、遊技領域３２を流下する遊技球の始動入賞領域（第１始動入賞口３６、普通変動入賞装置３７）への入賞に基づき前記変動表示ゲームの進行制御を行う遊技制御手段をなす。
【００９９】
また、演出制御装置３００では、遊技制御装置１００からの制御信号に基づき、表示装置４１で特図変動表示ゲームに対応した飾り特図変動表示ゲームを表示する処理を行う。さらに、演出制御装置３００では、遊技制御装置１００からの制御信号に基づき、演出状態（演出モード）の設定や、スピーカ１９ａ，１９ｂからの音の出力、各種ＬＥＤの発光を制御する処理等を行う。すなわち、演出制御装置３００が、遊技（変動表示ゲーム等）に関する演出を制御する演出制御手段をなす。
【０１００】
そして、遊技制御装置１００のＣＰＵ１１１Ａは、特図変動表示ゲームの結果が当りの場合は、特図１表示器や特図２表示器に特別結果態様を表示するとともに、特別遊技状態を発生させる処理を行う。特別遊技状態を発生させる処理においては、ＣＰＵ１１１Ａは、例えば、大入賞口ソレノイド３８ｂにより特別変動入賞装置３８の開閉扉３８ｃを開放させ、大入賞口内への遊技球の流入を可能とする制御を行う。そして、大入賞口に所定個数（例えば、１０個）の遊技球が入賞するか、大入賞口の開放から所定の開放可能時間（例えば、２５秒又は１．０秒）が経過するかの何れかの条件が達成されるまで大入賞口を開放することを１ラウンドとし、これを所定ラウンド回数（例えば、１５回又は２回）継続する（繰り返す）制御（サイクル遊技）を行う。すなわち、遊技制御装置１００が、停止結果態様が特別結果態様となった場合に、大入賞口を開閉する制御を行う大入賞口開閉制御手段をなす。また、特図変動表示ゲームの結果がはずれの場合は、特図１表示器や特図２表示器にはずれの結果態様を表示する制御を行う。
【０１０１】
また、遊技制御装置１００は、特図変動表示ゲームの結果態様に基づき、特別遊技状態の終了後に、遊技状態として高確率状態を発生可能となっている。この高確率状態は、特図変動表示ゲームにて当り結果となる確率が、通常確率状態に比べて高い状態である。また、第１特図変動表示ゲーム及び第２特図変動表示ゲームのどちらの特図変動表示ゲームの結果態様に基づき高確率状態となっても、第１特図変動表示ゲーム及び第２特図変動表示ゲームの両方が高確率状態となる。
【０１０２】
また、遊技制御装置１００は、特図変動表示ゲームの結果態様に基づき、特別遊技状態の終了後に、遊技状態として時短状態（特定遊技状態）を発生可能となっている。この時短状態においては、普図変動表示ゲーム及び普通変動入賞装置３７を時短動作状態とする制御を行い、普通変動入賞装置３７が通常動作状態である場合よりも、単位時間当りの普通変動入賞装置３７の開放時間が実質的に多くなるように制御するようになっている。
【０１０３】
例えば、時短状態においては、上述の普図変動表示ゲームの実行時間（普図変動時間）を第１変動表示時間よりも短い第２変動表示時間となるように制御することが可能である（例えば、１００００ｍｓが１０００ｍｓ）。また、時短状態においては、普図変動表示ゲームの結果を表示する普図停止時間を第１停止時間（例えば１６０４ｍｓ）よりも短い第２停止時間（例えば７０４ｍｓ）となるように制御することが可能である。また、時短状態においては、普図変動表示ゲームが当り結果となって普通変動入賞装置３７が開放される場合に、開放時間（普電開放時間）が通常状態の第１開放時間（例えば３００ｍｓ）よりも長い第２開放時間（例えば１７００ｍｓ）となるように制御することが可能である。また、時短状態においては、普図変動表示ゲームの１回の当り結果に対して、普通変動入賞装置３７の開放回数（普電開放回数）を１回の第１開放回数ではなく、２回以上の複数回（例えば、３回）の第２開放回数に設定することが可能である。また、時短状態においては、普図変動表示ゲームの当り結果となる確率（普図確率）を通常動作状態である場合の通常確率（低確率）よりも高い高確率とすることが可能である。
【０１０４】
時短状態においては、普図変動時間、普図停止時間、普電開放回数、普電開放時間、普図確率の何れか一つ又は複数を変化させることで普通変動入賞装置３７を開状態に状態変換する時間を通常よりも延長するようにする。なお、本実施形態の遊技機での時短状態においては通常動作状態と比べて、普図確率を高確率とし、普図変動時間、普図停止時間を短縮し、普電開放回数を増加し、普電開放時間を延長するようにしている。また、変化させるものが異なる複数種類の時短状態を設定することも可能である。また、高確率状態と時短状態は、それぞれ独立して発生可能であり、両方を同時に発生することも可能であるし一方のみを発生させることも可能である。
【０１０５】
以下、このような遊技を行う遊技機の制御について説明する。まず、上記遊技制御装置１００の遊技用マイクロコンピュータ（遊技用マイコン）１１１によって実行される制御について説明する。遊技用マイコン１１１による制御処理は、主に図１０及び図１１に示すメイン処理と、所定時間周期（例えば４ｍｓｅｃ）で行われる図１２に示すタイマ割込み処理とからなる。
【０１０６】
〔メイン処理〕
先ず、メイン処理について説明する。メイン処理は、電源が投入されることで開始される。このメイン処理においては、図１０に示すように、まず、割込みを禁止する処理（ステップＳ１）を行ってから、割込みが発生したときに実行するジャンプ先のベクタアドレスを設定する割込みベクタ設定処理（ステップＳ２）、割込みが発生したときにレジスタ等の値を退避する領域の先頭アドレスであるスタックポインタを設定するスタックポインタ設定処理（ステップＳ３）、割込み処理のモードを設定する割込みモード設定処理（ステップＳ４）を行う。
【０１０７】
次に、払出制御装置（払出基板）２００のプログラムが正常に起動するのを待つため例えば４ｍｓｅｃの時間待ちを行う（ステップＳ５）。これにより、電源投入の際に仮に遊技制御装置１００が先に立ち上がって払出制御装置２００が立ち上がる前にコマンドを払出制御装置２００へ送ってしまい、払出制御装置２００がコマンドを取りこぼすのを回避することができる。その後、ＲＡＭやＥＥＰＲＯＭ等の読出し書込み可能なＲＷＭ（リードライトメモリ）のアクセス許可をし、全出力ポートをオフ（出力が無い状態）に設定する（ステップＳ６，Ｓ７）。また、シリアルポート（（遊技用マイコン１１１に予め搭載されているポート）この実施例では、払出制御装置２００や演出制御装置３００とパラレル通信を行っているため使用しない）を使用しない状態に設定する処理を行う（ステップＳ８）。
【０１０８】
続いて、電源装置４００内の初期化スイッチがオンしているか否か判定する（ステップＳ９）。ここで、初期化スイッチがオフ（ステップＳ９；Ｎｏ）と判定すると、ＲＷＭ内の停電検査領域１の値が正常な停電検査領域チェックデータであるかをチェックし（ステップＳ１０）、正常であれば（ステップＳ１１；Ｙｅｓ）、ＲＷＭ内の停電検査領域２の値が正常な停電検査領域チェックデータであるかをチェックする（ステップＳ１２）。次に、停電検査領域２の値が正常であれば（ステップＳ１３；Ｙｅｓ）、ＲＷＭ内の所定領域のチェックサムを算出し（ステップＳ１４）、算出されたチェックサムと電源断時のチェックサムを比較して（ステップＳ１５）、一致するかを判定する（ステップＳ１６）。そして、一致する場合（ステップＳ１６；Ｙｅｓ）は、図１１のステップＳ１７へ移行し、停電から正常に復旧した場合の処理を行う。
【０１０９】
また、初期化スイッチがオン（ステップＳ９；Ｙｅｓ）と判定された場合や、停電検査領域のチェックデータが正常なデータでないと判定された場合（ステップＳ１１；ＮｏもしくはステップＳ１３；Ｎｏ）、チェックサムが正常でない（ステップＳ１６；Ｎｏ）と判定された場合は、図１１のステップＳ２４へ移行して初期化の処理を行う。
【０１１０】
図１１のステップＳ１７では全ての停電検査領域をクリアし、チェックサム領域をクリアして（ステップＳ１８）、エラーや不正監視に係る領域をリセットする（ステップＳ１９）。次に、ＲＷＭ内の遊技状態を記憶する領域を調べて遊技状態が高確率状態であるか否かを判定する（ステップＳ２０）。ここで、高確率でない（ステップＳ２０；Ｎｏ）と判定した場合は、ステップＳ２１，Ｓ２２をスキップしてステップＳ２３へ移行する。
【０１１１】
また、ステップＳ２０で高確率である（ステップＳ２０；Ｙｅｓ）と判定した場合は、高確率報知フラグ領域にＯＮ情報をセーブし（ステップＳ２１）、例えば一括表示装置５０に設けられる高確率報知ＬＥＤ（エラー表示器）のＯＮ（点灯）データをセグメント領域にセーブする（ステップＳ２２）。そして、後述の特図ゲーム処理を合理的に実行するために用意されている処理番号に対応する電源復旧時のコマンドを演出制御装置３００へ送信する処理（ステップＳ２３）を行ってステップＳ２９へ進む。
【０１１２】
一方、ステップＳ９、Ｓ１１、Ｓ１３、Ｓ１６からステップＳ２４へジャンプした場合には、アクセス禁止領域より前の全作業領域をクリアし（ステップＳ２４）、アクセス禁止領域より後の全スタック領域をクリアして（ステップＳ２５）、初期化すべき領域に電源投入時の初期値をセーブする（ステップＳ２６）。そして、ＲＷＭクリアに関する外部情報（セキュリティ信号）の出力タイマ初期値をセキュリティ信号制御タイマ領域にセーブし（ステップＳ２７）、電源投入時のコマンドを演出制御装置３００へ送信して（ステップＳ２８）、ステップＳ２９へ進む。ステップＳ２９では、遊技用マイコン１１１（クロックジェネレータ）内のタイマ割込み信号及び乱数更新トリガ信号（ＣＴＣ）を発生するＣＴＣ（Counter/Timer Circuit）回路を起動する処理を行う。
【０１１３】
なお、ＣＴＣ回路は、遊技用マイコン１１１内のクロックジェネレータに設けられている。クロックジェネレータは、水晶発振器１１３からの発振信号（原クロック信号）を分周する分周回路と、分周された信号に基づいてＣＰＵ１１１Ａに対して所定周期（例えば、４ミリ秒）のタイマ割込み信号及び乱数生成回路へ供給する乱数更新のトリガを与える信号ＣＴＣを発生するＣＴＣ回路とを備えている。
【０１１４】
上記ステップＳ２９のＣＴＣ起動処理の後は、乱数生成回路を起動設定する処理を行う（ステップＳ３０）。具体的には、乱数生成回路内の所定のレジスタ（ＣＴＣ更新許可レジスタ）へ乱数生成回路を起動させるためのコード（指定値）の設定などがＣＰＵ１１１Ａによって行われる。それから、電源投入時の乱数生成回路内の所定のレジスタ（ソフト乱数レジスタ１〜ｎ）の値を、対応する各種初期値乱数（大当り図柄を決定する乱数（大当り図柄乱数１、大当り図柄乱数２）、普図の当たりを決定する乱数（当り乱数））の初期値（スタート値）としてＲＷＭの所定領域にセーブしてから（ステップＳ３１）、割込みを許可する（ステップＳ３２）。本実施例で使用するＣＰＵ１１１Ａ内の乱数生成回路においては、電源投入毎にソフト乱数レジスタの初期値が変わるように構成されているため、この値を各種初期値乱数の初期値（スタート値）とすることで、ソフトウェアで生成される乱数の規則性を崩すことができ、遊技者による不正な乱数の取得を困難にすることができる。
【０１１５】
続いて、各種初期値乱数の値を更新して乱数の規則性を崩すための初期値乱数更新処理（ステップＳ３３）を行う。なお、本実施形態においては、特に限定されるわけではないが、大当り乱数は乱数生成回路において生成される乱数（大当り乱数）を使用して生成するように構成されている。つまり、大当り乱数はハードウェアで生成されるハード乱数であり、大当り図柄乱数、当り乱数はソフトウェアで生成されるソフト乱数である。
【０１１６】
上記ステップＳ３３の初期値乱数更新処理の後、電源装置４００から入力されている停電監視信号をポート及びデータバスを介して読み込んでチェックする回数を設定し（ステップＳ３４）、停電監視信号がＯＮであるかの判定を行う（ステップＳ３５）。停電監視信号がＯＮでない場合（ステップＳ３５；Ｎｏ）は、初期値乱数更新処理（ステップＳ３３）に戻る。すなわち、停電が発生していない場合には、初期値乱数更新処理と停電監視信号のチェック（ループ処理）を繰り返し行う。初期値乱数更新処理（ステップＳ３３）の前に割り込みを許可する（ステップＳ３２）ことによって、初期値乱数更新処理中にタイマ割込みが発生すると割込み処理が優先して実行されるようになり、タイマ割込みが初期値乱数更新処理によって待たされることで割込み処理が圧迫されるのを回避することができる。
【０１１７】
なお、上記ステップＳ３３での初期値乱数更新処理は、メイン処理のほか、タイマ割込み処理の中においても初期値乱数更新処理を行う方法もあり、そのような方法を採用した場合には両方で初期値乱数更新処理が実行されるのを回避するため、メイン処理で初期値乱数更新処理を行う場合には割込みを禁止してから更新して割込みを解除する必要があるが、本実施例のようにタイマ割込み処理の中での初期値乱数更新処理はせず、メイン処理内のみにした場合には初期値乱数更新処理の前に割込みを解除しても何ら問題はなく、それによってメイン処理が簡素化されるという利点がある。
【０１１８】
また、停電監視信号がＯＮである場合（ステップＳ３５；Ｙｅｓ）は、ステップＳ３４で設定したチェック回数分停電監視信号のＯＮ状態が継続しているかを判定する（ステップＳ３６）。そして、チェック回数分停電監視信号のＯＮ状態が継続していない場合（ステップＳ３６；Ｎｏ）は、停電監視信号がＯＮであるかの判定（ステップＳ３５；Ｙｅｓ）に戻る。また、チェック回数分停電監視信号のＯＮ状態が継続している場合（ステップＳ３６；Ｙｅｓ）、すなわち、停電が発生していると判定した場合は、一旦割込みを禁止する処理（ステップＳ３７）、全出力ポートにＯＦＦデータを出力する処理（ステップＳ３８）を行う。
【０１１９】
その後、停電復旧検査領域１に停電復旧検査領域チェックデータ１をセーブし（ステップＳ３９）、停電復旧検査領域２に停電復旧検査領域チェックデータ２をセーブする（ステップＳ４０）。さらに、ＲＷＭの電源遮断時のチェックサムを算出する処理（ステップＳ４１）、チェックサムをセーブする処理（ステップＳ４２）を行った後、ＲＷＭへのアクセスを禁止する処理（ステップＳ４３）を行ってから、遊技機の電源が遮断されるのを待つ。このように、停電復旧検査領域にチェックデータをセーブするとともに、電源遮断時のチェックサムを算出することで、電源の遮断の前にＲＷＭに記憶されていた情報が正しくバックアップされているか否かを電源再投入時に判断することができる。
【０１２０】
〔タイマ割込み処理〕
次に、タイマ割込み処理について説明する。図１２に示すように、タイマ割込み処理は、クロックジェネレータ内のＣＴＣ回路で生成される周期的なタイマ割込み信号がＣＰＵ１１１Ａに入力されることで開始される。遊技用マイコン１１１Ａにおいてタイマ割込みが発生すると、図１２のタイマ割込み処理が開始される。
【０１２１】
タイマ割込み処理が開始されると、まず所定のレジスタに保持されている値をＲＷＭに移すレジスタ退避の処理（ステップＳ５１）を行う。なお、本実施例において遊技用マイコンとして使用しているＺ８０系のマイコンでは、当該処理を表レジスタに保持されている値を裏レジスタに退避することで置き換えることができる。次に、各種センサ（始動口１スイッチ３６ａ、始動口２スイッチ３７ａ、普図のゲートスイッチ３４ａ、カウントスイッチ３８ａ、入賞口スイッチ３５ａなど）からの入力の取込み、即ち、各入力ポートの状態を読み込む入力処理（ステップＳ５２）を行う。それから、各種処理でセットされた出力データに基づき、ソレノイド（大入賞口ＳＯＬ３８ｂ、普電ＳＯＬ３７ｃ）等のアクチュエータの駆動制御などを行うための出力処理（ステップＳ５３）を行う。
【０１２２】
次に、各種処理で送信バッファにセットされたコマンドを演出制御装置３００や払出制御装置２００等に出力するコマンド送信処理（ステップＳ５４）、乱数更新処理１（ステップＳ５５）、乱数更新処理２（ステップＳ５６）を行う。その後、始動口１スイッチ３６ａ、始動口２スイッチ３７ａ、普図のゲートスイッチ３４ａ、入賞口スイッチ３５ａ、カウントスイッチ３８ａから正常な信号の入力があるか否かの監視や、エラーの監視（前面枠やガラス枠が開放されていないかなど）を行う入賞口スイッチ／エラー監視処理（ステップＳ５７）を行う。また、特図変動表示ゲームに関する処理を行う特図ゲーム処理（ステップＳ５８）、普図変動表示ゲームに関する処理を行う普図ゲーム処理（ステップＳ５９）を行う。
【０１２３】
次に、遊技機１０に設けられ、特図変動ゲームの表示や遊技に関する各種情報を表示するセグメントＬＥＤを所望の内容を表示するように駆動するセグメントＬＥＤ編集処理（ステップＳ６０）、磁気センサスイッチ６１や振動センサスイッチ６２からの検出信号をチェックして異常がないか判定する磁石エラー監視処理（ステップＳ６１）を行う。それから、外部の各種装置に出力する信号を出力バッファにセットする外部情報編集処理（ステップＳ６２）を行う。続いて、割込み要求をクリアして割込みの終了を宣言する処理（ステップＳ６３）を行い、ステップＳ５１で退避したレジスタのデータを復帰する処理（ステップＳ６４）を行った後、割込みを許可する処理（ステップＳ６５）を行って、タイマ割込み処理を終了する。
【０１２４】
〔入力処理〕
次に、上述のタイマ割込み処理における入力処理（ステップＳ５２）の詳細について説明する。図１３に示すように、入力処理においては、まず入力ポート１、即ち、第１入力ポート１２３に取り込まれたスイッチの検出信号の状態を読み込む（ステップＳ７１）。そして、８ビットのポートのうち未使用ビットがあればそのビットの状態をクリアする（ステップＳ７２）。
【０１２５】
続いて、読み込まれた入力ポート１の状態をＲＷＭ内のスイッチ制御領域１にセーブ（格納）する（ステップＳ７３）。その後、入力ポート２、即ち、第２入力ポート１２２に取り込まれた信号の状態を読み込むためのパラメータの準備を行い（ステップＳ７４）、スイッチ読込み処理（ステップＳ７５）を行って入力処理を終了する。ここで、本実施形態において「準備」とは、レジスタに値をセットすることを意味するが、これに限らず、ＲＷＭ、その他のメモリに値をセットするようにしてもよい。
【０１２６】
〔スイッチ読込み処理〕
次に、上述の入力処理におけるスイッチ読込み処理（ステップＳ７５）の詳細について説明する。図１４に示すように、スイッチ読込み処理においては、まずステップＳ７４にて準備されたパラメータで指定された入力ポート、即ち、第２入力ポート１２２に取り込まれた信号の状態を読み込む（ステップＳ８１）。そして、８ビットのポートのうち未使用ビットがあればそのビットの状態をクリアする（ステップＳ８２）。続いて、読み込まれた入力ポート２の状態をＲＷＭ内のスイッチ制御領域２のポート入力状態１にセーブ（格納）する（ステップＳ８３）。その後、２回目の読込みまでのディレイ時間（０．１ｍｓ）が経過するのを待つ（ステップＳ８４）。
【０１２７】
ディレイ時間（０．１ｍｓ）が経過すると、第２入力ポート１２２に取り込まれた信号の状態の２回目の読込みを行う（ステップＳ８５）。そして、８ビットのポートのうち未使用ビットがあればそのビットの状態をクリアする（ステップＳ８６）。続いて、読み込まれた入力ポート２の状態をスイッチ制御領域２のポート入力状態２にセーブ（格納）する（ステップＳ８７）。その後、１回目と２回目の読込みで状態が同じビットを１、違うビットを０とした確定ビットパターンを作成し（ステップＳ８８）、確定ビットパターンとポート入力状態２との論理積をとり、今回確定ビットとする（ステップＳ８９）。
【０１２８】
次に、１回目と２回目の読込みで状態が同じビットを０、違うビットを１とした未確定ビットパターンを作成し（ステップＳ９０）、未確定ビットパターンと前回割り込み時の確定状態との論理積をとり、前回保持ビットとする（ステップＳ９１）。これにより、スイッチのチャタリング等によるノイズを除去した信号の状態を得ることができる。そして、今回確定ビットと前回保持ビットを合成し、今回確定状態としてセーブし（ステップＳ９２）、前回と今回の確定状態との排他的論理和をとり、立上りエッジとしてセーブして（ステップＳ９３）、スイッチ読み込み処理を終了する。
【０１２９】
なお、スイッチの読込みは、タイマ割込みの周期が短い場合（例えば２ｍｓ）には、各割込みの処理ごとにそれぞれ１回ずつスイッチの読込みを行なって前回の読込みの結果と比較することで信号が変化したか否か判定する方法があるが、そのようにすると次の割込み処理までに前回の割込みで読み込んだスイッチの状態が失われた場合、正しい判定が行なえないおそれがある。これに対し、本実施例のように、所定の時間差をおいて１回の割込み処理の中で２回のスイッチ読込み処理を行うことで、上記のような不具合を回避することが可能となる。
【０１３０】
〔コマンド送信処理〕
次に、前述のタイマ割込み処理におけるコマンド送信処理（ステップＳ５４）の詳細について説明する。図１５に示すように、コマンド送信処理は、演出制御装置３００に対する演出制御コマンド送信処理（ステップＳ１０１）と、払出制御装置２００に対する払出コマンド送信処理（ステップＳ１０２）とからなる。
【０１３１】
〔演出制御コマンド送信処理〕
図１６には、前述のコマンド送信処理における演出制御コマンド送信処理（ステップＳ１０１）を示した。この演出制御コマンド送信処理においては、まず、送信コマンドをＲＷＭに設定するときに「＋１」されるライトカウンタの値と、ＲＷＭから送信コマンドを読み出すときに「＋１」されるリードカウンタの値とを比較して、コマンドが設定されているかをチェックする（ステップＳ１１１）。具体的には、ライトカウンタの値とリードカウンタの値とが同一であればコマンドが設定されていないと判定し、ライトカウンタの値とリードカウンタの値とが一致していない場合には、未送信のコマンドが設定されていると判定する（ステップＳ１１２）。
【０１３２】
ステップＳ１１２で、コマンドが設定されていないと判定した場合（ステップＳ１１２；Ｎｏ）には、当該演出制御コマンド送信処理から抜け、ステップＳ１１２で、コマンドが設定されていると判定した場合（ステップＳ１１２；Ｙｅｓ）には、リードカウンタを更新（＋１）する（ステップＳ１１３）。次いで、リードカウンタの値に対応するコマンド送信領域（ＭＯＤＥ（上位バイト））からコマンドをロードする（ステップＳ１１４）。それから、ロードしたコマンドが入っていた領域をリセットする（ステップＳ１１５）。さらに、リードカウンタの値に対応するコマンド送信領域（ＡＣＴＩＯＮ（下位バイト））からコマンドをロードする（ステップＳ１１６）。それから、ロードしたコマンドが入っていた領域をリセットする（ステップＳ１１７）。そして、演出制御コマンド出力処理（ステップＳ１１８）を行い、演出制御コマンド送信処理を終了する。
【０１３３】
〔演出制御コマンド出力処理〕
次に、上述の演出制御コマンド送信処理における演出制御コマンド出力処理（ステップＳ１１８）の詳細について説明する。図１７に示すように、演出制御コマンド出力処理においては、先ず、コマンド（MODE）出力中を示すストローブ信号のオフ時間を準備して（ステップＳ１２１）、コマンドデータ出力処理（ステップＳ１２２）を実行する。その後、コマンド（ACTION）を出力し（ステップＳ１２３）、コマンド（ACTION）出力中を示すストローブ信号のオフ時間を準備（ステップＳ１２４）してから、コマンドデータ出力処理（ステップＳ１２５）を実行する。
【０１３４】
〔コマンドデータ出力処理〕
次に、上述の演出制御コマンド出力処理におけるコマンドデータ出力処理（ステップＳ１２２、Ｓ１２５）の詳細について説明する。図１８に示すように、コマンドデータ出力処理においては、先ず、ポートの直前の状態が失われないようにするため、演出制御コマンド出力のストローブ信号を含む出力ポート１３１のポート状態保持データをロードする（ステップＳ１３１）。それから、演出制御コマンドを出力ポート１３２へ出力（ステップＳ１３２）し、出力ポート１３１へはストローブ信号を除く信号を直前の状態に保持してオフ状態（データの読取り無効を示す例えばロウレベル）のストローブ信号を付加して出力する（ステップＳ１３３）。そして、次のステップＳ１３４で、ストローブ信号をオフ状態にすべき時間（オフ時間）が終了したか否か判定する。ここで、オフ時間が終了していない（ステップＳ１３４；Ｎｏ）と判定するとステップＳ１３２へ戻って上記処理を繰り返す。
【０１３５】
一方、ステップＳ１３４で、オフ時間が終了した（ステップＳ１３４；Ｙｅｓ）と判定するとステップＳ１３５へ移行して、ストローブ信号のオン状態（データの読取り有効を示す例えばハイレベル）の時間を設定する。続いて、ステップＳ１３１でロードしたデータを保持するレジスタ上で、出力ポート１３１のストローブ信号を除く信号を直前の状態に保持したままストローブ信号をオン状態に設定する（ステップＳ１３６）。それから、演出制御コマンドを出力（ステップＳ１３７）し、オン状態（ハイレベル）のストローブ信号を出力する（ステップＳ１３８）。
【０１３６】
そして、次のステップＳ１３９で、ストローブ信号をオン状態にすべき時間（オン時間）が終了したか否か判定する。ここで、オン時間が終了していない（ステップＳ１３９；Ｎｏ）と判定するとステップＳ１３７へ戻って上記処理を繰り返す。また、ステップＳ１３９で、オン時間が終了した（ステップＳ１３９；Ｙｅｓ）と判定するとステップＳ１４０へ移行して、オフ状態のストローブ信号を設定してから、オフ状態のストローブ信号を出力（ステップＳ１４１）して、当該コマンドデータ出力処理を終了する。ステップＳ１３７で演出制御コマンドを再度出力しているのは、ステップＳ１３７〜Ｓ１３９のループ処理中に停電が発生した場合に、出力中の演出制御コマンドが停電復帰後に出力されなくなるのを回避するためである。また、ノイズによって、コマンドコードが変わってしまうのを回避することもできる。なお、このステップＳ１３４及びステップＳ１３９は、各々の処理のみをループさせることも可能である。
【０１３７】
〔払出コマンド送信処理〕
また、コマンド送信処理（図１５参照）における払出コマンド送信処理（ステップＳ１０２）では、図１９に示す処理を行う。この払出コマンド送信処理では、まず、入賞口別に設けられている入賞数カウンタ領域に「０」でないカウント数があるかチェックする（ステップＳ１５１）。そして、カウント数がない場合（ステップＳ１５２：Ｎｏ）は、チェック対象となる入賞数カウンタ領域のアドレスを更新し（ステップＳ１５３）、すべての入賞数カウンタ領域のカウント数のチェックが終了したかを判定する（ステップＳ１５４）。この判定で、すべてのチェックが終了した（ステップＳ１５４；Ｙｅｓ）と判定すると、払出コマンド送信処理を終了する。一方、すべてのチェックが終了していない（ステップＳ１５４；Ｎｏ）と判定すると、ステップＳ１５１へ戻って上記処理を繰り返す。
【０１３８】
また、上記ステップＳ１５２で、カウント数がある（ステップＳ１５２；Ｙｅｓ）と判定した場合には、対象の入賞数カウンタ領域のカウント数を減算（−１）し（ステップＳ１５５）、入賞数カウンタ領域、即ち、入賞口のアドレスに対応する払出コマンド（負論理のデータ）を取得する（ステップＳ１５６）。そして、データの読込みが有効か無効かを示すストローブ信号のオフ時間（例えばロウレベルに維持する時間）を設定し（ステップＳ１５７）、上記ステップＳ１５６で取得した払出コマンド（負論理のデータ）とオフ状態（ロウレベル）のストローブ信号をポート１３１（図８参照）へ出力する（ステップＳ１５８）。
【０１３９】
その後、ステップＳ１５７で設定したオフ時間が経過したか否か判定し（ステップＳ１５９）、経過していない場合（ステップＳ１５９；Ｎｏ）にはステップＳ１５８へ戻り、経過した場合（ステップＳ１５９；Ｙｅｓ）には負論理データの出力残り時間を設定する（ステップＳ１６０）。次に、払出コマンド（負論理のデータ）を出力するとともにオン状態（ハイレベル）のストローブ信号をポート１３１へ出力する（ステップＳ１６１）。そして、ステップＳ１６０で設定した負論理データの出力時間が終了したかを判定し（ステップＳ１６２）、終了していない場合（ステップＳ１６２；Ｎｏ）はステップＳ１６１へ戻り、終了した場合（ステップＳ１６２；Ｙｅｓ）は、上記負論理の払出コマンドデータを反転して正論理の払出コマンドデータを生成する（ステップＳ１６３）。
【０１４０】
次に、ストローブ信号のオン残り時間（ハイレベルの時間）を設定し（ステップＳ１６４）、上記ステップＳ１６３で生成した払出コマンド（正論理のデータ）とオン状態（ハイレベル）のストローブ信号をポート１３１へ出力する（ステップＳ１６５）。その後、ステップＳ１６４で設定したオン時間が終了したかを判定し（ステップＳ１６６）、終了していない場合（ステップＳ１６６；Ｎｏ）はステップＳ１６５へ戻り、終了した場合（ステップＳ１６６；Ｙｅｓ）は、正論理データの出力残り時間を設定する（ステップＳ１６７）。
【０１４１】
そして、払出コマンド（正論理のデータ）を出力するとともにオフ状態（ロウレベル）のストローブ信号をポート１３１へ出力し（ステップＳ１６８）、設定した正論理データの出力時間が終了したか否か判定する（ステップＳ１６９）。出力時間が終了していない場合（ステップＳ１６９；Ｎｏ）はステップＳ１６８へ戻り、終了した場合（ステップＳ１６９；Ｙｅｓ）は、正論理の払出コマンドデータをポート状態保持データとしてＲＷＭにセーブし（ステップＳ１７０）、当該コマンド送信処理を終了する。
【０１４２】
以上の処理により、払出制御装置２００に遊技球の払い出しを指示する払出コマンドが送信され、払出制御装置２００ではこの払出コマンドに基づき遊技球を払い出す。上記のように、負論理の払出コマンドデータを出力した後に正論理の払出コマンドデータを出力することによって、コマンド受信側では、負論理の払出コマンドデータと正論理の払出コマンドデータを読み込んで比較することによって、正しいコマンドを受信することができたか否かを判定することができる。例えば先に受信した負論理の払出コマンドデータを論理反転して、それと後で受信した正論理の払出コマンドデータとを比較して、同一でない場合にはコマンド受信エラーと判断し、コマンドの再送を遊技制御装置１００へ要求することで正確なコマンドを受信することが可能となる。
【０１４３】
〔入賞口スイッチ/エラー監視処理〕
図２０には、タイマ割込み処理（図１２参照）における入賞口スイッチ/エラー監視処理を示した。この入賞口スイッチ/エラー監視処理では、まず、特別変動入賞装置（大入賞口）３８内のカウントスイッチ３８ａの不正監視テーブル（例えばカウントスイッチからの検出信号が入力されるポートの番号や該信号のポート内でのビット位置等を示すデータが格納されている）を準備する（ステップＳ１８１）。次に、大入賞口が開いていないにもかかわらず大入賞口に不正な入賞がないか監視するとともに正常な入賞を検出する不正＆入賞監視処理（ステップＳ１８２）を実行する。その後、始動入賞口スイッチ（始動口１スイッチ３６ａ、始動口２スイッチ３７ａ）の不正監視テーブルを準備し（ステップＳ１８３）、不正な入賞がないか監視するとともに正常な入賞を検出する不正＆入賞監視処理（ステップＳ１８４）を実行する。
【０１４４】
そして、不正監視処理が不要な入賞口スイッチ（ここでは一般入賞口３５の入賞口スイッチ３５ａ）の入賞監視テーブルを準備し（ステップＳ１８５）。入賞数を更新する入賞数カウンタ更新処理１（ステップＳ１８６）を行う。次に、エラーを監視すべき複数のスイッチ並びに信号のうちいずれのスイッチ又は信号を今回の監視の対象とするかを順番に指定するためのエラースキャンカウンタを更新して準備し（ステップＳ１８７）、払出制御装置２００からのシュート玉切れスイッチ、オーバーフロースイッチ及び払出制御装置２００の異常監視用の遊技機エラー監視テーブル１を準備する（ステップＳ１８８）。そして、これらのスイッチ及び払出制御装置に異常が発生していないかを判定するエラーチェック処理（ステップＳ１８９）を実行する。
【０１４５】
その後、前枠開放検出スイッチ６３及び遊技枠開放検出スイッチ６４からの信号に基づく前枠（ガラス枠１５）及び遊技枠（前面枠１２）の開放監視用の遊技機エラー監視テーブル２を準備する（ステップＳ１９０）。そして、エラースキャンカウンタをロードし、前枠及び遊技枠の開放監視用の遊技機エラー監視テーブル２用に変換して準備し（ステップＳ１９１）、これらのスイッチに異常が発生していないかを判定するエラーチェック処理（ステップＳ１９２）を行い、入賞口スイッチ/エラー監視処理を終了する。
【０１４６】
〔不正＆入賞監視処理〕
図２１には、上述の入賞口スイッチ／エラー監視処理における不正＆入賞監視処理（ステップＳ１８２、Ｓ１８４）を示した。この不正＆入賞監視処理は、大入賞口のカウントスイッチ３８ａ、始動入賞口３６内の始動口１スイッチ３６ａ及び普電内の始動口２スイッチ３７ａに対して行なわれる処理である。大入賞口（特別変動入賞装置３８）や普電（普通変動入賞装置３７）については、無理やり開閉部材を開いて遊技球を入れて賞球を払い出させる不正が行なわれ易いため、入賞の検出の他に不正の監視をする。
【０１４７】
この不正＆入賞監視処理においては、まず、エラー監視対象の入賞口スイッチの不正監視期間フラグをチェックし（ステップＳ２０１）、不正監視期間中であるかを判定する（ステップＳ２０２）。不正監視期間とは、エラー監視対象の入賞口スイッチがカウントスイッチ３８ａである場合は、大入賞口（特別変動入賞装置３８）が閉じている期間であり、エラー監視対象の入賞口スイッチが始動口２スイッチ３７ａである場合は、普電（普通変動入賞装置３７）が閉じている期間である。なお、エラー監視対象の入賞口スイッチが始動口１スイッチ３６ａである場合は不正監視期間がなく常に不正監視期間外となる。
【０１４８】
そして、不正監視期間である場合（ステップＳ２０２；Ｙｅｓ）は、対象の入賞口スイッチに入力があるかをチェックする（ステップＳ２０３）。対象の入賞口スイッチに入力がない場合（ステップＳ２０４；Ｎｏ）は、対象の不正入賞報知タイマがすでにタイムアップ又は−１更新後にタイムアップしたかをチェックする（ステップＳ２１４）。また、対象の入賞口スイッチに入力がある場合（ステップＳ２０４；Ｙｅｓ）は、対象の不正入賞数を＋１更新し（ステップＳ２０５）、加算後の不正入賞数が監視対象の不正発生判定個数（例えば５個）を超えたかチェックする（ステップＳ２０６）。判定個数を５個としているのは、例えば、開状態にある大入賞口が閉状態に変換した際に遊技球が大入賞口の扉部材に挟まり、その遊技球がカウントスイッチの有効期間を過ぎて入賞した場合や信号にノイズがのった場合にそれを不正と判断しない、不正でないのに簡単にエラーと判定しないためである。
【０１４９】
そして、判定個数を超えていない場合（ステップＳ２０７；Ｎｏ）は、対象の入賞口スイッチの入賞監視テーブルを準備する（ステップＳ２１２）。また、判定個数を超えた場合（ステップＳ２０７；Ｙｅｓ）は、不正入賞数を不正発生判定個数に留め（ステップＳ２０８）、対象の不正入賞報知タイマ領域に初期値をセーブする（ステップＳ２０９）。次に、対象の不正入賞発生コマンドを準備し（ステップＳ２１０）、不正フラグとして不正入賞発生フラグを設定して（ステップＳ２１１）、設定した不正フラグを対象の不正フラグ領域の値と比較する（ステップＳ２３０）。
【０１５０】
一方、不正監視期間でない場合（ステップＳ２０２；Ｎｏ）は、対象の入賞口スイッチの入賞監視テーブルを準備し（ステップＳ２１２）、賞球の設定を行う入賞数カウンタ更新処理２（ステップＳ２１３）を行う。そして、対象の不正入賞報知タイマがすでにタイムアップ又は−１更新後にタイムアップしたかをチェックし（ステップＳ２１４）、タイムアップしていない場合（ステップＳ２１５；Ｎｏ）は、不正＆入賞監視処理を終了する。また、タイムアップした場合（ステップＳ２１５；Ｙｅｓ）は、エラー報知終了タイミングであるかを判定する（ステップＳ２１６）。
【０１５１】
エラー報知終了タイミングでない場合（ステップＳ２１６；Ｎｏ）は、対象の不正入賞解除コマンドを準備する（ステップＳ２１８）。また、エラー報知終了タイミングである場合（ステップＳ２１６；Ｙｅｓ）は、対象の不正入賞数をリセットし（ステップＳ２１７）、対象の不正入賞解除コマンドを準備する（ステップＳ２１８）。その後、不正フラグとして不正入賞解除フラグを設定し（ステップＳ２１９）、設定した不正フラグを対象の不正フラグ領域の値と比較する（ステップＳ２３０）。
【０１５２】
そして、設定した不正フラグを対象の不正フラグ領域の値が一致した場合（ステップＳ２３１；Ｙｅｓ）は、不正＆入賞監視処理を終了する。また、設定した不正フラグを対象の不正フラグ領域の値が一致しない場合（ステップＳ２３１；Ｎｏ）は、設定した不正フラグを不正フラグ領域にセーブし（ステップＳ２３２）、コマンド設定処理を行い（ステップＳ２３３）、不正＆入賞監視処理を終了する。以上の処理により、エラーの発生に伴いエラー報知コマンドが演出制御装置３００に送信され、エラーの解除に伴い不正入賞エラー解除コマンドが演出制御装置３００に送信されて、エラー報知の開始、終了が設定されることとなる。
【０１５３】
〔コマンド設定処理〕
図２２には、上述の不正＆入賞監視処理でのコマンド設定処理（ステップＳ２３３）を示した。なお、このコマンド設定処理は、タイマ割込み処理中に実行される他の処理におけるコマンド設定処理に共通する処理である。このコマンド設定処理では、まず、バッファの書き込む場所を規定するライトカウンタを更新する処理（ステップＳ２４１）を行い、ライトカウンタに対応するコマンド送信領域（MODE）、即ち、２バイトのコマンドのうちの上位１バイトのコマンドをセーブする（ステップＳ２４２）。その後、ライトカウンタに対応するコマンド送信領域（ACTION）、即ち、２バイトのコマンドのうちの下位１バイトのコマンドをセーブして（ステップＳ２４３）、コマンド設定処理を終了する。
【０１５４】
〔入賞数カウンタ更新処理１〕
図２３には、上述の入賞口スイッチ/エラー監視処理における入賞数カウンタ更新処理１（ステップＳ１８６）を示した。この入賞数カウンタ更新処理１においては、まず、入賞監視テーブルから監視する入賞口スイッチの個数を取得し（ステップＳ２５１）、対象の入賞口スイッチに入力（正確には入力の変化）があるかをチェックする（ステップＳ２５２）。
【０１５５】
入力がない場合（ステップＳ２５３：Ｎｏ）は、全スイッチの監視が終了したかを判定する（ステップＳ２６１）。また、入力がある場合（ステップＳ２５２；Ｙｅｓ）は、普図短縮変動中（時短状態）であるかを判定する（ステップＳ２５４）。そして、普図短縮変動中でない場合（ステップＳ２５４；Ｎｏ）は、大当り中（特別遊技状態）であるかを判定し（ステップＳ２５５）、大当り中でない場合（ステップＳ２５５；Ｎｏ）は、対象の入賞数カウンタ領域の値をロードする（ステップＳ２５７）。また、普図短縮変動中である場合（ステップＳ２５４；Ｙｅｓ）や、大当り中である場合（ステップＳ２５５；Ｙｅｓ）は、入賞に関する情報（入賞数や賞球数に関する情報）を演出制御装置３００に送信するための表示カウントアップ処理（ステップＳ２５６）を行い、対象の入賞数カウンタ領域の値をロードする（ステップＳ２５７）。
【０１５６】
その後、対象の入賞数カウンタを＋１更新してオーバーフローするかチェックする（ステップＳ２５８）。そして、オーバーフローが発生していない場合（ステップＳ２５９；Ｎｏ）は、更新後の値を入賞数カウンタ領域にセーブし（ステップＳ２６０）、全スイッチの監視が終了したかを判定する（ステップＳ２６１）。また、オーバーフローが発生した場合（ステップＳ２５９；Ｙｅｓ）は、全スイッチの監視が終了したかを判定する（ステップＳ２６１）。全スイッチの監視が終了していない場合（ステップＳ２６１；Ｎｏ）は、対象の入賞スイッチに入力があるかをチェックする処理（ステップＳ２５２）に戻る。また、全スイッチの監視が終了した場合（ステップＳ２６１；Ｙｅｓ）は、入賞数カウンタ更新処理１を終了する。以上の処理により、入賞に応じた賞球が設定されることとなる。なお、不正＆入賞監視処理図（１９参照）における入賞数カウンタ更新処理２（ステップＳ２１３）では、上述の入賞数カウンタ更新処理１でのステップＳ２５４からＳ２５６の処理を除いた処理を行う。
【０１５７】
〔表示カウントアップ処理〕
図２４には、一般入賞口３５への入賞に関する処理である上述の入賞数カウンタ更新処理１における表示カウントアップ処理（ステップＳ２５６）を示した。なお、特別変動入賞装置３８への入賞に関する処理である後述するカウントスイッチ監視処理（図３０参照）においてもこの表示カウントアップ処理を行う。
【０１５８】
この表示カウントアップ処理においては、まず、大入賞口（特別変動入賞装置３８）への入賞に基づく処理の実行中であるかを判定する（ステップＳ２７１）。大入賞口への入賞に基づく処理の実行中でない場合（ステップＳ２７１；Ｎｏ）、すなわち一般入賞口３５への入賞に基づく処理の実行中である場合は、一般入賞口カウント表示更新の準備をし（ステップＳ２７２）、コマンド設定処理（図２２参照）を行い（ステップＳ２７４）、表示カウントアップ処理を終了する。また、大入賞口への入賞に基づく処理の実行中である場合（ステップＳ２７１；Ｙｅｓ）は大入賞口カウント表示更新の準備をし（ステップＳ２７３）、コマンド設定処理を行い（ステップＳ２７４）、表示カウントアップ処理を終了する。
【０１５９】
この処理により、特別遊技状態における特別変動入賞装置３８への入賞に関する情報（入賞数や賞球数に関する情報）である大入賞口カウントコマンドや、特別遊技状態及び時短状態における一般入賞口３５への入賞に関する情報（入賞数や賞球数に関する情報）である一般入賞カウントコマンドが演出制御装置３００に送信されるようになる。演出制御装置３００ではこの情報に基づき、図６や図７に示したような表示装置４１での報知や、一般入賞口３５に設けた装飾装置８０の制御を行う。
【０１６０】
〔エラーチェック処理〕
図２５には、上述の入賞口スイッチ/エラー監視処理におけるエラーチェック処理（ステップＳ１８９、Ｓ１９２）を示した。このエラーチェック処理では、まず、エラースキャンカウンタに対応するエラー監視テーブルを取得し（ステップＳ２８１）、監視対象であるスイッチの状態をチェックする（ステップＳ２８２）。
【０１６１】
そして、スイッチがオンである場合（ステップＳ２８３：Ｙｅｓ）は、エラーフラグとしてエラー発生フラグを設定し（ステップＳ２８４）し、対象のエラー報知コマンドを準備する（ステップＳ２８５）。その後、対象のエラー発生監視タイマ比較値を設定して（ステップＳ２８６）、対象のスイッチ状態領域の値と今回のスイッチ状態を比較する（ステップＳ２９０）。
【０１６２】
一方、スイッチがオンでない場合（ステップＳ２８３：Ｎｏ）は、エラーフラグとしてエラー解除フラグを設定し（ステップＳ２８７）し、対象のエラー報知終了コマンドを準備する（ステップＳ２８８）。その後、対象のエラー解除監視タイマ比較値を設定して（ステップＳ２８９）、対象のスイッチ状態領域の値と今回のスイッチ状態を比較する（ステップＳ２９０）。
【０１６３】
対象のスイッチ状態領域の値と今回のスイッチ状態が一致した場合（ステップＳ２９１；Ｙｅｓ）、すなわちスイッチ状態が変化していない場合は、対象のエラー監視タイマを＋１更新して監視タイマ比較値に達したかをチェックする（ステップＳ２９４）。また、対象のスイッチ状態領域の値と今回のスイッチ状態が一致しない場合（ステップＳ２９１；Ｎｏ）、すなわちスイッチ状態が変化した場合は、スイッチ状態領域に今回のスイッチ状態をセーブする（ステップＳ２９２）、そして、対象のエラー監視タイマをクリアし（ステップＳ２９３）、対象のエラー監視タイマを＋１更新して監視タイマ比較値に達したかをチェックする（ステップＳ２９４）。
【０１６４】
対象のエラー監視タイマの値が比較値に達していない場合（ステップＳ２９５：Ｎｏ）は、エラーチェック処理を終了する。また、対象のエラー監視タイマの値が比較値に達した場合（ステップＳ２９５：Ｙｅｓ）は、エラー監視タイマを−１更新して比較値−１の値に留め（ステップＳ２９６）、設定したエラーフラグを対象のエラーフラグ領域の値と比較する（ステップＳ２９７）。
【０１６５】
そして、設定したエラーフラグと対象のエラーフラグ領域の値とが一致する場合（ステップＳ２９８；Ｙｅｓ）は、エラーチェック処理を終了する。また、設定したエラーフラグと対象のエラーフラグ領域の値とが一致しない場合（ステップＳ２９８；Ｎｏ）は、設定したエラーフラグを対象のエラーフラグ領域にセーブし（ステップＳ２９９）、コマンド設定処理を行って（ステップＳ３００）、エラーチェック処理を終了する。
【０１６６】
〔特図ゲーム処理〕
次に、上述のタイマ割込み処理における特図ゲーム処理（ステップＳ５８）の詳細について説明する。特図ゲーム処理では、始動口１スイッチ３６ａ及び始動口２スイッチ３７ａの入力の監視と、特図変動表示ゲームに関する処理全体の制御、特図の表示の設定を行う。
【０１６７】
図２６に示すように、特図ゲーム処理では、先ず、始動口１スイッチ３６ａ及び始動口２スイッチ３７ａの入賞を監視する始動スイッチ監視処理（ステップＡ１）を行う。始動口スイッチ監視処理では、始動入賞口３６、第２始動入賞口をなす普通変動入賞装置３７に遊技球の入賞があると、各種乱数（大当り乱数など）の抽出を行い、当該入賞に基づく特図変動表示ゲームの開始前の段階で入賞に基づく遊技結果を事前に判定する遊技結果事前判定を行う。なお、始動口スイッチ監視処理（ステップＡ１）の詳細については後述する。
【０１６８】
次に、カウントスイッチ監視処理（ステップＡ２）を行う。このカウントスイッチ監視処理では、特別変動入賞装置３８内に設けられたカウントスイッチ３８ａでの遊技球の検出を監視する処理を行う。
【０１６９】
次に、特図ゲーム処理タイマを更新（−１）して、当該ゲーム処理タイマがすでにタイムアップしているか又は更新によりタイムアップしたか否かをチェックして（ステップＡ３）、特図ゲーム処理タイマがタイムアップした（ステップＡ４；Ｙｅｓ）と判定すると、特図ゲーム処理番号に対応する処理に分岐させるために参照する特図ゲームシーケンス分岐テーブルをレジスタに設定する処理（ステップＡ５）を行って、当該テーブルを用いて特図ゲーム処理番号に対応する処理の分岐先アドレスを取得する処理（ステップＡ６）を行う。そして、分岐処理終了後のリターンアドレスをスタック領域に退避させる処理（ステップＡ７）を行った後、ゲーム処理番号に応じてゲーム分岐処理（ステップＡ８）を行う。
【０１７０】
ステップＡ８にて、ゲーム処理番号が「０」の場合は、特図変動表示ゲームの変動開始を監視し、特図変動表示ゲームの変動開始の設定や演出の設定や、特図変動中処理を行うために必要な情報の設定等を行う特図普段処理（ステップＡ９）を行う。なお、特図普段処理（ステップＡ９）の詳細については後述する。
【０１７１】
ステップＡ８にて、ゲーム処理番号が「１」の場合は、特図の停止表示時間の設定や、特図表示中処理を行うために必要な情報の設定等を行う特図変動中処理（ステップＡ１０）を行う。ステップＡ８にて、ゲーム処理番号が「２」の場合は、特図変動表示ゲームの遊技結果が大当りであれば、大当りの種類に応じたファンファーレコマンドの設定や、各大当りの大入賞口開放パターンに応じたファンファーレ時間の設定や、ファンファーレ／インターバル中処理を行うために必要な情報の設定等を行う特図表示中処理（ステップＡ１１）を行う。
【０１７２】
ステップＡ８にて、ゲーム処理番号が「３」の場合は、大入賞口の開放時間の設定や開放回数の更新、大入賞口開放中処理を行うために必要な情報の設定等を行うファンファーレ／インターバル中処理（ステップＡ１２）を行う。ステップＡ８にて、ゲーム処理番号が「４」の場合は、大当りラウンドが最終ラウンドでなければインターバルコマンドを設定する一方で最終ラウンドであればエンディングコマンドを設定する処理や、大入賞口残存球処理を行うために必要な情報の設定等を行う大入賞口開放中処理（ステップＡ１３）を行う。
【０１７３】
ステップＡ８にて、ゲーム処理番号が「５」の場合は、大当りラウンドが最終ラウンドであれば大入賞口内にある残存球が排出されるための時間を設定する処理や、大当り終了処理を行うために必要な情報の設定等を行う大入賞口残存球処理（ステップＡ１４）を行う。ステップＡ８にて、ゲーム処理番号が「６」の場合は、特図普段処理（ステップＡ９）を行うために必要な情報の設定等を行う大当り終了処理（ステップＡ１５）を行う。
【０１７４】
その後、特図１表示器の変動を制御するためのテーブルを準備した後（ステップＡ１６）、特図１表示器に係る図柄変動制御処理（ステップＡ１７）を行う。そして、特図２表示器の変動を制御するためのテーブルを準備した後（ステップＡ１８）、特図２表示器に係る図柄変動制御処理（ステップＡ１９）を行う。一方、ステップＡ４にて、特図ゲーム処理タイマがタイムアップしていない（ステップＡ４；Ｎｏ）と判定すると、処理をステップＡ１６に移行して、それ以降の処理を行う。
【０１７５】
〔始動口スイッチ監視処理〕
次に、上述の特図ゲーム処理における始動口スイッチ監視処理の詳細について説明する。図２７に示すように、始動口スイッチ監視処理では、先ず、第１始動口（始動入賞口３６）による保留の情報を設定するテーブルを準備した後（ステップＡ１１１）、特図始動口スイッチ共通処理（ステップＡ１１２）を行う。なお、ステップＡ１１２における特図始動口スイッチ共通処理の詳細については、ステップＡ１１７における特図始動口スイッチ共通処理とともに後述する。
【０１７６】
次に、普通電動役物（普通変動入賞装置３７）が作動中である、即ち、普通変動入賞装置３７が作動して遊技球の入賞が可能な開状態となっているか否かをチェックして、普通電動役物が作動中である（ステップＡ１１３；Ｙｅｓ）と判定すると、処理をステップＡ１１６に移行して、それ以降の処理を行う。一方、ステップＡ１１３にて、普通電動役物が作動中でない（ステップＡ１１３；Ｎｏ）と判定すると、普通変動入賞装置３７への不正入賞数が不正発生判定個数以上であるかをチェックして（ステップＡ１１４）、不正入賞数が不正発生判定個数以上であるか否かを判定する処理（ステップＡ１１５）を行う。普通変動入賞装置３７は、閉状態では遊技球が入賞不可能であり、開状態でのみ遊技球が入賞可能である。よって、閉状態で遊技球が入賞した場合は何らかの異常や不正が発生した場合であり、このような閉状態で入賞した遊技球があった場合はその数を不正入賞数として計数する。そして、このように計数された不正入賞数が所定の不正発生判定個数（上限値）以上であるかが判定される。
【０１７７】
ステップＡ１１５にて、不正入賞数が不正判定個数以上でない（ステップＡ１１５；Ｎｏ）と判定すると、第２始動口（普通変動入賞装置３７）による保留の情報を設定するテーブルを準備した後（ステップＡ１１６）、特図始動口スイッチ共通処理（ステップＡ１１７）を行って、始動口スイッチ監視処理を終了する。また、ステップＡ１１５にて、不正入賞数が不正判定個数以上であると判定された場合は（ステップＡ１１５；Ｙｅｓ）、始動口スイッチ監視処理を終了する。即ち、第２始動記憶をそれ以上発生させないようにする。
【０１７８】
〔特図始動口スイッチ共通処理〕
次に、上述の始動口スイッチ監視処理における特図始動口スイッチ共通処理（ステップＡ１１２、Ａ１１７）の詳細について説明する。特図始動口スイッチ共通処理は、始動口１スイッチ３６ａや始動口２スイッチ３７ａの入力があった場合に、各々の入力について共通して行われる処理である。
【０１７９】
図２８に示すように、特図始動口スイッチ共通処理では、先ず、始動口１スイッチ３６ａ及び始動口２スイッチ３７ａのうち、監視対象の始動口スイッチ（例えば、始動口１スイッチ３６ａ等）に入力があるか否かをチェックして（ステップＡ２０１）、監視対象の始動口スイッチに入力がない（ステップＡ２０２；Ｎｏ）と判定すると、特図始動口スイッチ共通処理を終了する。一方、ステップＡ２０２にて、監視対象の始動口スイッチに入力がある（ステップＡ２０２；Ｙｅｓ）と判定すると、当該監視対象の始動口スイッチの始動口入賞フラグをセーブした後（ステップＡ２０３）、当該監視対象のハード乱数ラッチレジスタに抽出された大当り乱数をロードし、準備する（ステップＡ２０４）。
【０１８０】
続けて、始動口１スイッチ３６ａ及び始動口２スイッチ３７ａのうち、監視対象の始動口スイッチ（例えば、始動口１スイッチ３６ａ等）への入賞の回数に関する情報が遊技機１０の外部の管理装置に対して出力された回数（始動口信号出力回数）を更新（＋１）し、出力回数がオーバーフローするか否かをチェックして（ステップＡ２０５）、出力回数がオーバーフローしない（ステップＡ２０６；Ｎｏ）と判定すると、更新後の値をＲＷＭの始動口信号出力回数領域にセーブして（ステップＡ２０７）、処理をステップＡ２０８に移行する。一方、ステップＡ２０６にて、出力回数がオーバーフローすると判定された場合は（ステップＡ２０６；Ｙｅｓ）、処理をステップＡ２０８に移行する。
【０１８１】
そして、ステップＡ２０８にて、始動口１スイッチ３６ａ及び始動口２スイッチ３７ａのうち、監視対象の始動口スイッチ（例えば、始動口１スイッチ３６ａ等）に対応する更新対象の特図保留（始動記憶）数が上限値未満か否かをチェックして（ステップＡ２０８）、特図保留数が上限値未満か否かを判定する処理（ステップＡ２０９）を行う。
【０１８２】
ステップＡ２０９にて、特図保留数が上限値未満である（ステップＡ２０９；Ｙｅｓ）と判定すると、更新対象の特図保留数（例えば、特図１保留数等）を更新（＋１）する処理（ステップＡ２１４）を行う。そして、始動口１スイッチ３６ａ及び始動口２スイッチ３７ａのうち、監視対象の始動口スイッチ（例えば、始動口１スイッチ３６ａ等）の飾り特図保留数コマンド（MODE）を準備した後（ステップＡ２１５）、特図保留数に対応する飾り特図保留数コマンド（ACTION）を準備して（ステップＡ２１６）、コマンド設定処理（ステップＡ２１７）を行う。続けて、特図保留数に対応する乱数セーブ領域のアドレスを算出する処理（ステップＡ２１８）を行い、大当り乱数をＲＷＭの大当り乱数セーブ領域にセーブする（ステップＡ２１９）。
【０１８３】
次に、当該監視対象の始動口スイッチの大当り図柄乱数を抽出して準備し（ステップＡ２２０）、ＲＷＭの大当り図柄乱数セーブ領域にセーブする（ステップＡ２２１）。さらに、対応する変動パターン乱数１から３を抽出してＲＷＭの各乱数のセーブ領域にセーブする（ステップＡ２２２、Ａ２２３、Ａ２２４）。そして、特図保留情報判定処理（ステップＡ２２５）を行って、特図始動口スイッチ共通処理を終了する。ここで、遊技制御装置１００（ＲＡＭ１１１Ｃ）は、始動入賞口３６や普通変動入賞装置３７の始動入賞領域への遊技球の流入に基づき、所定の乱数を抽出し前記変動表示ゲームの実行権利となる始動記憶として所定数を上限に記憶する始動入賞記憶手段をなす。また、始動入賞記憶手段（遊技制御装置１００）は、第１始動入賞口（始動入賞口３６）への遊技球の入賞に基づき抽出した各種の乱数値を、所定数を上限に第１始動記憶として記憶し、第２始動入賞口（普通変動入賞装置３７）への遊技球の入賞に基づき抽出した各種の乱数値を、所定数を上限に第２始動記憶として記憶する。
【０１８４】
一方、ステップＡ２０９にて、特図保留数が上限値未満でない（ステップＡ２０９；Ｎｏ）と判定すると、ステップＡ２０２に係る始動口スイッチの入力が始動口１スイッチ３６ａの入力であるか否かをチェックして（ステップＡ２１０）、始動口１スイッチ３６ａの入力である（ステップＡ２１１；Ｙｅｓ）と判定すると、飾り特図保留数コマンド（オーバーフローコマンド）を準備し（ステップＡ２１２）、コマンド設定処理（ステップＡ２１３）を行って、特図始動口スイッチ共通処理を終了する。一方、ステップＡ２１１にて、始動口１スイッチ３６ａの入力でないと判定された場合（ステップＡ２１１；Ｎｏ）は、特図始動口スイッチ共通処理を終了する。
【０１８５】
〔特図保留情報判定処理〕
次に、上述の始動口スイッチ共通処理における特図保留情報判定処理（ステップＡ２２５）の詳細について説明する。特図保留情報判定処理は、対応する始動記憶に基づく特図変動表示ゲームの開始タイミングより前に当該始動記憶に対応した結果関連情報の判定を行う先読み処理である。
【０１８６】
図２９に示すように、まず、先読み演出を実行してよい条件を満たしているかチェック（ステップＡ２３１）を行い、満たしていない場合（ステップＡ２３２；Ｎｏ）は、特図保留情報判定処理を終了する。また、満たしている場合（ステップＡ２３２；Ｙｅｓ）は、以下の先読み演出に関する処理を行う。
【０１８７】
ここで、先読み演出を実行してよい条件を満たしている場合とは、特図始動口スイッチ共通処理のステップＡ２０２に係る始動口スイッチの入力が始動口２スイッチ３７ａの入力である場合である。また、特図始動口スイッチ共通処理のステップＡ２０２に係る始動口スイッチの入力が始動口１スイッチ３６ａの入力である場合は、普通変動入賞装置３７の開放延長機能が作動中でない場合、即ち、時短状態中でない場合であり、大当り（特別遊技状態）中でもない場合である。
【０１８８】
先読み演出を実行してよい条件を満たしている場合（ステップＡ２３２；Ｙｅｓ）に行われる先読み演出に関する処理では、まず、大当り乱数値が大当り判定値と一致するか否かにより大当りであるか否かを判定する大当り判定処理（ステップＡ２３３）を行う。そして、判定結果が大当りである場合（ステップＡ２３４；Ｙｅｓ）は、対象の始動口スイッチに対応する大当り図柄乱数チェックテーブルを設定し（ステップＡ２３５）、大当り図柄乱数をチェックし、対応する入賞情報ポインタを取得する処理（ステップＡ２３６）を行う。その後、大当り情報テーブルのアドレステーブルを設定する処理（ステップＡ２３７）を行って、入賞情報ポインタに対応する大当り情報テーブルを取得して設定する処理（ステップＡ２３８）を行い、設定した情報テーブルから図柄情報を取得する処理（ステップＡ２４０）を行う。一方、判定結果が大当りでない場合（ステップＡ２３４；Ｎｏ）は、はずれ情報テーブルを設定し（ステップＡ２３９）、設定した情報テーブルから図柄情報を取得する処理（ステップＡ２４０）を行う。
【０１８９】
設定した情報テーブルから図柄情報を取得する処理（ステップＡ２４０）を行った後、取得した図柄情報を図柄情報（作業用）領域にセーブする（ステップＡ２４１）。そして、設定した情報テーブルから始動口入賞演出図柄コマンドを取得し（ステップＡ２４２）、当該始動口入賞演出図柄コマンドをＲＷＭの入賞演出図柄コマンド領域にセーブする（ステップＡ２４３）。
【０１９０】
次に、始動口１スイッチ３６ａ及び始動口２スイッチ３７ａのうち、監視対象の始動口スイッチの始動口入賞フラグを準備した後（ステップＡ２４４）、対象の始動口入賞演出コマンド設定テーブルを準備する（ステップＡ２４５）。そして、当該監視対象の始動口に関して設定された特図情報を設定する特図情報設定処理（ステップＡ２４６）を行う。続けて、特図変動表示ゲームにおける変動態様のうち、後半変動パターンを設定する後半変動パターン設定処理（ステップＡ２４７）を行った後、特図変動表示ゲームの変動態様を設定する変動パターン設定処理（ステップＡ２４８）を行う。なお、ステップＡ２４６における特図情報設定処理、ステップＡ２４７における後半変動パターン設定処理、ステップＡ２４８における変動パターン設定処理の各々は、特図普段処理で特図変動表示ゲームの開始時に実行される処理と同様である。
【０１９１】
そして、設定された変動パターンの前半変動番号に対応する始動口入賞演出コマンド（MODE）を算出して準備する（ステップＡ２４９）とともに、後半変動番号の値を始動口入賞演出コマンド（ACTION）として準備し（ステップＡ２５０）、コマンド設定処理（ステップＡ２５１）を行う。続けて、入賞演出図柄コマンド領域から始動口入賞演出図柄コマンドをロードして準備し（ステップＡ２５２）、コマンド設定処理（ステップＡ２５３）を行って、特図保留情報判定処理を終了する。すなわち、ステップＡ２４９、Ａ２５０にて始動口入賞演出コマンドが準備され、ステップＡ２５２にて始動口入賞演出図柄コマンドが準備されることで、始動記憶に対応した結果関連情報の判定結果（先読み結果）を、対応する始動記憶に基づく特図変動表示ゲームの開始タイミングより前に演出制御装置３００に対して知らせることができ、特に表示装置４１に表示される飾り特図始動記憶表示を変化させるなどして、その特図変動表示ゲームの開始タイミングより前に遊技者に結果関連情報を報知することが可能となる。
【０１９２】
すなわち、遊技制御装置１００が、始動入賞記憶手段（遊技制御装置１００）に始動記憶として記憶される乱数を、当該始動記憶に基づく変動表示ゲームの実行前に判定する（例えば特別結果となるか否か等を判定）事前判定手段をなす。なお、始動記憶に対応して記憶された乱数値を事前に判定する時期は、当該始動記憶が発生した始動入賞時だけではなく、当該始動記憶に基づく変動表示ゲームが行われる前であればいつでもよい。
【０１９３】
〔カウントスイッチ監視処理〕
次に、上述の特図ゲーム処理におけるカウントスイッチ監視処理（ステップＡ２）の詳細について説明する。図３０に示すように、カウントスイッチ監視処理では、まず、大入賞口（特別変動入賞装置３８）が開放中であるかをチェックし（ステップＡ２６１）、大入賞口が開放中でない場合（ステップＡ２６２；Ｎｏ）は、カウントスイッチ監視処理を終了する。また、大入賞口が開放中である場合（ステップＡ２６２；Ｙｅｓ）は、カウントスイッチ３８ａからの入力があるか否かをチェックする（ステップＡ２６３）。
【０１９４】
そして、カウントスイッチ３８ａからの入力がない場合（ステップＡ２６４；Ｎｏ）、すなわち特別変動入賞装置３８への遊技球の入賞を検出していない場合は、カウントスイッチ監視処理を終了する。また、カウントスイッチ３８ａからの入力がある場合（ステップＡ２６４；Ｙｅｓ）、すなわち特別変動入賞装置３８への遊技球の入賞を検出した場合は、大入賞口カウンタの数値を更新（＋１）し（ステップＡ２６５）、入賞に関する情報（入賞数や賞球数に関する情報）を演出制御装置３００に送信するための表示カウントアップ処理（ステップＡ２６６、図２４参照）を行う。
【０１９５】
その後、大入賞口カウンタのカウント数が上限値に達したかをチェックする（ステップＡ２６７）。なお、大入賞口カウンタの上限値とは、一のラウンド遊技で特別変動入賞装置３８に入賞可能な遊技球の数である。大入賞口カウント数が上限値に達していない場合（ステップＡ２６８；Ｎｏ）は、カウントスイッチ監視処理を終了する。また、大入賞口カウント数が上限値に達した場合（ステップＡ２６８；Ｙｅｓ）は、特図ゲーム処理タイマを０クリアし（ステップＡ２６９）、カウントスイッチ監視処理を終了する。
【０１９６】
〔図柄変動制御処理〕
次に、上述の特図ゲーム処理における図柄変動制御処理（ステップＡ１７、Ａ１９）の詳細について説明する。図柄変動制御処理は、第１特図や第２特図等の特別図柄の変動の制御と特別図柄の表示データの設定を行う処理である。図３１に示すように、図柄変動制御処理では、まず、第１特図及び第２特図のうち、制御対象の特図（例えば、第１特図等）に係る特図変動制御フラグが変動中であるかをチェックする（ステップＡ２３１）。
【０１９７】
そして、当該特図変動中フラグが変動中である場合（ステップＡ２３２；Ｙｅｓ）は、制御対象の特図（例えば、第１特図等）に対応する特図表示テーブル（変動用）を取得し（ステップＡ２３３）、第１特図及び第２特図のうち、制御対象の特図（例えば、第１特図等）に係る変動タイマを−１更新して、当該タイマがタイムアップしたか否かをチェックする（ステップＡ２３４）。
【０１９８】
変動タイマがタイムアップしていない場合（ステップＡ２３５；Ｎｏ）は、表示図柄ポインタとして対象の変動図柄番号領域の値をロードする（ステップＡ２３８）。また、変動タイマがタイムアップした場合（ステップＡ２３５；Ｙｅｓ）は、図柄変動制御タイマ初期値を制御対象の変動タイマ領域にセーブし（ステップＡ２３６）、第１特図及び第２特図のうち、制御対象の特図（例えば、第１特図等）に係る変動図柄番号を＋１更新して（ステップＡ２３７）、表示図柄ポインタとして対象の変動図柄番号領域の値をロードする（ステップＡ２３８）。その後、表示図柄ポインタに対応する表示データを取得し（ステップＡ２４１）、取得した表示データを対象のセグメント領域にセーブして（ステップＡ２４２）、図柄変動制御処理を終了する。
【０１９９】
一方、特図変動中フラグが変動中でない場合（ステップＡ２３２；Ｎｏ）は、制御対象の特図（例えば、第１特図等）に対応する特図表示テーブル（停止用）を取得する（ステップＡ２３９）。そして、表示図柄ポインタとして対象の変動図柄番号領域の値をロードする（ステップＡ２４０）。その後、表示図柄ポインタに対応する表示データを取得し（ステップＡ２４１）、取得した表示データを対象のセグメント領域にセーブして（ステップＡ２４２）、図柄変動制御処理を終了する。これにより、特図１表示器及び特図２表示器のうち、制御対象となる特図表示器（例えば、特図１表示器等）に図柄番号に対応した特図が表示されることとなる。
【０２００】
〔特図普段処理〕
次に、上述の特図ゲーム処理における特図普段処理（ステップＡ９）の詳細について説明する。図３２に示すように、特図普段処理では、先ず、特図２保留数（第２始動記憶数）が０であるか否かをチェックする（ステップＡ２７１）。そして、特図２保留数が０である（ステップＡ２７２；Ｙｅｓ）と判定すると、特図１保留数（第１始動記憶数）が０であるか否かをチェックする（ステップＡ２７３）。そして、特図１保留数が０である（ステップＡ２７４；Ｙｅｓ）と判定すると、既に客待ちデモが開始されているか否かをチェックして（ステップＡ２７５）、客待ちデモを開始していない、即ち、開始済みでない（ステップＡ２７６；Ｎｏ）と判定すると、客待ちデモフラグ領域に客待ちデモ中フラグをセーブする処理（ステップＡ２７７）を行う。
【０２０１】
続けて、客待ちデモコマンドを準備して（ステップＡ２７８）、コマンド設定処理（ステップＡ２７９）を行う。一方、ステップＡ２７５にて、既に客待ちデモが開始されている（ステップＡ２７６；Ｙｅｓ）と判定すると、既に客待ちデモフラグは客待ちデモ中に設定（ステップＡ２７７）され、客待ちデモコマンドも準備（ステップＡ２７８）され、コマンド設定処理（ステップＡ２７９）も実行されているため、これらの処理を行わずにステップＡ２８０に移行する。そして、特図普段処理移行設定処理１（ステップＡ２８０）を行って、特図普段処理を終了する。
【０２０２】
図３３に示すように特図普段処理移行設定処理１では、処理番号として特図普段処理に係る「０」を設定し（ステップＡ２９１）、特図ゲーム処理番号領域に処理番号をセーブする（ステップＡ２９２）。そして、変動図柄判別フラグ領域をリセットし（ステップＡ２９３）、大入賞口不正監視期間フラグ領域に不正監視期間中フラグをセーブして（ステップＡ２９３）、特図普段処理移行設定処理１を終了する。
【０２０３】
図３２に戻り、ステップＡ２７２にて、特図２保留数が０でない（ステップＡ２７２；Ｎｏ）と判定すると、特図２変動開始処理（ステップＡ２８１）を行い、特図２の特図変動中処理移行設定処理（ステップＡ２８２）を行って、特図普段処理を終了する。また、ステップＡ２７４にて、特図１保留数が０でない（ステップＡ２７４；Ｎｏ）と判定すると、特図１変動開始処理（ステップＡ２８３）を行い、特図１の特図変動中処理移行設定処理（ステップＡ２８４）を行って、特図普段処理を終了する。このように、ステップＡ２７１とステップＡ２７２における特図２保留数のチェックを、ステップＡ２７３とステップＡ２７４における特図１保留数のチェックよりも先に行うことで、特図２保留数が０でない場合には、特図２変動開始処理（ステップＡ２８１）が実行されることとなる。すなわち、第２特図変動表示ゲームが第１特図変動表示ゲームに優先して実行されることとなる。つまり、遊技制御装置１００が、第２始動記憶手段（遊技制御装置１００）に第２始動記憶がある場合には、当該第２始動記憶に基づく変動表示ゲームを、第１始動記憶に基づく変動表示ゲームよりも優先的に実行する優先制御手段をなす。
【０２０４】
〔特図１変動開始処理〕
次に、上述の特図普段処理における特図１変動開始処理（ステップＡ２８３）の詳細について説明する。特図１変動開始処理は、第１特図変動表示ゲームの開始時に行う処理であり、具体的には、図３４に示すように、まず、第１特図変動表示ゲームが大当りであるか否かを判定するための大当りフラグ１にはずれ情報や大当り情報を設定する大当りフラグ１設定処理（ステップＡ３０１）を行う。
【０２０５】
次に、特図１停止図柄（図柄情報）の設定に係る特図１停止図柄設定処理（ステップＡ３０２）を行った後、設定された特図１停止図柄の特図１停止図柄番号に対応する試験信号を試験信号出力データ領域にセーブする（ステップＡ３０３）。続けて、特図１停止図柄設定処理にて設定された停止図柄パターン情報（図柄情報）をＲＷＭの作業用の図柄情報領域にセーブする（ステップＡ３０４）。
【０２０６】
次に、特図１変動フラグを設定して準備し（ステップＡ３０５）、特図１変動フラグをＲＷＭの変動図柄判別フラグ領域にセーブする（ステップＡ３０６）。続けて、変動パターンに関する情報を設定する対象のテーブル（特図１用）を準備して（ステップＡ３０７）、特図情報を設定する特図情報設定処理（ステップＡ３０８）を行う。続けて、第１特図変動表示ゲームにおける変動態様のうち、後半変動パターンを設定する後半変動パターン設定処理（ステップＡ３０９）を行った後、第１特図変動表示ゲームの変動態様を設定する変動パターン設定処理（ステップＡ３１０）を行う。その後、第１特図の変動開始の情報を設定する変動開始情報設定処理（ステップＡ３１１）を行って、特図１変動開始処理を終了する。
【０２０７】
〔大当りフラグ１設定処理〕
図３５には、上述の特図１変動開始処理における大当りフラグ１設定処理（ステップＡ３０１）を示した。この大当りフラグ１設定処理では、まず、大当りフラグ１領域にはずれ情報をセーブする（ステップＡ３２１）。次に、ＲＷＭの乱数セーブ領域（特図１用）から大当り乱数をロードして準備し（ステップＡ３２２）、取得した大当り乱数値が大当り判定値と一致するか否かに応じて大当りであるか否かを判定する大当り判定処理（ステップＡ３２３）を行う。
【０２０８】
そして、ステップＡ３２３における大当り判定処理の判定結果が大当りである場合（ステップＡ３２４；Ｙｅｓ）は、ステップＡ３２１にてはずれ情報をセーブした大当りフラグ１領域に大当り情報を上書きしてセーブした後（ステップＡ３２５）、ＲＷＭの乱数セーブ領域（特図１用）を０クリアして（ステップＡ３２６）、大当りフラグ１設定処理を終了する。一方、ステップＡ３２３における大当り判定処理の判定結果が大当りでない場合（ステップＡ３２４；Ｎｏ）は、大当りフラグ１にはずれ情報をセーブしたままでＲＷＭの乱数セーブ領域（特図１用）を０クリアして（ステップＡ３２６）、大当りフラグ１設定処理を終了する。
【０２０９】
〔大当り判定処理〕
図３６には、上述の大当りフラグ１設定処理における大当り判定処理（ステップＡ３２３）を示した。この大当り判定処理では、まず、大当り判定値の下限判定値を設定し（ステップＡ３３１）、大当り乱数の値が下限判定値未満かチェックする（ステップＡ３３２）。なお、大当りであるとは大当り乱数が大当り判定値と一致することである。大当り判定値は連続する複数の値であり、大当り乱数が、大当り判定値の下限の値である下限判定値以上で、かつ、大当り判定値の上限の値である上限判定値以下である場合に、大当りであると判定される。
【０２１０】
大当り乱数の値が下限判定値未満である場合（ステップＡ３３３；Ｙｅｓ）、すなわちはずれである場合は、判定結果としてはずれを設定し（ステップＡ３３９）、大当り判定処理を終了する。また、大当り乱数の値が下限判定値未満でない場合（ステップＡ３３３；Ｎｏ）は、高確率状態であるかを判定する（ステップＡ３３４）。
【０２１１】
そして、高確率状態である場合（ステップＡ３３４；Ｙｅｓ）は、高確率時の上限判定値を設定し（ステップＡ３３５）、対象の大当り乱数の値が上限判定値より大きいかをチェックする（ステップＡ３３７）。また、高確率状態でない場合（ステップＡ３３４；Ｎｏ）は、低確率時の上限判定値を設定し（ステップＡ３３６）、対象の大当り乱数の値が上限判定値より大きいかをチェックする（ステップＡ３３７）。
【０２１２】
大当り乱数の値が上限判定値より大きい場合（ステップＡ３３８；Ｙｅｓ）、すなわちはずれである場合は、判定結果としてはずれを設定し（ステップＡ３３９）、大当り判定処理を終了する。また、大当り乱数の値が上限判定値より大きくない場合（ステップＡ３３８；Ｎｏ）、すなわち大当りである場合は、判定結果として大当りを設定し（ステップＡ３４０）、大当り判定処理を終了する。
【０２１３】
〔特図１停止図柄設定処理〕
図３７には、上述の特図１変動開始処理における特図１停止図柄設定処理（ステップＡ３０２）を示した。この特図１停止図柄設定処理では、まず、大当りフラグ１が大当りかをチェックし（ステップＡ３４１）、大当りである場合（ステップＡ３４２；Ｙｅｓ）は、特図１の大当り図柄テーブルを設定し（ステップＡ３４３）、大当り図柄乱数セーブ領域（特図１用）から大当り図柄乱数をロードする（ステップＡ３４４）。次に、大当り図柄乱数に対応する停止図柄番号を取得して準備し（ステップＡ３４５）、取得した停止図柄番号を特図１停止図柄領域にセーブする（ステップＡ３４６）。この処理により特別結果の種類が選択される。
【０２１４】
その後、普電サポート中（時短状態中）であるかを判定し（ステップＡ３４７）、普電サポート中である場合（ステップＡ３４７；Ｙｅｓ）は、高確率時、時短時の特図１大当り停止図柄情報テーブルを準備し（ステップＡ３４８）、特別結果態様の種類に従った特別遊技状態の実行態様の設定や、特別遊技状態の終了後の遊技の設定を行う停止図柄情報設定処理（ステップＡ３５０）を行う。また、普電サポート中でない場合（ステップＡ３４７；Ｎｏ）は、低確率時の特図１大当り停止図柄情報テーブルを準備し（ステップＡ３４９）、停止図柄情報設定処理（ステップＡ３５０）を行う。その後、飾り特図コマンドテーブルを設定する処理（ステップＡ３５３）を行う。
【０２１５】
一方、大当りでない場合（ステップＡ３４２；Ｎｏ）は、はずれ時の停止図柄番号を特図１停止図柄領域にセーブし（ステップＡ３５１）、はずれ時の図柄情報を図柄情報領域にセーブする（ステップＡ３５２）。そして、飾り特図コマンドテーブルを設定する処理（ステップＡ３５３）を行う。以上の処理により、特図変動表示ゲームの結果に対応した停止図柄が設定される。
【０２１６】
飾り特図コマンドテーブルを設定する処理（ステップＡ３５３）を行った後、図柄情報に対応する飾り特図コマンド（ACTION）を取得し（ステップＡ３５４）、飾り特図１コマンド（MODE）を設定して（ステップＡ３５５）、飾り特図コマンド領域にコマンドをセーブする（ステップＡ３５６）。この飾り特図１コマンドは、後に演出制御装置３００に送信される。その後、大当り図柄乱数セーブ領域（特図１用）を０クリアし（ステップＡ３５７）、特図１停止図柄設定処理を終了する。
【０２１７】
〔停止図柄情報設定処理〕
図３８には、上述の特図１停止図柄設定処理において、結果が大当りである場合に行われる停止図柄情報設定処理（ステップＡ３５０）を示した。この停止図柄情報設定処理では、まず、対象の停止図柄番号に対応する図柄情報を取得し、図柄情報領域にセーブする（ステップＡ３６１）を行う。このとき、普電サポート中であるか否かにより異なる停止図柄情報テーブルを用いるようにしているので、同じ停止図柄番号であっても普電サポート中であるか否かにより取得される図柄情報が異ならせることができ、特図１表示器の表示や表示装置４１での表示から大当りの種類を類推しにくくすることができる。
【０２１８】
次に、停止図柄番号に対応する確率変動判定フラグを取得して確率変動判定フラグ領域にセーブする（ステップＡ３６２）。確率変動判定フラグは特別遊技状態の終了後の確率状態を設定するためのものである。その後、停止図柄番号に対応するラウンド数上限値情報を取得してラウンド数上限値情報領域にセーブし（ステップＡ３６３）、停止図柄番号に対応する大入賞口開放情報を取得して大入賞口開放情報領域にセーブする（ステップＡ３６４）。
【０２１９】
そして、停止図柄番号に対応する特殊演出情報を取得して特殊演出情報領域にセーブし（ステップＡ３６５）、停止図柄情報設定処理を終了する。停止図柄番号に対応する特殊演出情報を取得して特殊演出情報領域にセーブする処理（ステップＡ３６５）により、特別遊技状態の終了後の変動パターン選択テーブルの切替タイミングやこれに伴う表示モードの変更タイミングを規定する特殊演出情報が設定される。
【０２２０】
〔特図情報設定処理〕
次に、上述の特図１変動開始処理における特図情報設定処理（ステップＡ３０８）の詳細について説明する。図３９に示すように特図情報設定処理では、まず、準備したフラグ（ここでは特図１変動フラグ）を対象の特図を示すフラグとして図柄判別フラグ（作業用）領域にセーブする（ステップＡ３７１）。
【０２２１】
次に、情報生成パラメータ１として、対象の特図保留数をロードし（ステップＡ３７２）、情報生成パラメータ２として、特殊演出情報（振分用）をロードして（ステップＡ３７３）、普電サポート中（時短状態中）であるかを判定する（ステップＡ３７４）。そして、普電サポート中（時短状態中）でない場合（ステップＡ３７４；Ｎｏ）は、情報生成パラメータ３として普電サポートなしの値を設定する（ステップＡ３７５）。
【０２２２】
また、普電サポート中（時短状態中）である場合（ステップＡ３７４；Ｙｅｓ）は、特図変動表示ゲームが高確率時であるかを判定し（ステップＡ３７６）、高確率時でない場合は（ステップＡ３７６；Ｎｏ）は、情報生成パラメータ３として、低確率＆普電サポート中の値を設定する（ステップＡ３７７）。また、高確率時である場合は（ステップＡ３７６；Ｙｅｓ）は、前半情報生成パラメータ２が特殊演出実行中の値かをチェックする（ステップＡ３７８）。
【０２２３】
前半情報生成パラメータ２が特殊演出実行中の値でない場合（ステップＡ３７８；Ｎｏ）は、情報生成パラメータ３として、高確率＆普電サポート中の値を設定する（ステップＡ３８０）。また、前半情報生成パラメータ２が特殊演出実行中の値である場合（ステップＡ３７８；Ｙｅｓ）は、前半情報生成パラメータ３として、特殊演出実行時の値を設定する（ステップＡ３８１）。
【０２２４】
以上の処理によって、情報生成パラメータ１から３を設定した後、情報生成パラメータ１と３を元に前半変動情報１を生成して前半変動情報１領域にセーブし（ステップＡ３８２）、情報生成パラメータ２を元に前半変動情報２を生成して前半変動情報２領域にセーブする（ステップＡ３８３）。前半変動情報とは、変動パターンのうちリーチ状態となるまでの前半変動パターンを決定するための情報である。そして、前半変動情報１は、結果がはずれでありリーチ状態とならない場合の前半変動情報である。この前半変動情報１は特図保留数も考慮して前半変動パターンが決定されるため、情報生成パラメータ１と３を元に生成される。また、前半変動情報２は、結果がはずれでありリーチ状態となる場合や結果が大当りとなる場合の前半変動情報である。この前半変動情報２は特図保留数を考慮せずに前半変動パターンが決定される。なお、この前半変動情報１、２を生成した時点ではどちらが用いられるかは決定されておらず、後に他の情報生成パラメータを参照して決定される。
【０２２５】
次に、情報生成パラメータ４として、はずれや大当りの場合の図柄に関する情報である図柄情報（作業用）をロードし（ステップＡ３８４）、情報生成パラメータ５として、特図変動表示ゲームを実行するのが特図１と２の何れであるかの情報である図柄判別フラグ（作業用）をロードする（ステップＡ３８５）。
【０２２６】
そして、情報生成パラメータ４及び５を元に前半変動グループ情報を生成して対象の前半変動グループ情報領域にセーブする（ステップＡ３８６）。これにより、上述の前半変動情報１と２の何れを用いるかが決定されることとなる。その後、情報生成パラメータ１を元に後半変動グループ情報を生成して対象の後半変動グループ情報領域にセーブし（ステップＡ３８７）、さらに、情報生成パラメータ２、４及び５を元に変動グループ選択テーブルポインタを生成して準備し（ステップＡ３８８）、特図情報設定処理を終了する。
【０２２７】
〔後半変動パターン設定処理〕
次に、上述の特図１変動開始処理における後半変動パターン設定処理（ステップＡ３０９）の詳細について説明する。図４０に示すように後半変動パターン設定処理では、まず、変動グループ選択テーブルポインタに対応する変動グループ選択テーブルのアドレスを算出し、準備する（ステップＡ３９１）。
【０２２８】
そして、図柄情報（作業用）がはずれ図柄情報であるかをチェックし（ステップＡ３９２）、はずれ図柄情報でない場合（ステップＡ３９３；Ｎｏ）は、対象の領域から変動パターン乱数１をロードして準備する（ステップＡ３９６）。また、はずれ図柄情報である場合（ステップＡ３９３；Ｙｅｓ）は、対象の後半変動グループ情報領域から後半変動グループ情報をロードする（ステップＡ３９４）。さらに、後半変動グループ情報に対応するアドレスを追加算出して変動グループ選択テーブルとして準備し（ステップＡ３９５）、対象の領域から変動パターン乱数１をロードして準備する（ステップＡ３９６）。これにより、大当りの場合とはずれの場合とで変動パターン選択テーブルを異ならせることが可能となる。
【０２２９】
その後、２バイト振り分け処理（ステップＡ３９７）を行い、振り分けた結果得られた後半変動選択テーブルのアドレスを取得して準備する（ステップＡ３９８）。次に、対象の領域から変動パターン乱数２をロードして準備し（ステップＡ３９９）、振り分け処理（ステップＡ４００）を行って、振り分けた結果得られた後半変動番号を取得する（ステップＡ４０１）。その後、後半変動番号を対象の後半変動番号領域にセーブして（ステップＡ４０２）、後半変動パターン設定処理を終了する。
【０２３０】
〔２バイト振り分け処理〕
図４１には、上述の後半変動パターン設定処理における２バイト振り分け処理（ステップＡ３９７）を示した。２バイト振り分け処理は、変動パターン乱数１に基づいて、はずれ変動パターン選択テーブルや大当り変動パターン選択テーブル等の変動グループ選択テーブルから特図変動表示ゲームの後半変動パターングループを選択するための処理である。
【０２３１】
この２バイト振り分け処理では、まず、後半変動パターン設定処理にて準備した変動グループ選択テーブル（選択テーブル）の先頭のデータが振り分けなしのコード（即ち、「０」）であるかをチェックする（ステップＡ４１１）。ここで、変動グループ選択テーブルは、少なくとも一の後半変動パターングループと対応付けて所定の振り分け値を記憶しているが、後半変動パターンが「リーチなし」となる後半変動パターングループのみを規定する変動グループ選択テーブル（例えば、はずれ変動パターン選択テーブルにあっては、振分けの必要がないため、振り分け値「０」、即ち、振り分けなしのコードが先頭に規定されている。
【０２３２】
そして、変動グループ選択テーブルの先頭のデータが振り分けなしのコードである場合（ステップＡ４１２；Ｙｅｓ）は、振り分け結果に対応するデータのアドレスに更新して（ステップＡ４１８）、２バイト振り分け処理を終了する。一方、変動グループ選択テーブルの先頭のデータが振り分けなしのコードでない場合（ステップＡ４１２；Ｎｏ）は、選択値として対象の変動パターン乱数（変動パターン乱数１）をロードし（ステップＡ４１３）、変動グループ選択テーブルに最初に規定されている一の振り分け値を取得する（ステップＡ４１４）。
【０２３３】
続けて、ステップＡ４１３にてロードされた選択値（変動パターン乱数１の値）からステップＡ４１４にて取得された振り分け値を減算して新たな選択値を算出し（ステップＡ４１５）、当該算出された新たな選択値が「０」よりも小さいかを判定する（ステップＡ４１６）。新たな選択値が「０」よりも小さくない場合（ステップＡ４１６；Ｎｏ）は、次の振り分け値のアドレスに更新した後（ステップＡ４１７）、処理をステップＡ４１４に移行して、それ以降の処理を行う。即ち、ステップＡ４１４にて、変動グループ選択テーブルに次に規定されている振り分け値を取得した後、ステップＡ４１６にて判定済みの新たな選択値を選択値として振り分け値を減算することで新たな選択値を算出する（ステップＡ４１５）。そして、算出された新たな選択値が「０」よりも小さいか否かを判定する（ステップＡ４１６）。
【０２３４】
上記の処理をステップＡ４１６にて、新たな選択値が「０」よりも小さい（ステップＡ４１６；Ｙｅｓ）と判定するまで実行する。これにより、変動グループ選択テーブルに規定されている少なくとも一の後半変動パターングループの中から何れか一の後半変動パターングループが選択される。そして、ステップＡ４１６にて、新たな選択値が「０」よりも小さい（ステップＡ４１６；Ｙｅｓ）と判定すると、振り分け結果に対応するデータのアドレスに更新して（ステップＡ４１８）、２バイト振り分け処理を終了する。
【０２３５】
〔振り分け処理〕
図４２には、上述の後半変動パターン設定処理における振り分け処理（ステップＡ４００）を示した。振り分け処理は、変動パターン乱数２に基づいて、後半変動選択テーブル（後半変動パターングループ）から特図変動表示ゲームの後半変動パターンを選択したり、変動パターン乱数３に基づいて、前半変動選択テーブル（前半変動パターングループ）から特図変動表示ゲームの前半変動パターンを選択したりするための処理である。
【０２３６】
この振り分け処理では、まず、準備された後半変動選択テーブル（選択テーブル）や前半変動選択テーブル（選択テーブル）の先頭のデータが振り分けなしのコード（即ち、「０」）であるか否かをチェックする（ステップＡ４２１）。ここで、後半変動選択テーブルや前半変動選択テーブルは、変動グループ選択テーブルと同様に、少なくとも一の後半変動パターンや前半変動パターンと対応付けて所定の振り分け値を記憶しているが、振分けの必要がない選択テーブルの場合、振り分け値「０」、即ち、振り分けなしのコードが先頭に規定されている。
【０２３７】
そして、後半変動選択テーブルや前半変動選択テーブルの先頭のデータが振り分けなしのコードである場合（ステップＡ４２２；Ｙｅｓ）は、振り分け結果に対応するデータのアドレスに更新して（ステップＡ４２８）、振り分け処理を終了する。一方、後半変動選択テーブルや前半変動選択テーブルの先頭のデータが振り分けなしのコードでない場合（ステップＡ４２２；Ｎｏ）は、対象の変動パターン乱数（変動パターン乱数２や変動パターン乱数３）を選択値としてロードし（ステップＡ４２３）、後半変動選択テーブルや前半変動選択テーブルに最初に規定されている一の振り分け値を取得する（ステップＡ４２４）。
【０２３８】
続けて、ステップＡ４２３にてロードされた選択値（変動パターン乱数２や変動パターン乱数３の値）からステップＡ４２４にて取得された振り分け値を減算して新たな選択値を算出した後（ステップＡ４２５）、当該算出された新たな選択値が「０」よりも小さいかを判定する（ステップＡ４２６）。そして、新たな選択値が「０」よりも小さくない場合（ステップＡ４２６；Ｎｏ）は、次の振り分け値のアドレスに更新した後（ステップＡ４２７）、処理をステップＡ４２４に移行して、それ以降の処理を行う。
【０２３９】
即ち、ステップＡ４２４にて、後半変動選択テーブルや前半変動選択テーブルに次に規定されている振り分け値を取得した後、ステップＡ４２６にて判定済みの新たな選択値を選択値として振り分け値を減算することで新たな選択値を算出する（ステップＡ４２５）。そして、算出された新たな選択値が「０」よりも小さいか否かを判定する（ステップＡ４２６）。上記の処理をステップＡ４２６にて、新たな選択値が「０」よりも小さい（ステップＡ４２６；Ｙｅｓ）と判定するまで実行する。これにより、後半変動選択テーブルや前半変動選択テーブルに規定されている少なくとも一の後半変動パターンや前半変動パターンの中から何れか一の後半変動番号や前半変動番号を選択する。そして、ステップＡ４２６にて、新たな選択値が「０」よりも小さい（ステップＡ４２６；Ｙｅｓ）と判定すると、振り分け結果に対応するデータのアドレスに更新して（ステップＡ４２８）、振り分け処理を終了する。
【０２４０】
〔変動パターン設定処理〕
次に、上述の特図変動開始処理における変動パターン設定処理（ステップＡ３１０）の詳細について説明する。図４３に示すように変動パターン設定処理では、まず、対象の前半変動グループ情報領域から前半変動グループ情報をロードし（ステップＡ４３１）、前半変動グループ情報に対応する前半変動グループテーブルのアドレスを算出（ステップＡ４３２）。
【０２４１】
次に、対象の領域から後半変動番号をロードし（ステップＡ４３３）、算出後のテーブルを用い、後半変動番号に対応するアドレスを算出して（ステップＡ４３４）、後半変動番号がリーチなし変動の番号かをチェックする（ステップＡ４３５）。そして、リーチなし変動である場合（ステップＡ４３６；Ｙｅｓ）は、対象の前半変動情報１領域から前半変動情報１をロードし（ステップＡ４３７）、算出後のテーブルを用い前半変動情報に対応するアドレスを算出する（ステップＡ４３９）。また、リーチなし変動でない場合（ステップＡ４３６；Ｎｏ）は、対象の前半変動情報２領域から前半変動情報２をロードし（ステップＡ４３８）、算出後のテーブルを用い前半変動情報に対応するアドレスを算出する（ステップＡ４３９）。
【０２４２】
その後、算出後のアドレスから前半変動選択テーブルのアドレスを取得して準備し（ステップＡ４４０）、対象の領域から変動パターン乱数３をロードして準備する（ステップＡ４４１）。そして、振り分け処理を行い（ステップＡ４４２）、振り分けた結果得られた前半変動番号を取得して準備し（ステップＡ４４３）、変動パターン設定処理を終了する。
【０２４３】
〔変動開始情報設定処理〕
次に、上述の特図１変動開始処理における変動開始情報設定処理（ステップＡ３１１）の詳細について説明する。図４４に示すように変動開始情報設定処理では、まず、対象の変動パターン乱数１〜３の乱数セーブ領域を０クリアする（ステップＡ４５１）。次に、前半変動時間値テーブルを設定し（ステップＡ４５２）、前半変動番号に対応する前半変動時間値を取得する（ステップＡ４５３）。さらに、後半変動時間値テーブルを設定し（ステップＡ４５４）、後半変動番号に対応する後半変動時間値を取得する（ステップＡ４５５）。
【０２４４】
そして、前半変動時間値と後半変動時間値を加算し（ステップＡ４５６）、加算値を特図ゲーム処理タイマ領域にセーブする（ステップＡ４５７）。その後、前半変動番号に対応する変動コマンド（MODE）を算出して準備し（ステップＡ４５８）、前半変動番号の値を変動コマンド（ACTION）として準備して（ステップＡ４５９）、コマンド設定処理を行う（ステップＡ４６０）。
【０２４５】
次に、飾り特図コマンド領域から図柄情報コマンドをロードして準備し（ステップＡ４６１）、コマンド設定処理を行う（ステップＡ４６２）。その後、変動図柄判別フラグに対応する飾り特図保留数コマンド（MODE）を準備し（ステップＡ４６３）、変動図柄判別フラグに対応する乱数セーブ領域のアドレスを設定して（ステップＡ４６４）、変動図柄判別フラグに対応する特図保留数を−１更新する（ステップＡ４６５）。そして、特図保留数に対応する飾り特図保留数コマンド（ACTION）を準備し（ステップＡ４６６）、コマンド設定処理を行う（ステップＡ４６７）。その後、変動図柄判別フラグに対応する乱数セーブ領域をシフトし（ステップＡ４６８）、シフト後の空き領域を０クリアして（ステップＡ４６９）、変動開始情報設定処理を終了する。
【０２４６】
以上の処理により、特図変動表示ゲームの変動パターンに関する情報を含む特図変動表示ゲームの開始に関する情報が設定され、後に演出制御装置３００に送信されることとなる。これらの特図変動表示ゲームの開始に関する情報としては、例えば、特図変動表示ゲームの変動パターンに関する情報を含む変動パターンコマンド、飾り特図変動表示ゲームに係る停止図柄パターン（停止結果態様）情報に対応する飾り特図コマンド、表示装置４１に表示される飾り特図始動記憶表示に係る飾り特図保留数コマンド（飾り特図保留数コマンド）が挙げられる。すなわち、遊技制御装置１００が、始動記憶手段（遊技制御装置１００）に記憶された各種の乱数値の判定を行う判定手段をなす。また、遊技制御装置１００が、始動記憶の判定情報に基づいて、変動表示ゲームで実行する識別情報の変動パターンを決定することが可能な変動パターン決定手段をなす。
【０２４７】
なお、特図２変動開始処理（ステップＡ２８１）では、図３４から図４４に示した特図１変動開始処理での処理と同様の処理を、第２始動記憶を対象として行うことで、第２特図変動表示ゲームについての情報が設定される。すなわち、遊技制御装置１００が、第１始動入賞口（始動入賞口３６）での遊技球の検出に基づいて変動表示ゲームとして第１変動表示ゲームを実行し、第２始動入賞口（普通変動入賞装置３７）での遊技球の検出に基づいて変動表示ゲームとして第２変動表示ゲームを実行する変動表示ゲーム実行手段をなす。また、遊技制御装置１００が、判定手段（遊技制御装置１００）による判定結果に基づき変動表示ゲームの実行を制御する変動表示ゲーム実行制御手段をなす。
【０２４８】
〔特図変動中処理移行設定処理（特図１）〕
図４５には、特図普段処理（図３２参照）における特図変動中処理移行設定処理（特図１）（ステップＡ２８４）を示した。この特図変動中処理移行設定処理（特図１）では、まず、処理番号として「１」を設定し（ステップＡ４７１）、特図ゲーム処理番号領域に処理番号をセーブする（ステップＡ４７２）。
【０２４９】
そして、客待ちデモフラグ領域に客待ちデモ中以外フラグをセーブし（ステップＡ４７３）、特図１の変動開始に関する信号を試験信号出力データ領域にセーブする（ステップＡ４７４）。その後、特図１変動表示ゲームの制御フラグ領域に変動中フラグをセーブし（ステップＡ４７５）、特図１変動制御タイマ領域に図柄変動制御タイマ（特図１表示器の点滅の周期のタイマ）の初期値を設定して（ステップＡ４７６）、特図変動中処理移行設定処理（特図１）を終了する。
【０２５０】
〔特図変動中処理移行設定処理（特図２）〕
図４６には、特図普段処理（図３２参照）における特図変動中処理移行設定処理（特図２）（ステップＡ２８２）を示した。この特図変動中処理移行設定処理（特図２）では、まず、処理番号として「１」を設定し（ステップＡ４８１）、特図ゲーム処理番号領域に処理番号をセーブする（ステップＡ４８２）。
【０２５１】
そして、客待ちデモフラグ領域に客待ちデモ中以外フラグをセーブし（ステップＡ４８３）、特図２の変動開始に関する信号を試験信号出力データ領域にセーブする（ステップＡ４８４）。その後、特図２変動表示ゲームの制御フラグ領域に変動中フラグをセーブし（ステップＡ４８５）、特図２変動制御タイマ領域に図柄変動制御タイマ（特図２表示器の点滅の周期のタイマ）の初期値を設定して（ステップＡ４８６）、特図変動中処理移行設定処理（特図２）を終了する。
【０２５２】
〔特図変動中処理〕
次に、上述の特図ゲーム処理における特図変動中処理（ステップＡ１０）の詳細について説明する。図４７に示すように、特図変動中処理では、まず、特図１又は特図２停止図柄設定処理にて設定された図柄情報（停止図柄パターン情報）が、はずれ図柄情報であるかをチェックする（ステップＡ４９１）。
【０２５３】
そして、図柄情報がはずれ図柄である場合（ステップＡ４９２；Ｙｅｓ）は、後半変動パターン設定処理にて設定された後半変動番号がリーチなしの番号であるか否かをチェックする（ステップＡ４９３）。後半変動番号がリーチなしの番号である場合（ステップＡ４９４；Ｙｅｓ）は、はずれ時の特図表示時間ポインタを設定し（ステップＡ４９５）、特図表示時間テーブルを設定する処理（ステップＡ４９８）を行う。また、後半変動番号がリーチなしの番号でない場合（ステップＡ４９４；Ｎｏ）、すなわちリーチありの場合は、特図変動表示ゲームにて特別結果態様が導出されず、はずれとなる場合であってリーチ状態となる場合であるはずれリーチ時の特図表示時間ポインタを設定し（ステップＡ４９６）、特図表示時間テーブルを設定する処理（ステップＡ４９８）を行う。
【０２５４】
一方、図柄情報がはずれ図柄でない場合（ステップＡ４９２；Ｎｏ）、すなわち大当りである場合は、大当り時の特図表示時間ポインタを設定し（ステップＡ４９７）、特図表示時間テーブルを設定する処理（ステップＡ４９８）を行う。
【０２５５】
特図表示時間テーブルを設定する処理（ステップＡ４９８）を行った後、特図表示時間ポインタに対応する特図表示時間を取得する処理（ステップＡ４９９）を行う。この処理では、ステップＡ４９５にて設定されたはずれ時（リーチ発生無しのはずれ時）の特図表示時間ポインタ、ステップＡ４９６にて設定されたリーチはずれ時の特図表示時間ポインタ、ステップＡ４９７にて設定された大当り時の特図表示時間ポインタの何れかに対応する特図表示時間を取得する。
【０２５６】
そして、取得した特図表示時間を特図ゲーム処理タイマ領域にセーブし（ステップＡ５００）、特図表示中処理移行設定処理（ステップＡ５０１）を行って、特図変動中処理を終了する。すなわち、遊技制御装置１００が、変動表示ゲームの停止結果態様を表示する停止時間を設定する停止時間設定手段をなす。
【０２５７】
〔特図表示中処理移行設定処理〕
図４８には、上述の特図変動中処理での特図表示中処理移行設定処理を示した。この特図表示中処理移行設定処理では、まず、特図表示中処理に係る処理番号「２」を設定し（ステップＡ５１１）、特図ゲーム処理番号領域に処理番号をセーブする（ステップＡ５１２）。
【０２５８】
次に、特図１や特図２の変動終了に関する信号を試験信号出力データ領域にセーブし（ステップＡ５１３，Ａ５１４）、外部情報端子に出力用の特図変動表示ゲームの実行回数に係る図柄確定回数信号制御タイマ領域に制御タイマ初期値をセーブする（ステップＡ５１５）。その後、特図１表示器や特図２表示器における特図１変動表示ゲームや特図２変動表示ゲームの制御用の情報として、特図１表示器や特図２表示器での変動停止に係るフラグを対応する変動制御フラグ領域にセーブして（ステップＡ５１６，Ａ５１７）、特図変動中処理移行設定処理を終了する。
【０２５９】
〔特図表示中処理〕
次に、上述の特図ゲーム処理における特図表示中処理（ステップＡ１１）の詳細について説明する。図４９に示すように、特図表示中処理では、まず、特図２変動開始処理における大当りフラグ２設定処理にて設定された大当りフラグ２をロードして（ステップＡ５２１）、ＲＷＭの大当りフラグ２領域をクリアする処理（ステップＡ５２２）を行う。そして、ロードされた大当りフラグ２が大当りかをチェックして（ステップＡ５２３）、大当りである（ステップＡ５２４；Ｙｅｓ）と判定すると、ＲＷＭの大当りフラグ１領域をクリアする処理（ステップＡ５３０）を行う。次に、第２特図変動表示ゲームの大当り（特図２大当り）の開始に関する試験信号をＲＷＭの試験信号出力データ領域にセーブし（ステップＡ５３１）、ラウンド数上限値テーブルを設定する処理（ステップＡ５３２）を行う。
【０２６０】
一方、ステップＡ５２４にて、大当りフラグ２のチェックの結果、大当りでない（ステップＡ５２４；Ｎｏ）と判定すると、特図１変動開始処理における大当りフラグ１設定処理にて設定された大当りフラグ１をロードして（ステップＡ５２５）、ＲＷＭの大当りフラグ１領域をクリアする処理（ステップＡ５２６）を行う。続けて、ロードされた大当りフラグ１が大当りかをチェックして（ステップＡ５２７）、大当りである（ステップＡ５２８；Ｙｅｓ）と判定すると、第１特図変動表示ゲームの大当り（特図１大当り）の開始に関する試験信号をＲＷＭの試験信号出力データ領域にセーブし（ステップＡ５２９）、ラウンド数上限値テーブルを設定する処理（ステップＡ５３２）を行う。
【０２６１】
ラウンド数上限値テーブルを設定する処理（ステップＡ５３２）を行った後、ラウンド数上限値情報に対応するラウンド数上限値を取得してＲＷＭのラウンド数上限値領域にセーブする（ステップＡ５３３）。続けて、ラウンド数上限値情報対応するラウンドＬＥＤポインタを取得してＲＷＭのラウンドＬＥＤポインタ領域にセーブする（ステップＡ５３４）。
【０２６２】
次に、普図変動表示ゲーム及び特図変動表示ゲームにて当り結果となる確率を通常確率状態（低確率状態）とする情報に係る確率情報コマンドを準備して（ステップＡ５３５）、コマンド設定処理（ステップＡ５３６）を行う。続けて、停止図柄情報設定処理にて設定された図柄情報（停止図柄パターン番号）に対応するファンファーレコマンドを準備して（ステップＡ５３７）、コマンド設定処理（ステップＡ５３８）を行う。その後、飾り特図変動表示ゲームに係る図柄情報（停止図柄パターン情報）に対応する飾り特図コマンドをＲＷＭの飾り特図コマンド領域からロードして準備し（ステップＡ５３９）、コマンド設定処理（ステップＡ５４０）を行う。
【０２６３】
次に、大入賞口開放情報と、普図変動表示ゲーム及び特図変動表示ゲームにて当り結果となる確率の状態に対応する信号をＲＷＭの外部情報出力データ領域にセーブする（ステップＡ５４１）。その後、大入賞口開放情報に対応する大当りファンファーレ時間を設定し（ステップＡ５４２）、大当りファンファーレ時間を特図ゲーム処理タイマ領域にセーブする（ステップＡ５４３）。そして、大入賞口への不正入賞数をリセットした後（ステップＡ５４４）、大入賞口不正監視期間フラグに不正監視期間外フラグをセーブする（ステップＡ５４５）。
【０２６４】
そして、ファンファーレ／インターバル中処理移行設定処理１（ステップＡ５４６）を行い、特図表示中処理を終了する。ファンファーレ／インターバル中処理移行設定処理１では、例えば、ファンファーレ／インターバル中処理に係る処理番号である「３」を設定する処理を行う。また、各種状態の切り替えに係る情報を設定する処理として、例えば、外部情報端子に出力用の遊技状態が特別遊技状態（大当り状態）であることを示す信号、普図変動表示ゲーム及び特図変動表示ゲームにて当り結果となる確率が通常確率状態（低確率状態）であることを示す試験信号、大入賞口不正監視期間における大入賞口への入賞数のクリアに係る情報、特別遊技状態のラウンド数のクリアに係る情報、高確率状態の表示に係る遊技状態表示ＬＥＤ（エラー表示器）を消灯させる情報、普図変動表示ゲームにて当り結果となる確率を通常確率状態（低確率状態）とする情報、停電復旧時に点灯した高確率状態の表示に係る遊技状態表示ＬＥＤ（エラー表示器）を消灯させる情報、特図変動表示ゲームの制御用の情報（例えば、特図変動表示ゲームにて当り結果となる確率を通常確率状態（低確率状態）とする情報や、停電復旧時に演出制御装置３００に出力される、普図変動表示ゲームや特図変動表示ゲームにて当り結果となる確率が通常確率状態（低確率状態）であることを示す情報や、大当り後の残り時間短縮変動回数のクリアに係る情報など）等を設定する処理を行う。
【０２６５】
一方、図４９におけるステップＡ５２８にて、大当りフラグ１のチェックの結果、大当りでない（ステップＡ５２８；Ｎｏ）と判定すると、図５０に示すように、時短時（時短状態）であるかを判定する（ステップＡ５４７）。そして、時短時でない場合（ステップＡ５４７；Ｎｏ）は、特図普段処理移行設定処理１を行い（ステップＡ５５３）、特図表示中処理を終了する。特図普段処理移行設定処理１（ステップＡ５５３）では、特図普段処理に係る処理番号「０」を設定する処理等を行う。
【０２６６】
また、時短時である場合（ステップＡ５４７；Ｙｅｓ）は、時短状態とする特図変動表示ゲームの実行回数を管理する時短変動回数を−１更新し（ステップＡ５４８）、時短変動回数が０となったかを判定する（ステップＡ５４９）。時短変動回数が０でない場合（ステップＡ５４９；Ｎｏ）、すなわち次の特図変動表示ゲームでも時短状態が継続する場合は、特図普段処理移行設定処理１を行い（ステップＡ５５３）、特図表示中処理を終了する。
【０２６７】
また、時短変動回数が０である場合（ステップＡ５４９；Ｙｅｓ）、すなわち今回の特図変動表示ゲームで時短状態が終了する場合は、時短終了時の確率情報コマンドを準備し（ステップＡ５５０）、コマンド設定処理（ステップＡ５５１）を行う。その後、特図普段処理移行設定処理２（時短終了時）を行い（ステップＡ５５２）、特図表示中処理を終了する。
【０２６８】
〔特図普段処理移行設定処理２（時短終了時）〕
図５１には、上述の特図表示中処理における特図普段処理移行設定処理２（時短終了時）（ステップＡ５５２）を示した。この特図普段処理移行設定処理２（時短終了時）では、まず、処理番号として特図普段処理に係る処理番号「０」を設定し（ステップＡ５６１）、特図ゲーム処理番号領域に処理番号をセーブする（ステップＡ５６２）。
【０２６９】
そして、時短の終了に関する信号を外部情報出力データ領域にセーブし（ステップＡ５６３）、時短の終了に関する信号を試験信号出力データ領域にセーブする（ステップＡ５６４）。次に、遊技状態表示番号領域に低確率時の番号をセーブし（ステップＡ５６５）、普図ゲームモードフラグ領域に普図低確率＆普電サポートなしフラグをセーブする（ステップＡ５６６）。
【０２７０】
さらに、特図ゲームモードフラグ領域に特図低確率フラグをセーブし（ステップＡ５６７）、停電復旧時送信コマンド領域に確率情報コマンド（低確率）をセーブする（ステップＡ５６８）。その後、変動図柄判別フラグ領域をリセットし（ステップＡ５６９）、特殊演出情報（振分用）をリセットして（ステップＡ５７０）、特図普段処理移行設定処理２（時短終了時）を終了する。
【０２７１】
〔ファンファーレ／インターバル中処理〕
次に、上述の特図ゲーム処理におけるファンファーレ／インターバル中処理（ステップＡ１２）の詳細について説明する。図５２に示すように、ファンファーレ／インターバル中処理では、まず、特別遊技状態のラウンド数を＋１更新し（ステップＡ５７１）、大入賞口開放情報が大入賞口の開放時間（特別変動入賞装置３８の開閉扉３８ｃの開放時間）の長い長開放（例えば、２５秒等）であるかをチェックする（ステップＡ５７２）。
【０２７２】
大入賞口の開放時間が長開放である場合（ステップＡ５７３；Ｙｅｓ）は、特別遊技状態のラウンド数に対応するラウンドコマンドを準備して（ステップＡ５７４）、コマンド設定処理（ステップＡ５７５）を行う。その後、ＲＷＭの飾り特図コマンド領域から、飾り特図変動表示ゲームに係る停止図柄パターン情報に対応する飾り特図コマンドをロードして準備し（ステップＡ５７６）、コマンド設定処理（ステップＡ５７７）を行う。そして、特別遊技状態の各ラウンドにおける特別変動入賞装置３８の開閉扉３８ｃの開放時間（大入賞口の開放時間）として開放時間の長い長開放を設定し（ステップＡ５７８）、当該開放時間（長開放に係る開放時間）を特図ゲーム処理タイマ領域にセーブする（ステップＡ５８０）。
【０２７３】
一方、大入賞口の開放時間が長開放でない場合（ステップＡ５７３；Ｎｏ）、すなわち大入賞口の開放時間が短開放である場合は、特別遊技状態の各ラウンドにおける特別変動入賞装置３８の開閉扉３８ｃの開放時間（大入賞口の開放時間）として開放時間の短い短開放を設定し（ステップＡ５７９）、開放時間（短開放に係る開放時間）を特図ゲーム処理タイマ領域にセーブする（ステップＡ５８０）。
【０２７４】
開放時間を特図ゲーム処理タイマ領域にセーブする処理（ステップＡ５８０）を行った後、大入賞口開放中処理移行設定処理（ステップＡ５８１）を行って、ファンファーレ／インターバル中処理を終了する。
【０２７５】
〔大入賞口開放中処理移行設定処理〕
図５３には上記ステップＡ５８１における大入賞口開放中処理移行設定処理を示した。この大入賞口開放中処理移行設定処理においては、まず、処理番号を大入賞口開放中処理にかかる「４」に設定し（ステップＡ５９１）、処理番号を特図ゲーム処理番号領域にセーブする（ステップＡ５９２）。その後、大入賞口の開放に関する信号を試験信号出力データ領域にセーブし（ステップＡ５９３）、特別変動入賞装置３８の開閉扉３８ｃを開放するために、大入賞口ソレノイド出力データ領域にＯＮデータをセーブする（ステップＡ５９４）。そして、大入賞口への入賞数を記憶する大入賞口カウント数領域の情報をクリアし（ステップＡ５９５）、大入賞口開放中処理移行設定処理を終了する。
【０２７６】
〔大入賞口開放中処理〕
次に、上述の特図ゲーム処理における大入賞口開放中処理（ステップＡ１３）の詳細について説明する。図５４に示すように、大入賞口開放中処理では、まず、大入賞口開放情報が大入賞口の開放時間の長い長開放（例えば、２５秒等）であるかをチェックする（ステップＡ６０１）。そして、大入賞口の開放時間が長開放でない場合（ステップＡ６０２；Ｎｏ）、すなわち短開放（例えば、１秒）である場合は、大入賞口残存球処理移行設定処理（ステップＡ６１０）を行って、大入賞口開放中処理を終了する。
【０２７７】
また、大入賞口の開放時間が長開放である場合（ステップＡ６０２；Ｙｅｓ）は、実行中の特別遊技状態における現在のラウンド数とＲＷＭのラウンド数上限値領域のラウンド数上限値とを比較して現在のラウンドが最終ラウンドであるかを判定する（ステップＡ６０３）。ステップＡ６０３における判定の結果、特別遊技状態における現在のラウンドが最終ラウンドでない場合（ステップＡ６０４；Ｎｏ）は、ラウンド間のインターバルに係るインターバルコマンドを準備して（ステップＡ６０６）、コマンド設定処理（ステップＡ６０７）を行う。また、特別遊技状態における現在のラウンドが最終ラウンドである場合（ステップＡ６０４；Ｙｅｓ）は、特別遊技状態の終了の際におけるエンディング表示画面の表示制御等に係るエンディングコマンドを準備して（ステップＡ６０５）、コマンド設定処理（ステップＡ６０７）を行う。
【０２７８】
その後、ＲＷＭの飾り特図コマンド領域から、飾り特図変動表示ゲームに係る停止図柄パターン情報に対応する飾り特図コマンドをロードして準備し（ステップＡ６０８）、コマンド設定処理（ステップＡ６０９）を行い、大入賞口残存球処理移行設定処理（ステップＡ６１０）処理を行って、大入賞口開放中処理を終了する。
【０２７９】
〔大入賞口残存球処理移行設定処理〕
図５５には上記ステップＡ６１０における大入賞口残存球処理移行設定処理を示した。この大入賞口残存球処理移行設定処理においては、まず、処理番号を大入賞口残存球処理にかかる「５」に設定し（ステップＡ６２１）、処理番号を特図ゲーム処理番号領域にセーブする（ステップＡ６２２）。その後、残存球処理に要する時間である残存球処理時間を設定し（ステップＡ６２３）、特図ゲーム処理タイマ領域に残存球処理時間をセーブする（ステップＡ６２４）。そして、特別変動入賞装置３８の開閉扉３８ｃを閉鎖するために、大入賞口ソレノイド３８ｂをオフさせるためのＯＦＦデータを大入賞口ソレノイド出力データ領域にセーブして（ステップＡ６２５）、大入賞口残存球処理移行設定処理を終了する。
【０２８０】
〔大入賞口残存球処理〕
次に、上述の特図ゲーム処理における大入賞口残存球処理（ステップＡ１４）の詳細について説明する。図５６に示すように、大入賞口残存球処理では、まず、実行中の特別遊技状態における現在のラウンド数とＲＷＭのラウンド数上限値領域のラウンド数上限値とを比較して現在のラウンドが最終ラウンドであるかを判定する（ステップＡ６３１）。
【０２８１】
そして、特別遊技状態における現在のラウンドが最終ラウンドである場合（ステップＡ６３２；Ｙｅｓ）は、エンディング時間テーブルを設定し（ステップＡ６３３）、図柄情報に対応するエンディング時間を取得する（ステップＡ６３４）。その後、当該エンディング時間を特図ゲーム処理タイマ領域にセーブし（ステップＡ６３５）、大当り終了処理移行設定処理（ステップＡ６３６）を行って、大入賞口残存球処理を終了する。
【０２８２】
一方、特別遊技状態における現在のラウンドが最終ラウンドでない場合（ステップＡ６３２；Ｎｏ）は、インターバル時間テーブルを設定し（ステップＡ６３７）、大入賞口開放情報と今回のラウンド数に対応するインターバル時間を取得する（ステップＡ６３８）。その後、当該エンディング時間を特図ゲーム処理タイマ領域にセーブし（ステップＡ６３９）、ファンファーレ／インターバル中処理移行設定処理２（ステップＡ６４０）を行って、大入賞口残存球処理を終了する。
【０２８３】
〔大当り終了処理移行設定処理〕
図５７には、上記した大入賞口残存球処理における大当り終了処理移行設定処理（ステップＡ６３６）を示した。この大当り終了処理移行設定処理においては、まず、大当り終了処理に係る処理番号として「６」を設定し（ステップＡ６５１）、処理番号を特図ゲーム処理番号領域にセーブする（ステップＡ６５２）。その後、大入賞口（特別変動入賞装置３８）の開放終了に関する信号を試験信号出力データ領域にセーブし（ステップＡ６５３）、大入賞口への入賞数を記憶する大入賞口カウント数領域の情報をリセットする（ステップＡ６５４）。
【０２８４】
次に、特別遊技状態のラウンド数を記憶するラウンド数領域の情報をリセットし（ステップＡ６５５）、特別遊技状態のラウンド数の上限値を記憶するラウンド数上限値領域の情報をリセットする（ステップＡ６５６）。そして、ラウンド数の上限値判定用のフラグを記憶するフラグ領域の情報をリセットし（ステップＡ６５７）、大入賞口の開放が長時間開放か短時間開放かの開放情報判定用のフラグを記憶する大入賞口開放情報判定フラグ領域の情報をリセットして（ステップＡ６５８）、大当り終了処理移行設定処理を終了する。
【０２８５】
〔ファンファーレ／インターバル中処理移行設定処理２〕
図５８には上記した大入賞口残存球処理におけるファンファーレ／インターバル中処理移行設定処理２（ステップＡ６４０）を示した。このファンファーレ／インターバル中処理移行設定処理２においては、まず、ファンファーレ／インターバル中処理に係る処理番号として「３」を設定し（ステップＡ６６１）、処理番号を特図ゲーム処理番号領域にセーブする（ステップＡ６６２）。その後、大入賞口（特別変動入賞装置３８）の開放終了に関する信号を試験信号出力データ領域にセーブし（ステップＡ６６３）、ファンファーレ／インターバル中処理移行設定処理２を終了する。
【０２８６】
〔大当り終了処理〕
次に、上述の特図ゲーム処理における大当り終了処理（ステップＡ１５）の詳細について説明する。図５９に示すように、この大当り終了処理では、まず、今回の特別遊技状態を実行する契機となった特別結果態様の種類に基づき設定される確率変動判定フラグが、特別遊技状態の終了後に高確率状態となる場合に設定される高確率突入フラグかをチェックする（ステップＡ６７１）。
【０２８７】
高確率突入フラグでない場合（ステップＡ６７２；Ｎｏ）は、大当り終了設定処理１を行い、高確率突入フラグである場合（ステップＡ６７２；Ｙｅｓ）は、大当り終了設定処理２を行って、確率変動判定フラグに対応する確率情報コマンドを準備し（ステップＡ６７５）、コマンド設定処理（ステップＡ６７６）を行う。そして、特殊演出情報（設定用）をロードし、特殊演出情報（振分用）領域にセーブして（ステップＡ６７７）、特図普段処理移行設定処理３を行い（ステップＡ６７８）、大当り終了処理を終了する。
【０２８８】
〔大当り終了設定処理１〕
図６０には、上述の大当り終了処理における大当り終了設定処理１（ステップＡ６７３）を示した。この大当り終了設定処理１では、まず、時短の開始に関する信号を外部情報出力データ領域にセーブし（ステップＡ６８１）、時短の開始に関する信号を試験信号出力データ領域にセーブする（ステップＡ６８２）。
【０２８９】
次に、遊技状態表示番号領域に時短時の番号をセーブし（ステップＡ６８３）、普図ゲームモードフラグ領域に普図高確率＆普電サポートフラグをセーブする（ステップＡ６８４）。そして、特図ゲームモードフラグ領域に低確率＆時短フラグをセーブし（ステップＡ６８５）、停電復旧時送信コマンド領域に確率情報コマンド（時短）をセーブする（ステップＡ６８６）。その後、時短変動回数領域に時短変動回数初期値（例えば１００）をセーブし（ステップＡ６８７）、大当り終了設定処理１を終了する。
【０２９０】
以上の処理により、特別遊技状態の終了後、特図変動表示ゲームの確率状態が通常確率状態となるとともに時短状態となる。また、時短変動回数領域に時短変動回数初期値（例えば１００）をセットすることで、所定回数（例えば１００回）の特図変動表示ゲームの実行により時短状態が終了するようになる。
【０２９１】
〔大当り終了設定処理２〕
図６１には、上述の大当り終了処理における大当り終了設定処理２（ステップＡ６７４）を示した。この大当り終了設定処理２では、まず、高確率の開始に関する信号を外部情報出力データ領域にセーブし（ステップＡ６９１）、高確率の開始に関する信号を試験信号出力データ領域にセーブする（ステップＡ６９２）。
【０２９２】
次に、遊技状態表示番号領域に高確率時の番号をセーブし（ステップＡ６９３）、普図ゲームモードフラグ領域に普図高確率＆普電サポートフラグをセーブする（ステップＡ６９４）。そして、特図ゲームモードフラグ領域に高確率＆時短フラグをセーブし（ステップＡ６９５）、停電復旧時送信コマンド領域に確率情報コマンド（高確率）をセーブする（ステップＡ６９６）。その後、時短変動回数領域をリセットし（ステップＡ６９７）、大当り終了設定処理２を終了する。以上の処理により、特別遊技状態の終了後、特図変動表示ゲームの確率状態が高確率状態となるとともに次回の特別結果態様の導出まで時短状態となる。
【０２９３】
すなわち、遊技制御装置１００が、特別遊技状態の終了後、予め定められた所定期間にわたり、普通変動入賞装置３７を開状態とする期間を延長する特定遊技状態（時短状態）を発生可能な特定遊技状態発生制御手段をなす。
【０２９４】
〔特図普段処理移行設定処理３〕
図６２には上記した大当り終了処理のステップＡ６７８の特図普段処理移行設定処理３を示した。この特図普段処理移行設定処理３においては、まず、特図普段処理に係る処理番号として「０」に設定し（ステップＡ７０１）、処理番号を特図ゲーム処理番号領域にセーブする（ステップＡ７０２）。
【０２９５】
その後、大当りの終了に関する信号を外部情報出力データ領域にセーブし（ステップＡ７０３）、大当りの終了に関する信号を試験信号出力データ領域にセーブする（ステップＡ７０４）。続いて、確率変動判定フラグ領域の情報をリセットし（ステップＡ７０５）、大当りのラウンド回数を示すラウンドＬＥＤのポインタ領域の情報をリセットする（ステップＡ７０６）。そして、大入賞口不正監視期間フラグ領域に不正監視期間中フラグをセーブし（ステップＡ７０７）、特殊演出情報（設定用）領域をリセットして（ステップＡ７０８）、特図普段処理移行設定処理３を終了する。
【０２９６】
〔普図ゲーム処理〕
次に、上述のタイマ割込み処理における普図ゲーム処理（ステップＳ５９）の詳細について説明する。普図ゲーム処理では、ゲートスイッチ３４ａの入力の監視と、普図変動表示ゲームに関する処理全体の制御、普図の表示の設定等を行う。
【０２９７】
図６３に示すように、普図ゲーム処理では、まず、ゲートスイッチ３４ａからの入力を監視するゲートスイッチ監視処理（ステップＢ１）を行い、始動口２スイッチ３７ａからの入力を監視する普電入賞スイッチ監視処理（ステップＢ２）を行う。次に、普図ゲーム処理タイマが既にタイムアップ又は−１更新後に当該ゲーム処理タイマがタイムアップしたかをチェックする（ステップＢ３）。
【０２９８】
普図ゲーム処理タイマがタイムアップした（ステップＢ４；Ｙｅｓ）と判定すると、普図ゲーム処理番号に対応する処理に分岐させるために参照する普図ゲームシーケンス分岐テーブルをレジスタに設定する処理（ステップＢ５）を行って、当該テーブルを用いて普図ゲーム処理番号に対応する処理の分岐先アドレスを取得する処理（ステップＢ６）を行う。そして、分岐処理終了後のリターンアドレスをスタック領域に退避させる処理（ステップＢ７）を行った後、ゲーム処理番号に応じてゲーム分岐処理（ステップＢ８）を行う。
【０２９９】
ステップＢ８にて、ゲーム処理番号が「０」の場合は、普図変動表示ゲームの変動開始を監視し、普図変動表示ゲームの変動開始の設定や演出の設定や、普図変動中処理を行うために必要な情報の設定等を行う普図普段処理（ステップＢ９）を行う。また、ステップＢ８にて、ゲーム処理番号が「１」の場合は、普図表示中処理を行うために必要な情報の設定等を行う普図変動中処理（ステップＢ１０）を行う。
【０３００】
また、ステップＢ８にて、ゲーム処理番号が「２」の場合は、普図変動表示ゲームの結果が当りであれば、時短状態中であるか否かに応じた普電開放時間の設定や、普図当り中処理を行うために必要な情報の設定等を行う普図表示中処理（ステップＢ１１）を行う。また、ステップＢ８にて、ゲーム処理番号が「３」の場合は、普図当り中処理の継続、或いは普電残存球処理を行うために必要な情報の設定等を行う普図当り中処理（ステップＢ１２）を行う。
【０３０１】
また、ステップＢ８にて、ゲーム処理番号が「４」の場合は、普図当り終了処理を行うために必要な情報の設定等を行う普電残存球処理（ステップＢ１３）を行う。また、ステップＢ８にて、ゲーム処理番号が「５」の場合は、普図普段処理（ステップＢ９）を行うために必要な情報の設定等を行う普図当り終了処理（ステップＢ１４）を行う。
【０３０２】
その後、普図表示器による普通図柄の変動を制御するための各種テーブルを準備した後（ステップＢ１５）、普図表示器による普通図柄の変動の制御に係る図柄変動制御処理（ステップＢ１６）を行って、普図ゲーム処理を終了する。一方、ステップＢ４にて、普図ゲーム処理タイマがタイムアップしていない（ステップＢ４；Ｎｏ）と判定すると、処理をステップＢ１５に移行して、それ以降の処理を行う。
【０３０３】
〔ゲートスイッチ監視処理〕
次に、上述の普図ゲーム処理におけるゲートスイッチ監視処理の詳細について説明する。図６４に示すように、ゲートスイッチ監視処理では、まず、ゲートスイッチ３４ａに入力があるか否かをチェックする（ステップＢ１０１）。そして、ゲートスイッチ３４ａに入力があると（ステップＢ１０２；Ｙｅｓ）判定すると、普図保留数を取得して当該普図保留数が上限値未満か否かをチェックする（ステップＢ１０３）。
【０３０４】
普図保留数が上限値未満である場合（ステップＢ１０４；Ｙｅｓ）は、普図保留数を１更新し（ステップＢ１０５）、更新後の普図保留数に対応する乱数セーブ領域のアドレスを算出する（ステップＢ１０６）。そして、取得した当り乱数をＲＷＭの乱数セーブ領域にセーブし（ステップＢ１０７）、ゲートスイッチ監視処理を終了する。
【０３０５】
また、ステップＢ１０２にてゲートスイッチ３４ａに入力がないと判定された場合（ステップＢ１０２；Ｎｏ）や、ステップＢ１０４にて普図保留数が上限値未満でないと判定された場合（ステップＢ１０４；Ｎｏ）は、ゲートスイッチ監視処理を終了する。
【０３０６】
〔普電入賞スイッチ監視処理〕
次に、上述の普図ゲーム処理における普電入賞スイッチ監視処理の詳細について説明する。図６５に示すように、普電入賞スイッチ監視処理では、まず、普図変動表示ゲームが当り状態となって普通変動入賞装置３７が所定回数（例えば、３回）の開放動作を実行中であるか（普図当り中か）否かをチェックする（ステップＢ１２１）。そして、普図当り中である（ステップＢ１２２；Ｙｅｓ）と判定すると、始動口２スイッチ３７ａに入力があるかをチェックし（ステップＢ１２３）、始動口２スイッチ３７ａに入力がある（ステップＢ１２４；Ｙｅｓ）と判定すると、普電カウンタのカウント数を更新（＋１）する処理（ステップＢ１２５）を行う。
【０３０７】
次に、更新後の普電カウンタのカウント数が上限値（例えば、９）に達したか否かをチェックして（ステップＢ１２６）、カウント数が上限値に達した（ステップＢ１２７；Ｙｅｓ）と判定すると、普図当り中処理制御ポインタ領域に当り終了ポインタ４（当り終了の値）をセーブする（ステップＢ１２８）。その後、普図ゲーム処理タイマをクリアして（ステップＢ１２９）、普電入賞スイッチ監視処理を終了する。すなわち、普図の当り状態中に上限値以上の普電入賞があった場合は、その時点で普図当り中処理制御ポインタ領域に当り終了の値をセーブし、普図の当り状態が途中で終了するようにする。
【０３０８】
また、ステップＢ１２２にて普図当り中でないと判定された場合（ステップＢ１２２；Ｎｏ）、ステップＢ１２４にて始動口２スイッチ３７ａに入力がないと判定された場合（ステップＢ１２４；Ｎｏ）又はステップＢ１２７にてカウント数が上限値に達していないと判定された場合（ステップＢ１２７；Ｎｏ）は、普電入賞スイッチ監視処理を終了する。
【０３０９】
〔普図普段処理〕
次に、上述の普図ゲーム処理における普図普段処理（ステップＢ９）の詳細について説明する。図６６に示すように、普図普段処理では、まず、普図保留数が０であるか否かをチェックし（ステップＢ１３１）、普図保留数が０である場合（ステップＢ１３２；Ｙｅｓ）は、普図普段処理移行設定処理１（ステップＢ１６０）を行い、普図普段処理を終了する。また、普図保留数が０でない場合（ステップＢ１３２；Ｎｏ）は、普図変動表示ゲームにて当り結果となる確率が通常よりも高くされた普図高確率であるか、すなわち時短状態であるかを判定する（ステップＢ１３３）。
【０３１０】
普図高確率時でない場合（ステップＢ１３３；Ｎｏ）は、ＲＷＭの乱数セーブ領域から当り乱数をロードし（ステップＢ１３４）、普図低確率時の判定値を設定して（ステップＢ１３５）、当り乱数の値が判定値と一致するかをチェックする（ステップＢ１３６）。当り乱数の値が判定値と一致しない場合（ステップＢ１３７；Ｎｏ）は、当りフラグ領域に、はずれ情報をセーブし（ステップＢ１３８）、普図停止図柄にはずれ時の停止図柄番号を設定して（ステップＢ１３９）、当り乱数セーブ領域を０クリアする（ステップＢ１４９）。一方、当り乱数の値が判定値と一致した場合（ステップＢ１３７；Ｙｅｓ）は、当りフラグ領域に当り情報をセーブし（ステップＢ１４７）、普図停止図柄に当り時の停止図柄番号を設定して（ステップＢ１４８）、当り乱数セーブ領域を０クリアする（ステップＢ１４９）。
【０３１１】
また、ステップＢ１３３にて、普図高確率時である場合（ステップＢ１３３；Ｙｅｓ）は、ＲＷＭの乱数セーブ領域から当り乱数をロードし（ステップＢ１４０）、普図高確率時の下限判定値を設定する（ステップＢ１４１）。その後、当り乱数の値が下限判定値未満であるかをチェックし（ステップＢ１４２）、当り乱数の値が下限判定値未満でない場合（ステップＢ１４３；Ｎｏ）は、普図高確率時の上限判定値を設定して（ステップＢ１４４）、当り乱数の値が上限判定値より大きいかをチェックする（ステップＢ１４５）。
【０３１２】
当り乱数の値が上限判定値より大きくない場合（ステップＢ１４６；Ｎｏ）は、当りフラグ領域に当り情報をセーブし（ステップＢ１４７）、普図停止図柄に当り時の停止図柄番号を設定して（ステップＢ１４８）、当り乱数セーブ領域を０クリアする（ステップＢ１４９）。また、ステップＢ１４３にて、当り乱数の値が下限判定値未満である場合（ステップＢ１４３；Ｙｅｓ）や、ステップＢ１４６にて、当り乱数の値が上限判定値より大きい場合（ステップＢ１４６；Ｙｅｓ）は、当りフラグ領域に、はずれ情報をセーブし（ステップＢ１３８）、普図停止図柄にはずれ時の停止図柄番号を設定して（ステップＢ１３９）、当り乱数セーブ領域を０クリアする（ステップＢ１４９）。すなわち、当り乱数の値が一致することで普図の当りと判定する判定値は、普図低確率時では一つの値であり、普図高確率時では複数の連続した値となっている。
【０３１３】
当り乱数セーブ領域を０クリア（ステップＢ１４９）した後、普図停止図柄領域に停止図柄番号をセーブし（ステップＢ１５０）、普図停止図柄番号に対応する信号を試験信号出力データ領域にセーブする（ステップＢ１５１）。続けて、当り乱数セーブ領域をシフトし（ステップＢ１５２）、シフト後の空き領域をクリアして（ステップＢ１５３）、普図保留数を更新（−１）する（ステップＢ１５４）。即ち、最も古い普図保留１に関する普図変動表示ゲームが実行されることに伴い、普図保留１以降に保留となっている普図保留２〜４の順位を１つずつ繰り上げる処理を行う。この処理により、当り乱数セーブ領域の普図保留２用から普図保留４用の値（例えば、当り乱数）が、当り乱数セーブ領域の普図保留１用から普図保留３用に移動することとなる。そして、当り乱数セーブ領域の普図保留４用の値がクリアされて、普図保留数が１デクリメントされる。
【０３１４】
次に、普電サポート中（時短状態中）であるかを判定し（ステップＢ１５５）、普電サポート中でない場合（ステップＢ１５５；Ｎｏ）は、普電サポートなし時の普図変動時間（例えば、１０秒）を設定する（ステップＢ１５６）。また、普電サポート中である場合（ステップＢ１５５；Ｙｅｓ）は、普電サポート時の普図変動時間（例えば、１秒）を設定する（ステップＢ１５７）。そして、設定された変動時間を普図ゲーム処理タイマ領域にセーブし（ステップＢ１５８）。普図変動中処理移行設定処理（ステップＢ１５９）を行って、普図普段処理を終了する。
【０３１５】
〔普図普段処理移行設定処理１〕
図６７には、上述の普図普段処理での普図普段処理移行設定処理１（ステップＢ１６０）を示した。この普図普段処理移行設定処理１では、まず、普図普段処理に移行するための処理番号として「０」を設定し（ステップＢ１６０ａ）、処理番号を普図ゲーム処理番号領域にセーブする（ステップＢ１６０ｂ）。その後、普電不正監視期間フラグ領域に不正監視期間中フラグをセーブして（ステップＢ１６０ｃ）、普図普段処理移行設定処理１を終了する。
【０３１６】
〔普図変動中処理移行設定処理〕
図６８には、上述の普図普段処理での普図変動中処理移行設定処理（ステップＢ１５９）を示した。この普図変動中処理移行設定処理では、まず、普図変動中処理に移行するための処理番号として「１」を設定し（ステップＢ１６１）、処理番号を普図ゲーム処理番号領域にセーブする（ステップＢ１６２）。その後、普図表示器における普図変動表示ゲームの開始に関する信号を試験信号出力データ領域にセーブし（ステップＢ１６３）、普図変動表示ゲームが変動中であることを示す変動中フラグを普図変動制御フラグ領域にセーブする（ステップＢ１６４）。そして、普図表示器の点滅周期のタイマの初期値である変動タイマ初期値を普図変動制御タイマ領域にセーブして（ステップＢ１６５）、普図変動中処理移行設定処理を終了する。
【０３１７】
〔普図変動中処理〕
次に、上述の普図ゲーム処理における普図変動中処理（ステップＢ１０）の詳細について説明する。図６９（ａ）に示すように、普図変動中処理では、普図表示中処理移行設定処理（ステップＢ１７０）を行う。図６９（ｂ）に示すように普図表示中処理移行設定処理では、まず、普図表示中処理に移行するための設定処理として処理番号を「２」に設定し（ステップＢ１７１）、処理番号を普図ゲーム処理番号領域にセーブする（ステップＢ１７２）。その後、普図表示器における普図変動表示ゲームの結果の表示時間である普図表示時間（例えば、０．６秒）を設定して（ステップＢ１７３）、その普図表示時間を普図ゲーム処理タイマ領域にセーブする（ステップＢ１７４）。さらに、普図の変動終了に関する信号を試験信号出力データ領域にセーブし（ステップＢ１７５）、普図変動表示ゲームが停止中であることを示す停止フラグを普図変動制御フラグ領域にセーブして（ステップＢ１７６）、普図表示中処理移行設定処理を終了する。
【０３１８】
〔普図表示中処理〕
次に、上述の普図ゲーム処理における普図表示中処理（ステップＢ１１）の詳細について説明する。図７０に示すように、普図表示中処理では、まず、普図普段処理にて設定された当りフラグをロードして（ステップＢ１８１）、ＲＷＭの当りフラグ領域をクリアし（ステップＢ１８２）、ロードされた当りフラグが当りかをチェックする（ステップＢ１８３）
【０３１９】
当りフラグが当りでない場合（ステップＢ１８４；Ｎｏ）は、普図普段処理に移行するための普図普段処理移行設定処理１（ステップＢ１９３）を行って、普図表示中処理を終了する。この普図普段処理移行設定処理１は、図６７に示した処理である。一方、当りフラグが当りである場合（ステップＢ１８４；Ｙｅｓ）は、普電サポート中（時短状態中）であるかを判定する（ステップＢ１８５）。
【０３２０】
そして、普電サポート中である場合（ステップＢ１８５；Ｙｅｓ）は、普電サポート時の開放時間（例えば、１．７秒）を設定し（ステップＢ１８６）、普電サポート時の当り開始ポインタ（制御ポインタ）として０を設定して（ステップＢ１８７）、普図当り中処理制御ポインタ領域に当り開始ポインタとして０をセーブする（ステップＢ１８７）。これにより普通変動入賞装置３７の開放回数が２回以上の複数回となる。
【０３２１】
一方、普電サポート中でない場合（ステップＢ１８５；Ｎｏ）は、普電サポートなし時の開放時間（例えば、０．３秒）を設定し（ステップＢ１８８）、普電サポートなし時の当り開始ポインタ（制御ポインタ）として４を設定して（ステップＢ１８９）、普図当り中処理制御ポインタ領域に当り開始ポインタをセーブする（ステップＢ１９０）。これにより普通変動入賞装置３７の開放回数が１回となる。その後、設定された普電開放時間を普図ゲーム処理タイマ領域にセーブし（ステップＢ１９１）、普図当り中処理移行設定処理（ステップＢ１９２）を行って、普図表示中処理を終了する。
【０３２２】
〔普図当り中処理移行設定処理〕
図７１には、上述の普図表示中処理における普図当り中処理移行設定処理（ステップＢ１９２）を示した。この普図当り中処理移行設定処理では、まず、普図当り中処理に移行するための処理番号として「３」を設定し（ステップＢ１９２ａ）、その処理番号を普図ゲーム処理番号領域にセーブする（ステップＢ１９２ｂ）。その後、普図表示器における普図変動表示ゲームの当りに関する信号と、普電作動開始に関する信号を試験信号出力データ領域にセーブし（ステップＢ１９２ｃ）、普電ソレノイドを駆動（オン）する信号を出力するために普電ソレノイド出力データ領域にＯＮデータをセーブする（ステップＢ１９２ｄ）。
【０３２３】
さらに、普通変動入賞装置３７への入賞数を記憶する普電カウント数領域の情報をリセットし（ステップＢ１９２ｅ）、普電不正監視期間における普通変動入賞装置３７への入賞数を記憶する普電不正入賞数領域の情報をリセットする（ステップＢ１９２ｆ）。そして、普通変動入賞装置３７の不正監視期間外を規定するフラグを普電不正監視期間フラグ領域にセーブして（ステップＢ１９２ｇ）、普図当り中処理移行設定処理を終了する。
【０３２４】
〔普図当り中処理〕
次に、上述の普図ゲーム処理における普図当り中処理（ステップＢ１２）の詳細について説明する。図７２に示すように、普図当り中処理では、まず、普図当り中処理制御ポインタ領域の値をロードして準備し（ステップＢ２０１）、ロードされた普図当り中処理制御ポインタの値が当り終了の値である４であるかをチェックする（ステップＢ２０２）。そして、当り終了の値でない場合（ステップＢ２０３；Ｎｏ）は、普図当り中処理制御ポインタ領域を更新（＋１）し（ステップＢ２０４）、普電作動移行設定処理（ステップＢ２０５）を行って普図当り中処理を終了する。また、ステップＢ２０３にて、当り終了の値である場合（ステップＢ２０３；Ｙｅｓ）は、ステップＢ２０４における普図当り中処理制御ポインタ領域を更新（＋１）する処理を行わずに、ステップＢ２０５へ移行して普電作動移行設定処理を行なって普図当り中処理を終了する。
【０３２５】
〔普電作動移行設定処理〕
図７３には、上述の普図当り中処理における普電作動移行設定処理（ステップＢ２０５）を示した。普電作動移行設定処理は、普通変動入賞装置３７を開閉するための普電ソレノイド３７ｃの駆動制御を行う処理であり、制御ポインタの値に応じて処理を分岐するようにしている。この普電作動移行設定処理では、まず、制御ポインタの値に応じた分岐処理を行う（ステップＢ２３１）。
【０３２６】
制御ポインタの値が「０」または「２」であった場合は、ステップＢ２３２へ移行して普通変動入賞装置３７の閉塞を制御するため、普通変動入賞装置３７の閉塞後のウェイト時間（例えば、０．８秒）を設定し（ステップＢ２３２）、該ウェイト時間を普図ゲーム処理タイマ領域にセーブする（ステップＢ２３３）。そして、普電ソレノイド３７ｃをオフさせるために普電ソレノイド出力データ領域にＯＦＦデータを設定して（ステップＢ２３４）、普電作動移行設定処理を終了する。
【０３２７】
また、制御ポインタの値が「１」または「３」であった場合は、ステップＢ２３５へ移行して普通変動入賞装置３７の所定回数（例えば、１回若しくは３回）の開放を制御するため、普電サポート時の普通変動入賞装置３７の開放時間（例えば、０．３秒若しくは１．７秒）を設定する（ステップＢ２３５）そして、該普電開放時間を普図ゲーム処理タイマ領域にセーブし（ステップＢ２３６）、普電ソレノイド３７ｃをオンさせるために普電ソレノイド出力データ領域にＯＮデータを設定して（ステップＢ２３７）、普電作動移行設定処理を終了する。
【０３２８】
また、制御ポインタの値が「４」であった場合は、ステップＢ２３８へ移行して普通変動入賞装置３７の開放制御を終了して普電残存球処理（ステップＢ１３）を行うために、処理番号として「４」を設定する（ステップＢ２３８）。そして、この処理番号を普図ゲーム処理番号領域にセーブし（ステップＢ２３９）、普電残存球処理時間を設定して（ステップＢ２４０）、その普電残存球処理時間を普図ゲーム処理タイマ領域にセーブする（ステップＢ２４１）。その後、普電ソレノイド３７ｃをオフさせるために普電ソレノイド出力データ領域にＯＦＦデータを設定し（ステップＢ２４２）、普電作動移行設定処理を終了する。
【０３２９】
〔普電残存球処理〕
次に、上述の普図ゲーム処理における普電残存球処理（ステップＢ１３）の詳細について説明する。図７４（ａ）に示すように、普電残存球処理では普図当り終了処理移行設定処理（ステップＢ２１０）を行う。図７４（ｂ）に示すように、普図当り終了処理移行設定処理では、まず普図当り終了処理に係る処理番号「５」を設定して（ステップＢ２１１）、その処理番号を普図ゲーム処理番号領域にセーブする（ステップＢ２１２）。
【０３３０】
その後、普図変動表示ゲームのエンディング時間を設定して（ステップＢ２１３）、その普図エンディング時間を普図ゲーム処理タイマ領域にセーブする（ステップＢ２１４）。さらに、普通変動入賞装置３７の作動終了に関する信号を試験信号出力データ領域にセーブして（ステップＢ２１５）、普通変動入賞装置３７への入賞数を示す普電カウント数領域をリセットする（ステップＢ２１６）。そして、普図当り中処理制御ポインタ領域をリセットして（ステップＢ２１７）、普図当り終了処理移行設定処理を終了する。
【０３３１】
〔普図当り終了処理〕
次に、上述の普図ゲーム処理における普図当り終了処理（ステップＢ１４）の詳細について説明する。図７５（ａ）に示すように、普図当り終了処理では、普図普段処理移行設定処理２（ステップＢ２２０）を行う。図７５（ｂ）に示すように、普図普段処理移行設定処理２では、まず、普図普段処理に係る処理番号「０」を設定して（ステップＢ２２１）、その処理番号を普図ゲーム処理番号領域にセーブする（ステップＢ２２２）。
【０３３２】
その後、普図変動ゲームの当り終了に関する信号を試験信号出力データ領域にセーブし（ステップＢ２２３）、普通変動入賞装置３７の不正監視期間を規定するフラグ（不正監視期間中フラグ）を普電不正監視期間フラグ領域にセーブして（ステップＢ２２４）普図普段処理移行設定処理２を終了する。
【０３３３】
次に、演出制御装置３００によって実行される制御処理について説明する。上述したように演出制御装置３００は、主制御用マイコン（１ｓｔＣＰＵ）３１１と、該主制御用マイコン３１１の制御下で映像制御を行う映像制御用マイコン（２ｎｄＣＰＵ）３１２とを備えている。主制御用マイコンでは主に図７６に示す１ｓｔメイン処理が行われる。
【０３３４】
〔１ｓｔメイン処理〕
まず、１ｓｔメイン処理について説明する。図７６に示すように、この１ｓｔメイン処理においては、はじめにプログラム開始時の処理を行う。このプログラム開始時の処理として、まず、割込みを禁止し（ステップＣ１１）、ＲＡＭを０クリアして（ステップＣ１２）、ＣＰＵを初期化するＣＰＵ初期化処理（ステップＣ１３）を行う。次に、ＲＡＭの初期値を設定し（ステップＣ１４）、乱数を初期化する乱数初期化処理（ステップＣ１５）を行い、各種割込みのタイマを起動して（ステップＣ１６）、割込みを許可する（ステップＣ１７）。
【０３３５】
次に、メインループ処理としてループの処理を行う。このループの処理では、まず、ＷＤＴ（Watchdog Timer）をクリアし（ステップＣ１８）、演出ボタン２５の操作に基づく入力信号（立ち上がりエッジ）から入力情報を作成する演出ボタン入力処理（ステップＣ１９）を行う。その後、遊技制御コマンド解析処理（ステップＣ２０）を行う。この遊技制御コマンド解析処理（ステップＣ２０）では、遊技制御装置１００から送信される遊技に関するコマンドを正しく受信したかを判定し、正しく受信していた場合にはコマンドを確定して、後のシーン制御処理のためのコマンドの区分けをする処理を行う。
【０３３６】
次に、表示装置４１や装飾装置、演出装置等のテストを行うためのテストモードに関する処理であるテストモード処理（ステップＣ２１）を行う。このテストモード処理（ステップＣ２１）によりテストモードとなった場合は、以降の遊技に関する処理は行わない。ただし、テストモードにおいて表示装置４１での表示やスピーカからの音声の出力、装飾装置のＬＥＤの発光、演出装置の動作等を行う場合は、これらを制御するための処理において制御を行う。なお、テストモードは遊技機の電源を遮断することで終了するようになっている。
【０３３７】
そして、遊技の演出の制御に関するシーン制御処理（ステップＣ２２）を行う。シーン制御処理では、遊技制御装置１００から受信したコマンドに基づき、遊技に関する演出の実行内容や実行タイミングを制御する。次に、遊技機でエラーが発生した場合に遊技制御装置１００から送信されるエラー報知コマンドに基づき、対応する報知を行うための情報を設定する遊技機エラー監視処理（ステップＣ２３）を行う。なお、対応する報知を行うための表示装置４１での表示やスピーカからの音声の出力、装飾装置のＬＥＤの発光、演出装置の動作等は、これらを制御するための処理において制御を行う。そして、図６、図７に示したような遊技球の入賞領域への入賞に関する情報を報知するための入賞情報報知処理（ステップＣ２４）を行う。
【０３３８】
その後、映像制御用マイコン（２ｎｄＣＰＵ）３１２に出力するコマンドを編集する演出コマンド編集処理（ステップＣ２５）を行い、スピーカ（上スピーカ１９ａ、下スピーカ１９ｂ）が出力する音声に関する制御を行うサウンド制御処理（ステップＣ２６）を行う。次に、盤装飾装置４６、枠装飾装置１８のＬＥＤの制御を行う装飾制御処理（ステップＣ２７）、盤演出装置４４、枠演出装置のモータやソレノイドの制御を行うモータ／ＳＯＬ制御処理（ステップＣ２８）を行う。そして、飾り特図変動表示ゲームの変動態様の詳細を決定する乱数を更新する乱数更新処理（ステップＣ２９）を行って、ＷＤＴをクリアする処理（ステップＣ１８）に戻る。
【０３３９】
〔装飾装置制御処理〕
図７７には、上述の装飾制御処理（ステップＣ２７）において行われる装飾装置８０を制御するための装飾装置制御処理を示した。この装飾装置制御処理では、まず一般入賞カウントコマンドを受信したかをチェックする（ステップＣ３１）。一般入賞カウントコマンドは、特別遊技状態中や時短状態中での一般入賞口３５への遊技球の入賞に基づき表示カウントアップ処理（図２４参照）において設定され、演出制御装置３００に送信されるコマンドである。
【０３４０】
この一般入賞カウントコマンド受信していない場合（ステップＣ３２；Ｎｏ）は、装飾装置制御処理を終了する。また、一般入賞カウントコマンド受信した場合（ステップＣ３２；Ｙｅｓ）は、発光装置の点灯を設定し（ステップＣ３３）、装飾装置制御処理を終了する。これにより、特別遊技状態中や時短状態中での一般入賞口３５への遊技球の入賞に基づき装飾装置８０の発光装置８１が点灯するようになり、一般入賞口３５に入賞したことを遊技者に認識させることができる。すなわち、遊技制御装置１００及び演出制御装置３００が、所定の入賞領域への遊技球の入賞に基づき、装飾装置８０により入賞を報知する入賞報知手段をなす。
【０３４１】
〔入賞情報報知処理〕
図７８には、上述の入賞情報報知処理（ステップＣ２４）を示した。この入賞情報報知処理では、まず、大入賞口カウントコマンドを受信したかをチェックする（ステップＣ４１）。大入賞口カウントコマンドは、特別遊技状態中での特別変動入賞装置３８への遊技球の入賞に基づき表示カウントアップ処理（図２４参照）において設定され、演出制御装置３００に送信されるコマンドである。
【０３４２】
この大入賞口カウントコマンドを受信していない場合（ステップＣ４２；Ｎｏ）は、一般入賞カウントコマンドを受信したかをチェックする（ステップＣ４５）。また、大入賞口カウントコマンドを受信した場合（ステップＣ４２；Ｙｅｓ）は、大入賞口ボーナスカウンタを更新する（ステップＣ４３）。大入賞口ボーナスカウンタは、特別変動入賞装置３８への入賞により発生した賞球数をカウントするカウンタであり、この処理により大入賞口カウントコマンドの受信毎に対応する賞球数が加算される。
【０３４３】
その後、大入賞口ボーナス表示を更新し（ステップＣ４４）、一般入賞カウントコマンドを受信したかをチェックする（ステップＣ４５）。大入賞口ボーナス表示の更新により、大入賞口ボーナス表示として大入賞口ボーナスカウンタの値が表示されるようになり、図６に示したように実行中の特別遊技状態で特別変動入賞装置３８への入賞に基づき払い出された遊技球（賞球）の数が報知されるようになる。
【０３４４】
そして、一般入賞カウントコマンドを受信した場合（ステップＣ４６；Ｙｅｓ）は、おまけボーナスカウンタを更新する（ステップＣ４７）。おまけボーナスカウンタは、一般入賞口３５への入賞により発生した賞球数をカウントするカウンタであり、この処理により一般入賞カウントボーナスコマンドの受信毎に対応する賞球数が加算される。
【０３４５】
次に、ＳＰリーチ演出画像の表示中であるかを判定する（ステップＣ４８）。ＳＰリーチ演出画像とは、図７（ｄ）、（ｅ）に示すようなＳＰリーチで表示される画像であり、このＳＰリーチ演出画像の表示中でない場合（ステップＣ４８；Ｎｏ）は、おまけボーナス表示を更新し（ステップＣ４９）、特別遊技状態の終了タイミングであるかを判定する（ステップＣ５６）。おまけボーナス表示の更新により、おまけボーナス表示としておまけボーナスカウンタの値が表示されるようになり、図６や図７に示したように特別遊技状態や時短状態で一般入賞口３５への入賞に基づき払い出された遊技球（賞球）の数が報知されるようになる。
【０３４６】
また、ＳＰリーチ演出画像の表示中である場合（ステップＣ４８；Ｙｅｓ）は、報知保留カウンタを更新し（ステップＣ４９）、特別遊技状態の終了タイミングであるかを判定する（ステップＣ５６）。報知保留カウンタは、一般入賞口３５への入賞により発生した賞球数をすぐに報知しない場合に、未だ報知していない賞球数を報知保留値としてカウントするカウンタである。このようにＳＰリーチ演出画像の表示中である場合は、おまけボーナス表示の更新を行わないので、図７（ｆ）に示すように賞球数の報知が保留される。
【０３４７】
一方、一般入賞カウントコマンドを受信していない場合（ステップＣ４６；Ｎｏ）は、ＳＰリーチ演出画像の表示中であるかを判定し（ステップＣ５１）、ＳＰリーチ演出画像の表示中である場合（ステップＣ５１；Ｙｅｓ）は、特別遊技状態の終了タイミングであるかを判定する（ステップＣ５６）。また、ＳＰリーチ演出画像の表示中でない場合（ステップＣ５１；Ｎｏ）は、報知保留カウンタをチェックする。
【０３４８】
そして、報知保留値がない場合（ステップＣ５３；Ｎｏ）、すなわち未だ報知していない一般入賞口３５への入賞により発生した賞球数がない場合は、特別遊技状態の終了タイミングであるかを判定する（ステップＣ５６）。また、報知保留値がある場合（ステップＣ５３；Ｙｅｓ）、すなわち未だ報知していない一般入賞口３５への入賞により発生した賞球数がある場合は、報知保留値の報知を設定する（ステップＣ５４）。その後、報知保留カウンタをクリアし（ステップＣ５５）、おまけボーナス表示を更新する（ステップＣ４９）。これにより図７（ｇ）に示したように、ＳＰリーチ演出画像の表示終了後に、当該演出画像の表示中に発生した一般入賞口３５への入賞に基づき払い出された遊技球（賞球）の数が報知され、当該報知された値が図７（ｈ）に示すようにおまけボーナスの数として加算される。
【０３４９】
特別遊技状態の終了タイミングであるかを判定し（ステップＣ５６）、特別遊技状態の終了タイミングでない場合（ステップＣ５７；Ｎｏ）は、時短状態の終了タイミングであるかを判定する（ステップＣ５８）。また、特別遊技状態の終了タイミングである場合（ステップＣ５７；Ｙｅｓ）は、大入賞口ボーナスカウンタ及びおまけボーナスカウンタをクリアし（ステップＣ５７）、時短状態の終了タイミングであるかを判定する（ステップＣ５８）。
【０３５０】
そして、時短状態の終了タイミングでない場合（ステップＣ５８；Ｎｏ）は、入賞情報報知処理を終了する。また、時短状態の終了タイミングである場合（ステップＣ５８；Ｙｅｓ）は、おまけボーナスカウンタをクリアし（ステップＣ５９）、入賞情報報知処理を終了する。なお、大入賞口ボーナスカウンタやおまけボーナスカウンタは、特別遊技状態が発生せずに時短状態が終了した場合にクリアするようにして、時短状態中に特別遊技状態が発生した場合にはそれまでの計数結果に継続して計数しても良い。また、おまけボーナスカウンタは特別遊技状態とこれに続く時短状態で継続して計数するようにしても良い。
【０３５１】
以上の処理により、特別遊技状態中における特別変動入賞装置３８への入賞に関する情報や、特別遊技状態中及び時短状態中における一般入賞口３５への入賞に関する情報が報知されるようになる。すなわち、遊技制御装置１００及び演出制御装置３００が、入賞領域への遊技球の入賞に関する情報を報知可能な入賞情報報知手段をなす。また、演出制御装置３００が、特定演出（ＳＰリーチ演出画像の表示中など）の実行中は所定の入賞領域への遊技球の入賞に関する情報の報知を保留し、当該特定演出の終了後に保留していた入賞に関する情報の報知を行う報知保留手段（演出制御装置３００）をなす。
【０３５２】
以上のことから、遊技領域３２に設けられた入賞領域（一般入賞口３５、始動入賞口３６、普通変動入賞装置３７、特別変動入賞装置３８）への遊技球の入賞に基づき、所定数の遊技球を払い出す遊技機において、入賞領域への遊技球の入賞に関する情報を報知可能な入賞情報報知手段（遊技制御装置１００、演出制御装置３００）を備え、入賞領域には、遊技球の入賞に基づき、表示装置４１で複数の識別情報を変動表示する変動表示ゲームの開始条件が成立する始動入賞口（始動入賞口３６、普通変動入賞装置３７）と、変動表示ゲームの結果が予め定められた特別結果となった場合に発生する特別遊技状態において遊技球の入賞が容易な状態とされる特別変動入賞装置３８と、遊技球の入賞に基づき所定数の遊技球の払い出しのみが行われる一般入賞口３５と、が含まれ、入賞情報報知手段は、特別遊技状態における特別変動入賞装置３８以外の所定の入賞領域への遊技球の入賞に関する情報を報知可能であることとなる。
【０３５３】
また、始動入賞口は、遊技球が入賞しやすい開状態と、遊技球が入賞しにくい若しくは入賞しない閉状態と、に変化可能な普通変動入賞装置３７を含み、特別遊技状態の終了後、予め定められた所定期間にわたり、普通変動入賞装置３７を前記開状態とする期間を延長する特定遊技状態を発生可能な特定遊技状態発生制御手段（遊技制御装置１００）を備え、入賞情報報知手段（遊技制御装置１００、演出制御装置３００）は、特定遊技状態における所定の入賞領域への遊技球の入賞に関する情報を報知可能であることとなる。
【０３５４】
また、入賞情報報知手段（遊技制御装置１００、演出制御装置３００）は、表示装置４１において所定の入賞領域への遊技球の入賞に関する情報を報知するものであり、遊技領域３２に所定の入賞領域から表示装置４１へ向けて装飾装置８０を配設し、所定の入賞領域への遊技球の入賞に基づき、装飾装置８０により入賞を報知する入賞報知手段（遊技制御装置１００、演出制御装置３００）を備えていることとなる。
【０３５５】
また、入賞情報報知手段（遊技制御装置１００、演出制御装置３００）は、特定演出（ＳＰリーチ演出画像の表示中など）の実行中は所定の入賞領域への遊技球の入賞に関する情報の報知を保留し、当該特定演出の終了後に保留していた入賞に関する情報の報知を行う報知保留手段（演出制御装置３００）を備えることとなる。
【０３５６】
なお、図７（ｄ）、（ｅ）に示すようにＳＰリーチ演出画像の表示中において発生した賞球数の報知を保留した場合に、当該賞球の払い出しも保留し、図７（ｇ）に示すように演出画像の表示終了後における賞球数の報知と同時に払い出すようにしても良い。また、一般入賞口３５や特別変動入賞装置３８への入賞に基づく賞球数以外の入賞領域への入賞に基づく賞球数を報知するようにしても良い。この場合、各入賞領域への入賞に基づき発生した賞球数を個別に報知しても良いし、特別変動入賞装置３８以外への入賞に基づき発生した賞球数をまとめて報知するようにしても良い。
【０３５７】
また、入賞に関する情報として賞球数を報知するようにしたが、これに限られるものではなく、例えば、入賞した遊技球数を報知したり、入賞数や賞球数を直接的に報知せずに、その量を段階的に報知（例えば１００個以下、１００〜１９９個、２００〜２９９個、３００以上の何れであるかを報知又はキャラクタや表示態様の変化により報知）したりしても良い。また、入賞に関する情報を表示装置４１において報知するとしたが、表示装置４１とは別の表示装置やＬＥＤ、その他の装置によって報知を行うようにしても良い。また、装飾装置８０により報知対象である所定の入賞領域をなす一般入賞口３５への入賞を報知するようにしたが、音声により報知するようにしても良い。
【０３５８】
さらに、一般入賞口３５を複数設けた場合、各一般入賞口３５への入賞に基づく賞球数をまとめて報知する場合は、各一般入賞口３５に入賞した遊技球を集約した後に一の入賞口スイッチ３５ａで検出するように構成することが可能である。また、特定の一般入賞口３５への入賞に基づく賞球数のみを報知する場合は、特定の一般入賞口３５とそれ以外の一般入賞口３５への入賞を別の入賞口スイッチ３５ａで検出するようにするか、特定の一般入賞口３５への入賞を検出するセンサを別途設けるようにする。
【０３５９】
また、一般入賞口３５に入賞した遊技球を視認可能な状態で特別変動入賞装置３８へ向けて誘導した後に外部へ排出するようにしているが、一般入賞口３５に入賞した遊技球を特別変動入賞装置３８内に排出し、特別変動入賞装置３８へ入賞した遊技球と同じ排出経路を用いて遊技機の外部へ誘導するようにしても良い。この場合に、入賞口スイッチ３５ａを設けずに、一般入賞口３５に入賞した遊技球を特別変動入賞装置３８に設けたカウントスイッチ３８ａにより検出するようにしても良い。さらにこの場合に、遊技状態によりカウントスイッチ３８ａでの遊技球の検出に基づく賞球数を変化させるようにしても良く、例えば、特別遊技状態中は賞球数を１０個とし、これ以外では賞球数を８個とする。
【０３６０】
また、特別遊技状態中や時短状態中には右打ちをする遊技機について説明したが、これ以外の遊技機にも本発明を適用可能である。
【０３６１】
以上のような遊技機１０は、遊技領域３２に設けられた入賞領域（一般入賞口３５、始動入賞口３６、普通変動入賞装置３７、特別変動入賞装置３８）への遊技球の入賞に基づき、所定数の遊技球を払い出す遊技機であって、入賞領域への遊技球の入賞に関する情報を報知可能な入賞情報報知手段（遊技制御装置１００、演出制御装置３００）を備え、入賞領域には、遊技球の入賞に基づき、表示装置４１で複数の識別情報を変動表示する変動表示ゲームの開始条件が成立する始動入賞口（始動入賞口３６、普通変動入賞装置３７）と、変動表示ゲームの結果が予め定められた特別結果となった場合に発生する特別遊技状態において遊技球の入賞が容易な状態とされる特別変動入賞装置３８と、遊技球の入賞に基づき所定数の遊技球の払い出しのみが行われる一般入賞口３５と、が含まれ、入賞情報報知手段は、特別遊技状態における特別変動入賞装置３８以外の所定の入賞領域への遊技球の入賞に関する情報を報知可能である。
【０３６２】
ここで、入賞に関する情報を報知するとは、入賞した遊技球数や、入賞した遊技球に基づき払い出された遊技球数を直接的に報知することや、入賞数や賞球数を直接的に報知せずに、その量を段階的に報知（例えば１００個以下、１００〜１９９個、２００〜２９９個、３００以上の何れであるかを報知又はキャラクタや表示態様の変化により報知）することなどである。また、所定の入賞領域は、特別変動入賞装置３８以外の入賞領域のうち一つでも良いし複数でも良い。
【０３６３】
したがって、従来入賞したことも気づきにくい特別変動入賞装置３８以外の所定の入賞領域への入賞に関する情報を表示することで、当該入賞領域に入賞させようと遊技者は思うようになるので興趣を高めることができる。また所定の入賞領域に入賞したことを遊技者に認識させることができ、特別遊技状態における特別変動入賞装置３８以外の入賞領域への入賞による賞球の獲得に対して満足感を与え、より遊技の興趣を高めることができる。
【０３６４】
また、所定の入賞領域は、一般入賞口３５である。ここで、一般入賞口３５を複数備える場合は、全ての一般入賞口３５を所定の入賞領域としても良いし、一部の一般入賞口３５を所定の入賞領域としても良い。
【０３６５】
したがって、変動表示ゲームとの関連がなく遊技者の関心が低い一般入賞口３５への入賞に関する情報を表示することで、当該一般入賞口３５への入賞に対する関心を持たせることができ、従来の遊技機にはない興趣を持たせることができる。また一般入賞口３５に入賞したことを遊技者に認識させることができ、特別遊技状態における一般入賞口３５への入賞による賞球の獲得に対して満足感を与え、より遊技の興趣を高めることができる。
【０３６６】
また、始動入賞口は、遊技球が入賞しやすい開状態と、遊技球が入賞しにくい若しくは入賞しない閉状態と、に変化可能な普通変動入賞装置３７を含み、特別遊技状態の終了後、予め定められた所定期間にわたり、普通変動入賞装置３７を前記開状態とする期間を延長する特定遊技状態を発生可能な特定遊技状態発生制御手段（遊技制御装置１００）を備え、入賞情報報知手段（遊技制御装置１００、演出制御装置３００）は、特定遊技状態における所定の入賞領域への遊技球の入賞に関する情報を報知可能である。
【０３６７】
したがって、従来入賞したことも気づきにくい所定の入賞領域への入賞を報知することで、当該所定の入賞領域に入賞させようと遊技者は思うようになるので興趣が高まる。また所定の入賞領域に入賞したことを遊技者に認識させることで特定遊技状態における所定の入賞領域への入賞による賞球の獲得に対して満足感を与え、より遊技の興趣を高めることができる。
【０３６８】
また、入賞情報報知手段（遊技制御装置１００、演出制御装置３００）は、表示装置４１において所定の入賞領域への遊技球の入賞に関する情報を報知するものであり、遊技領域３２に所定の入賞領域から表示装置４１へ向けて装飾装置８０を配設し、所定の入賞領域への遊技球の入賞に基づき、装飾装置８０により入賞を報知する入賞報知手段（遊技制御装置１００、演出制御装置３００）を備えている。
【０３６９】
したがって、所定の入賞領域に入賞したことを遊技者によりわかりやすく報知することが可能となり興趣が高まる。さらに、当該所定の入賞領域への入賞に関する情報が報知されていることをより明確に示すことができる。
【０３７０】
また、普通変動入賞装置３７は、閉状態で遊技球を保持可能であるとともに開状態への変換に伴い遊技球の保持が解除される保持部３７ｅを備え、普通変動入賞装置３７の下流側であって、開状態への変換に伴い保持部３７ｅでの保持が解除された遊技球が流下する位置に所定の入賞領域をなす一般入賞口３５を設けている。
【０３７１】
したがって、普通変動入賞装置３７に入賞しなかった遊技球を積極的に所定の入賞領域に入賞しやすくするように配置を行うことで、普通変動入賞装置３７に入賞しなかった遊技球のその後の流下にも期待感を持たせ、興趣を高めることができる。
【０３７２】
また、所定の入賞領域の下流側に特別変動入賞装置３８を配し、当該所定の入賞領域に入賞した遊技球を排出するための排出経路８３を、当該所定の入賞領域から特別変動入賞装置３８へ向けて配設し、排出経路８３は、流下する遊技球が遊技者から視認可能である。
【０３７３】
したがって、入賞に関する情報が報知される所定の入賞領域に入賞した遊技球が、あたかも特別変動入賞装置３８に入賞するかのように見せることで、入賞に関する情報の報知とあわせて賞球の獲得に対する満足感を与えることができる。
【０３７４】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０３７５】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０３７６】
１０  遊技機
３２  遊技領域
３５  一般入賞口（入賞領域）
３６  始動入賞口（入賞領域）
３７  普通変動入賞装置（入賞領域、始動入賞口）
３７ｅ  保持部
３８  特別変動入賞装置（入賞領域）
４１  表示装置
８０  装飾装置
８３  排出経路
１００  遊技制御装置（入賞情報報知手段、特定遊技状態発生制御手段、入賞報知手段）３００  演出制御装置（入賞情報報知手段、入賞報知手段）
【図１】
0006439118.tif 000002
【図２】
0006439118.tif 000003
【図３】
0006439118.tif 000004
【図４】
0006439118.tif 000005
【図５】
0006439118.tif 000006
【図６】
0006439118.tif 000007
【図７】
0006439118.tif 000008
【図８】
0006439118.tif 000009
【図９】
0006439118.tif 000010
【図１０】
0006439118.tif 000011
【図１１】
0006439118.tif 000012
【図１２】
0006439118.tif 000013
【図１３】
0006439118.tif 000014
【図１４】
0006439118.tif 000015
【図１５】
0006439118.tif 000016
【図１６】
0006439118.tif 000017
【図１７】
0006439118.tif 000018
【図１８】
0006439118.tif 000019
【図１９】
0006439118.tif 000020
【図２０】
0006439118.tif 000021
【図２１】
0006439118.tif 000022
【図２２】
0006439118.tif 000023
【図２３】
0006439118.tif 000024
【図２４】
0006439118.tif 000025
【図２５】
0006439118.tif 000026
【図２６】
0006439118.tif 000027
【図２７】
0006439118.tif 000028
【図２８】
0006439118.tif 000029
【図２９】
0006439118.tif 000030
【図３０】
0006439118.tif 000031
【図３１】
0006439118.tif 000032
【図３２】
0006439118.tif 000033
【図３３】
0006439118.tif 000034
【図３４】
0006439118.tif 000035
【図３５】
0006439118.tif 000036
【図３６】
0006439118.tif 000037
【図３７】
0006439118.tif 000038
【図３８】
0006439118.tif 000039
【図３９】
0006439118.tif 000040
【図４０】
0006439118.tif 000041
【図４１】
0006439118.tif 000042
【図４２】
0006439118.tif 000043
【図４３】
0006439118.tif 000044
【図４４】
0006439118.tif 000045
【図４５】
0006439118.tif 000046
【図４６】
0006439118.tif 000047
【図４７】
0006439118.tif 000048
【図４８】
0006439118.tif 000049
【図４９】
0006439118.tif 000050
【図５０】
0006439118.tif 000051
【図５１】
0006439118.tif 000052
【図５２】
0006439118.tif 000053
【図５３】
0006439118.tif 000054
【図５４】
0006439118.tif 000055
【図５５】
0006439118.tif 000056
【図５６】
0006439118.tif 000057
【図５７】
0006439118.tif 000058
【図５８】
0006439118.tif 000059
【図５９】
0006439118.tif 000060
【図６０】
0006439118.tif 000061
【図６１】
0006439118.tif 000062
【図６２】
0006439118.tif 000063
【図６３】
0006439118.tif 000064
【図６４】
0006439118.tif 000065
【図６５】
0006439118.tif 000066
【図６６】
0006439118.tif 000067
【図６７】
0006439118.tif 000068
【図６８】
0006439118.tif 000069
【図６９】
0006439118.tif 000070
【図７０】
0006439118.tif 000071
【図７１】
0006439118.tif 000072
【図７２】
0006439118.tif 000073
【図７３】
0006439118.tif 000074
【図７４】
0006439118.tif 000075
【図７５】
0006439118.tif 000076
【図７６】
0006439118.tif 000077
【図７７】
0006439118.tif 000078
【図７８】
0006439118.tif 000079